(57)【要約】【課題】アイロンがけをした後の机面や織物を冷却するための送風装置であって，人体が着用する着用物に取り付けたときは机面に向けて送風でき，その装置を机面に置いたときはその装置の真下や周囲の机面に向けて送風できる送風装置を提供する。【解決手段】少なくとも，着用物の縁を抱持若しくは挟持することができる支持台又は首かけ可能なストラップ若しくは吊持具から支持されることができる支持台又はタオル若しくは手拭いから支持されることができる支持台と，前記支持台に設けられた接触部と，前記支持台から支持される送風部と，を有し，前記接触部を机面に接触させた状態で前記支持台と前記机面との間を前記送風部から送風された気流が通過できる装置を提供することで課題が解決される。【選択図】図４８
2020037935.tif 000002
【特許請求の範囲】
【請求項１】
着用物若しくは車輪式器具を抱持若しくは挟持することができる支持台
又は
首かけ可能なストラップ若しくは吊持具から支持されることができる支持台
又は
タオル若しくは手拭いから支持されることができる支持台と，
前記支持台に設けられた接触部と，
前記支持台から支持される送風部と，
を有し，
前記接触部を机面又は布面に接触させた状態で
前記支持台と前記机面又は前記布面との間を
前記送風部から送風された気流が通過できる
装置。
【請求項２】
着用物若しくは車輪式器具の縁を抱持若しくは挟持することができる支持台
又は
首かけ可能なストラップ若しくは吊持具から支持されることができる支持台
又は
タオル若しくは手拭いから支持されることができる支持台と，
前記支持台に設けられた接触部と，
前記支持台から支持される送風部と，
を有し，
前記接触部を机面又は布面に接触させた状態で
前記支持台と前記机面又は前記布面により形成される空洞を
前記送風部から送風された気流が通過できる
装置。
【請求項３】
前記送風部の向きを調整できるように前記支持台から前記送風部が支持される
請求項１又は２に記載の装置。
【請求項４】
握持可能な手持ち部を有する
請求項１から３のいずれかに記載の装置。
【請求項５】
請求項１から４のいずれかに記載の装置に用いる前記支持台。
【発明の詳細な説明】
【技術分野】
【０００１】
本発明は，装置，および，支持台に関するものである。
【背景技術】
【０００２】
シャツの前立てに挿して使う衣服内送風機がある（特許文献１図１）。しかし，シャツを着る人の首に対して風を当てることができないという欠点がある。
【０００３】
今持っているヘルメット等帽子をかぶった後や人の頭に装着できるファン付ヘッドバンドがある（特許文献２図１）。しかし，シャツの内側に送風できないという欠点がある。
【０００４】
ヘルメットや帽子に装着する扇風機がある（特許文献３図１）。しかし，シャツの内側に送風できないという欠点がある。
【０００５】
ヘルメットの外部と該内部とを仕切る遮蔽版の端縁を挟持するクリップ部を有する送風機がある（特許文献４図１）。しかし，首まわりやシャツの内側に送風できないという欠点がある。
【０００６】
ファンを収容するポケットを備えた空調装置付衣服がある（特許文献５図１）。しかし，首まわりや頭部に直接送風できないという欠点がある。
【０００７】
胴部の下部に形成された開口部に設けられた外気を吸引するための送風手段を備えた空調衣服がある（特許文献６図１）。しかし，首まわりや頭部に直接送風できないという欠点がある。
【０００８】
人が着用する空調服本体に着脱手段を介して着脱自在に設けるために使用するファンユニットがある（特許文献７図７）。しかし，首まわりや頭部に向けて直接送風できないという欠点がある。
【０００９】
使用者の上着の胸ポケットに取り付けることが容易な携帯型扇風機がある（特許文献８図５）。しかし，上着の内側に送風することができないという欠点がある。
【００１０】
使用者の被服に取り付け可能な取り付け部と，平面に設置可能な支持部を備えた携帯型扇風機がある（特許文献９図４）。しかし，上着の内側に送風することができないという欠点がある。
【００１１】
送風装置につないだパイプを衣服の襟などの開口部を通して衣服の中に引き込み，肌着と皮膚の間に送風口を位置させて，肌に対して風を直接当てる携帯扇風機がある（特許文献１０図１）。しかし，パイプを衣服の内側に引き込むため，着け外しに手間がかかるという欠点がある。
【００１２】
ヘルメットにつける扇風機がある（特許文献１１図１，特許文献１２図１，特許文献１３図３）。しかし，上着の内側に送風することができないという欠点がある。また，着用物につける扇風機がある（特許文献１４図６４）。
【００１３】
ポリウレタン製回転羽を使用した首かけ携帯扇風機がある（特許文献１５図１）。しかし，首に掛けて吊り下げた状態で手を離した時に送風の向きが制御できず，顔に向けて送風することができないという欠点がある。
【００１４】
首掛け用ストラップを備えた携帯用扇風機がある（特許文献１６図１，特許文献１７図９，特許文献１８図６）。しかし，首に掛けた状態で送風の向きを調整できないという欠点がある。
【００１５】
人の手によって握持可能な棒状体と送風部を有する手持ち式の携帯扇風機がある（特許文献１９図７）。しかし，手に持たずに首にかけた状態で送風の向きを調整することができないという欠点がある。
【先行技術文献】
【特許文献】
【００１６】
【特許文献１】特開２０１３−２０１８
【特許文献２】特開平９−１５７９３４
【特許文献３】特開２０１３−２５３５９０
【特許文献４】特開２００５−２４０２１１
【特許文献５】特開２０１７−１３３１２１
【特許文献６】特開２００６−３０７３５４
【特許文献７】特開２０１７−１０１３５４
【特許文献８】実用新案登録第３１８１４１２号広報
【特許文献９】実用新案登録第３１７３０１１号広報
【特許文献１０】特開２００６−４６３１０
【特許文献１１】特開２０１７−８９０６０
【特許文献１２】特開２００７−１６３７６
【特許文献１３】特開２０１３−１００６２５
【特許文献１４】特許第６２２１０２４号広報
【特許文献１５】特開２０００−１８１９５
【特許文献１６】実用新案登録第３１６５５０３号広報
【特許文献１７】実用新案登録第３１４７５１５号広報
【特許文献１８】実用新案登録第３０６２６８９号広報
【特許文献１９】実用新案登録第３０２９３７０号広報
【特許文献２０】特開２０１７−１９４７８１
【特許文献２１】特開２０１１−２０６５３３
【特許文献２２】特願２０１２−５１９１８５
【特許文献２３】特願２００９−１４１３７７
【特許文献２４】中国特許出願公開第１０７５３２６０３号明細書
【特許文献２５】特開2011-137396
【特許文献２６】実用新案登録第3217371号
【発明の概要】
【発明が解決しようとする課題】
【００１７】
従来技術では，特許文献１９に記載の「手持ち式の携帯扇風機」に紐をつけて首から吊り下げると，送風部の向きを制御することができなくなり，首に対して風が当たらなくなるという欠点があった。また，特許文献１５から１８に記載の「首掛け式の携帯扇風機」は，首に掛けて吊り下げた状態で手を離した時に送風の向きを調整できないという欠点があった。
【００１８】
そこで，解決すべき課題１は，「手持ち式の携帯扇風機を首から吊り下げて手を離した状態であっても首に向けて安定して送風できるように支持できる支持台を備えた手持ち式の携帯扇風機を提供すること」である。
【００１９】
また，解決すべき別の課題２は，「手持ち式の携帯扇風機を首から吊り下げた状態で安全に着脱できる前記支持台と，前記着脱の作業中に前記扇風機を誤って落下させないための安全な着脱方法を提供すること」である。
【００２０】
また，従来技術である特許文献１６の図１では，首掛け用のストラップの長さを調整するための調整具（長さ調整パーツ）が首の後ろに位置してしまう。このため，調整のために両手を上にあげて首の後ろに手をまわして調整する必要があった。しかし，この方法では調整具を目視できないため，手探りで調整具を見つける必要があり，調整作業に時間がかかるという欠点があった。また，調整具を手で触るためには，両手を上にあげて脇を開いた状態で手を首の後ろにまわす必要があり，この格好が人前では失礼に見えてしまう場合があった。また，脇を開いたときに脇の下の汗ジミが見えてしまう場合があるため，人目を気にする女性などにとっては人前で調整作業をしにくいという欠点があった。
【００２１】
そこで，解決すべき別の課題３は，「さらに，送風部と首の間の距離を素早く調整でき，また，前記調整の作業をする手元を目視しながら作業でき，さらに，脇を開かずに胸の前で前記作業をすることができる扇風機を提供すること」である。
【００２２】
また，従来技術である特許文献１７の図９に記載の携帯型空気清浄機１を吊持する紐１５に他の物品（例えば，入室管理用のＩＤカードなど）をさらに吊持させることは難しかった。このため，入室管理用のＩＤカードを首に掛ける必要がある場合には，さらに別の首掛け紐を使う必要があった。しかし，複数の首掛け用の紐をいっしょに使用すると，それらの紐が相互に絡まりあって首を絞めつける危険性があった。このため，複数の首掛け紐を同時に安全に使用することは難しいという欠点があった。
【００２３】
そこで，解決すべき別の課題４は，「さらに，ＩＤカードを吊持する吊持具から支持可能な扇風機であって，前記ＩＤカードをカードリーダーに近づけても，前記扇風機の送風の方向が変わらない扇風機を提供すること」である。
【課題を解決するための手段】
【００２４】
本明細書において，「手持ち式の携帯扇風機」とは，「手持ち可能な棒状体で支持される送風部を備えた電池式の扇風機」である。
【００２５】
本明細書において，「手持ち式の携帯扇風機」の上位概念である「手持式機器」という名称を用いて説明する場合がある。
【００２６】
本明細書において「腕」とは，本発明の装置が有する「腕」であって，人体の腕ではない。本発明の装置を身に着ける目的で「腕」に着用物を抱持させたときは，「腕」は「抱持部」である。また，本発明の装置を身に着ける目的で「腕」に着用物を挟持させたときは，「腕」は「挟持部」である。よって，本発明の装置を使用する際の状態に応じて，「腕」を「抱持部」又は「挟持部」と読み替えてもよい。実施例１の図２において，「腕」は取付器具６２２が有する腕６２３である。
【００２７】
本明細書において「足」とは，本発明の装置が有する「足」であって，人体の足ではない。本発明の装置を身に着けたときは，「足」は人体又は着用物に接触する「接触部」である。また，本発明の装置を机面に置いたときは，「足」は机面に接触する「接触部」でもある。よって，本発明の装置を使用する際の状態に応じて，「足」を「接触部」と読み替えてもよい。実施例１の図２において，「足」は取付器具６２２が有する足６３２である。また，実施例２の図４１において，「足」は支持台６６０が上着６２０に接触するときの接触部６６３である。
【００２８】
本明細書において「上着」とは「人体の首から膝の間の部分に着用することができるあらゆる着用物の総称」であると定義する。
【００２９】
本明細書において「下着」とは「上着と人体の間に着用することができるあらゆる着用物の総称」であると定義する。
【００３０】
本明細書において「帽子」とは「人体の頭部に着用することができるあらゆる着用物の総称」である定義する。
【００３１】
本明細書において「襟」とは「上着から頭部を露出させるために設けられた上着の縁」であり，「襟台」「衿」「台衿」は襟である。Ｔシャツに設けられた頭部通過用の穴の縁も襟である。
【００３２】
本明細書において，「環状体を開環する」とは，前記環状体の一部を切り離すことによって，前記環状体の環構造を消滅させること又は前記環状体を環構造のない線状体にすることである。例えば，吊持具であるネックストラップの環状体は，着脱可能なパーツ（安全パーツ）を介して環構造を形成しているため，前記安全パーツを切り離すことによって，ネックストラップの環状体を開環して線状体にすることができる。また，開環されたネックストラップの前記安全パーツをつなげることによって，ネックストラップを閉環して環状体に戻すことができる。
【００３３】
請求項１から２５に係る発明である装置Ｂ１からＢ２５は実施例２において詳細に説明されている。
【００３４】
請求項１に記載の装置Ｂ１は，
「環状体を有する吊持具と，
前記吊持具から支持される支持台と，
前記支持台から支持される送風部と，
を有し，
前記吊持具を首に掛けた人体が着用する着用物に前記支持台を接触させた状態で
前記送風部を前記人体に向けて送風できる
装置」である。
【００３５】
請求項２に記載の装置Ｂ２は，
「前記環状体を開環せずに
前記支持台は前記環状体を着脱できる
請求項１に記載の装置」である。
【００３６】
請求項３に記載の装置Ｂ３は，
「前記支持台は前記吊持具からスライド可能に支持される
請求項２に記載の装置」である。
【００３７】
請求項４に記載の装置Ｂ４は，
「前記環状体の少なくとも２か所で
前記支持台は前記吊持具からスライド可能に支持される
請求項２又は３に記載の装置」である。
【００３８】
請求項５に記載の装置Ｂ５は，
「前記支持台から着脱可能に支持される棒状体を有し，
前記送風部は前記棒状体を介して前記支持台から支持される
請求項１から４のいずれかに記載の装置」である。
【００３９】
請求項６に記載の装置Ｂ６は，
「前記吊持具を前記首に掛けた前記人体が着用する前記着用物に前記支持台を接触させた状態で
前記送風部を前記着用物に接触させずに
前記送風部を前記人体に向けて送風できる
請求項５に記載の装置」である。
【００４０】
請求項７に記載の装置Ｂ７は，
「前記棒状体を支持する支持部を前記支持台に有し，
前記吊持具を前記首に掛けた前記人体が着用する前記着用物に前記支持台を接触させた状態で
前記送風部を前記支持部の上に支持できる
請求項５又は６に記載の装置」である。
【００４１】
請求項８に記載の装置Ｂ８は，
「前記支持部が前記棒状体を回動可能に支持できる
請求項７に記載の装置」である。
【００４２】
請求項９に記載の装置Ｂ９は，
「前記棒状体を前記支持部に対して回動させたときに
前記送風部のファンガードが前記支持台にぶつかることなく
前記棒状体を３６０度回動できる
請求項７又は８に記載の装置」である。
【００４３】
請求項１０に記載の装置Ｂ１０は，
「前記支持部が前記棒状体をスライド可能に支持できる
請求項７から９のいずれかに記載の装置」である。
【００４４】
請求項１１に記載の装置Ｂ１１は，
「前記支持台において前記支持部を回動できる
請求項７から１０のいずれかに記載の装置」である。
【００４５】
請求項１２に記載の装置Ｂ１２は，
「前記支持台を前記着用物に接触させずに 
前記支持台を前記吊持具のみによって吊持したときに
前記棒状体の最も低い部分の位置が前記送風部の最も低い部分の位置よりも低くい状態で
前記支持台を前記吊持具から吊持することができる
請求項５から１１のいずれかに記載の装置」である。
【００４６】
請求項１３に記載の装置Ｂ１３は，
「前記支持台を前記着用物に接触させずに
前記支持台を前記吊持具のみによって吊持したときに
前記棒状体の重心の位置が前記送風部の重心の位置よりも低くい状態で
前記支持台を前記吊持具から吊持することができる
請求項５から１１のいずれかに記載の装置」である。
【００４７】
請求項１４に記載の装置Ｂ１４は，
「前記棒状体と前記送風部の間に少なくとも１つの可動な部品
を有する
請求項５から１３のいずれかに記載の装置」である。
【００４８】
請求項１５に記載の装置Ｂ１５は，
「前記棒状体に内包又は内設された電源と，
前記送風部に内包又は内設された電動機と，
前記電動機によって駆動される羽根車と，
前記電源と前記電動機を電気的に接続する電気伝導体と，
を有する
請求項５から１４のいずれかに記載の装置」である。
【００４９】
請求項１６に記載の装置Ｂ１６は，
「前記吊持具から前記支持台を離脱させることができ，
かつ，
前記吊持具から前記支持台を離脱させた状態で
前記吊持具は前記送風部を吊持できる
請求項１から１５のいずれかに記載の装置」である。
【００５０】
請求項１７に記載の装置Ｂ１７は，
「前記吊持具は前記支持台の下に物品を吊持できる
請求項１から１６のいずれかに記載の装置」である。
【００５１】
請求項１８に記載の装置Ｂ１８は，
「請求項１から１７のいずれかに記載の装置に用いる
前記支持台」である。
【００５２】
請求項１９に記載の装置Ｂ１９は，
「請求項１から１７のいずれかに記載の装置に用いる
前記支持台と前記吊持具を備えた首掛け具」である。
【００５３】
請求項２０に記載の装置Ｂ２０は，
「請求項７から１１のいずれかに記載の装置に用いる
前記支持部の棒持台」である。
【００５４】
請求項２１に記載の装置Ｂ２１は，
「環状体を有する吊持具と，
前記吊持具からスライド可能に支持される少なくとも２つのスライダーと，
前記スライダーから支持される接触部と，
前記スライダーから支持される送風部と，
を有し，
前記環状体を開環せずに前記スライダーは前記環状体を着脱でき，
かつ，
前記吊持具を首に掛けた人体が着用する着用物に前記接触部を接触させた状態で
前記送風部を前記人体に向けて送風できる装置 」である。
請求項２１に記載の発明は，実質的に請求項４に記載の発明と同一である。すなわち，請求項４に記載の「支持台」という名称の代わりに，「スライダー」と「接触部」の２つの名称を用いて請求項４に記載の発明を特定する事項を表現し直したものが請求項２１である。すなわち，図４１に記載の吊持具６７０からスライド可能に支持される支持台６６０の「スライドする部分」がスライダー６６１である。また，図４１に記載の着用物６２０と接触する支持台６６０の「接触する部分」が接触部６６３である。
【００５５】
請求項２２に記載の装置Ｂ２２は，
「前記吊持具から前記スライダーを離脱させることができ，
かつ，
前記吊持具から全ての前記スライダーを離脱させた状態で
前記吊持具は前記送風部を吊持できる
請求項２１に記載の装置」である。
【００５６】
請求項２３に記載の装置Ｂ２３は，
「前記吊持具は前記スライダーの下に物品を吊持できる
請求項２１又は２２に記載の装置」である。
【００５７】
請求項２４に記載の装置Ｂ２４は，
「請求項２１から２３のいずれかに記載の装置に用いる
前記スライダーと，
前記接触部と，
前記送風部と，
を有する
扇風機」である。
【００５８】
請求項２５に記載の装置Ｂ２５は，
「請求項２１から２３のいずれかに記載の装置に用いる
前記スライダーと，
前記接触部と，
を有する
支持台」である。
【発明の効果】
【００５９】
請求項１から２５に係る装置Ｂ１からＢ２５の効果は実施例２において詳細に説明されている。
【００６０】
請求項１に記載の装置Ｂ１によれば，
「環状体を有する吊持具と，
前記吊持具から支持される支持台と，
前記支持台から支持される送風部と，
を有し，
前記吊持具を首に掛けた人体が着用する着用物に前記支持台を接触させた状態で
前記送風部を前記人体に向けて送風できる
装置」が提供される。
【００６１】
これにより，図２８から３０及び実施例２において詳細に説明されている支持台６６０の効果である「手持式機器６１６を手で支持せずとも送風部３０１を人体６０９の胸又は顔又は首に向けて安定的に送風できる効果」を得ることができる。
よって，「手持ち式の携帯扇風機を首から吊り下げて手を離した状態であっても首に向けて安定して送風できるように支持できる支持台を備えた手持ち式の携帯扇風機を提供する」という課題を解決することができる。
【００６２】
請求項２に記載の装置Ｂ２によれば，
「前記環状体を開環せずに
前記支持台は前記環状体を着脱できる
請求項１に記載の装置」が提供される。
【００６３】
これにより，図３１，３２及び実施例２において詳細に説明されている効果である「手持ち式の携帯扇風機を首から吊り下げた状態で落下させずに安全に支持台を着脱できる効果」を得ることができる。
よって，「手持ち式の携帯扇風機を首から吊り下げた状態で安全に着脱できる前記支持台と，前記着脱の作業中に前記扇風機を誤って落下させないための安全な着脱方法を提供する」という課題を解決することができる。
【００６４】
請求項３に記載の装置Ｂ３によれば，
「前記支持台は前記吊持具からスライド可能に支持される
請求項２に記載の装置」が提供される。
【００６５】
これにより，図３３，３４及び実施例２において詳細に説明されている効果である「扇風機を首に掛けた状態で，送風部と首の間の距離を調整できる効果」を得ることができる。また，首に掛けられた吊持具６７０の下の部分を片手で下に引っ張りながら，もう片方の手で棒状体３０８を持ってスライドさせることが容易にできる。
このため，前記の調整作業をする手元を目視しながら調整作業ができ，扇風機を適切な位置に素早く調整できる効果を得ることができる。また，脇を開かずに胸の前で調整作業を行うことができる効果を得ることができ，人前で調整作業をしやすくなる効果を得ることができる。
よって，「送風部と首の間の距離を素早く調整でき，また，前記調整の作業をする手元を目視しながら作業でき，さらに，脇を開かずに胸の前で前記作業をすることができる扇風機を提供する」という課題を解決することができる。
【００６６】
請求項４に記載の装置Ｂ４によれば，
「前記環状体の少なくとも２か所で
前記支持台は前記吊持具からスライド可能に支持される
請求項２又は３に記載の装置」が提供される。
これにより，前記装置の吊持具６７０として，ＩＤカード６５６を吊持できる輪状体６７２又は糸状体６７２が設けられた環状体６７１を有する吊持具（日本では「松葉つきのネックストラップ」として一般的に使用されている吊持具）を使用することによって，図４１に示すように，１つの吊持具６７０によってＩＤカード６５６を適切な位置に吊持しながら，同じ吊持具６７０の環状体６７１の間に扇風機６１６を懸架することができる。ただし，「懸架する」とは，環状体６７１の２つの部位の間を橋渡しするように扇風機６１６を架けることである。
よって，ＩＤカード６５６の上の適切な位置（首や顔に向けて送風しやすい位置）に扇風機６１６を配置することができる効果を得ることができる。
また，図４２に示すように，扇風機６１６の支持台６６０を胸に接触させたままの状態で，送風部３０１の送風の方向を変えることなく，ＩＤカード６５６をカードリーダー６５７に近づけることができる効果を得ることができる。よって，「さらに，ＩＤカードを吊持する吊持具から支持可能な扇風機であって，前記ＩＤカードをカードリーダーに近づけても，前記扇風機の送風の方向が変わらない扇風機を提供する」という課題を解決することができる。
【００６７】
請求項５に記載の装置Ｂ５によれば，
「前記支持台から着脱可能に支持される棒状体を有し，
前記送風部は前記棒状体を介して前記支持台から支持される
請求項１から４のいずれかに記載の装置」が提供される。
【００６８】
これにより，前記装置は，図３１に示すように，２通りに使える効果を得ることができる。すなわち，「支持台６６０から棒状体３０８を離脱させた状態において握持可能な手持ち部としての棒状体３０８を備えた携帯扇風機６１６として使用できる効果」と，「支持台６６０に棒状体３０８を装着して首から吊り下げて手を離した状態においても首に向けて安定して送風できる効果」の両方を得ることができる。
【００６９】
請求項６に記載の装置Ｂ６によれば，
「前記吊持具を前記首に掛けた前記人体が着用する前記着用物に前記支持台を接触させた状態で
前記送風部を前記着用物に接触させずに
前記送風部を前記人体に向けて送風できる
請求項５に記載の装置」が提供される。
図３５に示すように，前記送風部が前記着用物である上着に接触しないことにより，「前記送風部が前記上着にぶつかることで前記送風部の向きが意図しない方向に変えられてしまう現象」を防止することができる効果を得ることができる。これにより，前記装置の送風がさらに安定化される。
【００７０】
請求項７に記載の装置Ｂ７によれば，
「前記棒状体を支持する支持部を前記支持台に有し，
前記吊持具を前記首に掛けた前記人体が着用する前記着用物に前記支持台を接触させた状態で
前記送風部を前記支持部の上に支持できる
請求項５又は６に記載の装置」が提供される。
これにより，図３０に示すように，送風部３０１が人体６０９の首に接近するように配置される効果を得ることができる。よって，人体６０９の首や顔や胸に気流が届きやすくなる効果を得ることができる。
【００７１】
請求項８に記載の装置Ｂ８によれば，
「前記支持部が前記棒状体を回動可能に支持できる
請求項７に記載の装置」が提供される。
これにより，図３５に示すように，送風部３０１による送風の向きを人体６０９の様々な部位に向けることができる効果を得ることができる。
【００７２】
請求項９に記載の装置Ｂ９によれば，
「前記棒状体を前記支持部に対して回動させたときに
前記送風部のファンガードが前記支持台にぶつかることなく
前記棒状体を３６０度回動できる
請求項７又は８に記載の装置」が提供される。
これにより，図３５に示すように，送風部３０１による送風の向きを人体６０９の様々な部位に向けることがさらに容易になる効果を得ることができる。
【００７３】
請求項１０に記載の装置Ｂ１０によれば，
「前記支持部が前記棒状体をスライド可能に支持できる
請求項７から９のいずれかに記載の装置」が提供される。
これにより，図３０に示すように，扇風機６１６を首に掛けたときに，支持台６６０と棒状体３０８の間は１７度傾いているため，棒状体３０８をスライドさせることによって，送風部３０１と人体６０９の間の距離を調整できる効果を得ることができる。
【００７４】
請求項１１に記載の装置Ｂ１１によれば，
「前記支持台において前記支持部を回動できる
請求項７から１０のいずれかに記載の装置」が提供される。
【００７５】
これにより，図３７，３８及び実施例２において詳細に説明されている効果である「手持ち式の携帯扇風機の棒状体と送風部の間に可動な部品がない場合であっても，送風部が顔に向くように調整することができる効果」を得ることができる。
【００７６】
請求項１２に記載の装置Ｂ１２によれば，
「前記支持台を前記着用物に接触させずに 
前記支持台を前記吊持具のみによって吊持したときに
前記棒状体の最も低い部分の位置が前記送風部の最も低い部分の位置よりも低くい状態で
前記支持台を前記吊持具から吊持することができる
請求項５から１１のいずれかに記載の装置」が提供される。
【００７７】
これにより，図３９及び実施例２において詳細に説明されている効果である「吊持具に吊るした扇風機をそのまま首に掛けたときに，棒状体の上に送風部が配置されやすくなり，手持ち式の携帯扇風機を正しい向き（送風部３０１が上で棒状体３０８が下）で首に掛けることが容易になる効果」を得ることができる。
【００７８】
請求項１３に記載の装置Ｂ１３によれば，
「前記支持台を前記着用物に接触させずに
前記支持台を前記吊持具のみによって吊持したときに
前記棒状体の重心の位置が前記送風部の重心の位置よりも低くい状態で
前記支持台を前記吊持具から吊持することができる
請求項５から１１のいずれかに記載の装置」が提供される。
請求項１３に記載の発明は，請求項１２に記載の発明と実質的に同じであり，発明を特定する事項を「最も低い部分の位置」の代わりに「重心の位置」としたものである。
【００７９】
請求項１４に記載の装置Ｂ１４によれば，
「前記棒状体と前記送風部の間に少なくとも１つの可動な部品
を有する
請求項５から１３のいずれかに記載の装置」が提供される。
図３６に示すように，棒状体３０８と送風部３０１の間に少なくとも１つの可動な部品である蝶番部３０７を設けることにより，送風部３０１の向きを調整できるようになる。これにより，送風部３０１を人体６０９の顔に向けることが容易にできるようになる効果を得ることができる。
【００８０】
請求項１５に記載の装置Ｂ１５によれば，
「前記棒状体に内包又は内設された電源と，
前記送風部に内包又は内設された電動機と，
前記電動機によって駆動される羽根車と，
前記電源と前記電動機を電気的に接続する電気伝導体と，
を有する
請求項５から１４のいずれかに記載の装置」が提供される。
【００８１】
請求項１６に記載の装置Ｂ１６によれば，
「前記吊持具から前記支持台を離脱させることができ，
かつ，
前記吊持具から前記支持台を離脱させた状態で
前記吊持具は前記送風部を吊持できる
請求項１から１５のいずれかに記載の装置」が提供される。
図３１に示す装置は，輪状体６７２又は糸状体６７２を介して棒状体３０８が吊持具６７０から吊持される。これにより，図３０に示すように，吊持具６７０と棒状体３０８と支持台６６０の３つの部品が全て相互に支持しあう状態となる。このため，前記３つの部品の間のいずれかの支持が意図せずに外れてしまった場合であっても，前記３つの部品の全てが落下せずに吊持され続ける効果を得ることができる。よって，部品を落下させることによる破損事故を防ぎやすくなる効果を得ることができる。
【００８２】
請求項１７に記載の装置Ｂ１７によれば，
「前記吊持具は前記支持台の下に物品を吊持できる
請求項１から１６のいずれかに記載の装置」が提供される。
【００８３】
これにより，前記装置は，図４１に示すように，吊持具６７０の環状体６７１の間に扇風機６１６を懸架した状態で，同じ吊持具６７０によって物品であるＩＤカード６５６を適切な位置に吊持することができる。よって，ＩＤカード６５６の上の適切な位置（首や顔に向けて送風しやすい位置）に送風部３０１を配置することができる効果を得ることができる。
【００８４】
また，図４２に示すように，扇風機６１６の支持台６６０を胸に接触させたままの状態で，送風部３０１の送風の方向を変えることなく，ＩＤカード６５６をカードリーダー６５７に近づけることができる効果を得ることができる。
【００８５】
よって，「さらに，ＩＤカードを吊持する吊持具から支持可能な扇風機であって，前記ＩＤカードをカードリーダーに近づけても，前記扇風機の送風の方向が変わらない扇風機を提供する」という課題を解決することができる。
【００８６】
請求項１８に記載の装置Ｂ１８によれば，
「請求項１から１７のいずれかに記載の装置に用いる
前記支持台」が提供される。
【００８７】
請求項１９に記載の装置Ｂ１９によれば，
「請求項１から１７のいずれかに記載の装置に用いる
前記支持台と前記吊持具を備えた首掛け具」が提供される。
【００８８】
請求項２０に記載の装置Ｂ２０によれば，
「請求項７から１１のいずれかに記載の装置に用いる
前記支持部の棒持台」が提供される。
【００８９】
請求項２１に記載の装置Ｂ２１によれば，
「環状体を有する吊持具と，
前記吊持具からスライド可能に支持される少なくとも２つのスライダーと，
前記スライダーから支持される接触部と，
前記スライダーから支持される送風部と，
を有し，
前記環状体を開環せずに前記スライダーは前記環状体を着脱でき，
かつ，
前記吊持具を首に掛けた人体が着用する着用物に前記接触部を接触させた状態で
前記送風部を前記人体に向けて送風できる装置 」が提供される。
これにより，図３３，３４及び実施例２において詳細に説明されている効果である「扇風機を首に掛けた状態で，送風部と首の間の距離を調整できる効果」を得ることができる。よって，「送風部と首の間の距離を素早く調整でき，また，前記調整の作業をする手元を目視しながら作業でき，さらに，脇を開かずに胸の前で前記作業をすることができる扇風機を提供する」という課題を解決することができる。
また，前記装置の吊持具６７０として，ＩＤカード６５６を吊持できる輪状体又は糸状体を環状体６７１に有する吊持具（日本では「松葉つきのネックストラップ」として一般的に使用されている吊持具）を使用することによって，図４１に示すように，１つの吊持具６７０によってＩＤカード６５６を適切な位置に吊持しながら，同じ吊持具６７０の環状体６７１の間に扇風機６１６を懸架することができる。よって，ＩＤカード６５６の上の適切な位置（首や顔に向けて送風しやすい位置）に扇風機６１６を配置することができる効果を得ることができる。
また，図４２に示すように，扇風機６１６の支持台６６０を胸に接触させたままの状態で，送風部３０１の送風の方向を変えることなく，ＩＤカード６５６をカードリーダー６５７に近づけることができる効果を得ることができる。
よって，「さらに，ＩＤカードを吊持する吊持具から支持可能な扇風機であって，前記ＩＤカードをカードリーダーに近づけても，前記扇風機の送風の方向が変わらない扇風機を提供する」という課題を解決することができる。
なお，請求項２１に記載の発明は，実質的に請求項４に記載の発明と同一である。すなわち，請求項４に記載の「支持台」という名称の代わりに，「スライダー」と「接触部」の２つの名称を用いて請求項４に記載の発明を特定する事項を表現し直したものが請求項２１である。すなわち，図４１に記載の吊持具６７０からスライド可能に支持される支持台６６０の「スライドする部分」がスライダー６６１である。また，図４１に記載の着用物６２０と接触する支持台６６０の「接触する部分」が接触部６６３である。
【００９０】
請求項２２に記載の装置Ｂ２２によれば，
「前記吊持具から前記スライダーを離脱させることができ，
かつ，
前記吊持具から全ての前記スライダーを離脱させた状態で
前記吊持具は前記送風部を吊持できる
請求項２１に記載の装置」が提供される。
図３１に示す装置は，輪状体６７２又は糸状体６７２を介して棒状体３０８が吊持具６７０から吊持される。これにより，図３０に示すように，吊持具６７０と棒状体３０８と支持台６６０の３つの部品が全て相互に支持しあう状態となる。このため，前記３つの部品の間のいずれかの支持が意図せずに外れてしまった場合であっても，前記３つの部品の全てが落下せずに吊持され続ける効果を得ることができる。よって，部品を落下させることによる破損事故を防ぎやすくなる効果を得ることができる。
【００９１】
請求項２３に記載の装置Ｂ２３によれば，
「前記吊持具は前記スライダーの下に物品を吊持できる
請求項２１又は２２に記載の装置」が提供される。
【００９２】
請求項２４に記載の装置Ｂ２４によれば，
「請求項２１から２３のいずれかに記載の装置に用いる
前記スライダーと，
前記接触部と，
前記送風部と，
を有する
扇風機」が提供される。
【００９３】
請求項２５に記載の装置Ｂ２５によれば，
「請求項２１から２３のいずれかに記載の装置に用いる
前記スライダーと，
前記接触部と，
を有する
支持台」が提供される。
【００９４】
以上により，課題１から４の全てが解決される。
【図面の簡単な説明】
【００９５】
【図１】送風部３０１を支持する取付器具６２２を人体６０９によって着用された上着６２０の襟６２１に掛けた様子の図である。
【図２】腕６２３とウイング６２４と送風部３０１を有する取付器具６２２の図である。
【図３】上着６２０を抱持する取付器具６２２のウイング６２４と，ヘルメット６４０を抱持する取付器具６４２のウイング６４４の両方に対して送風部３０１が送風する気流を当てることができることを示す図である。送風部３０１から送風される気流を示す矢印はグレーに塗られている。
【図４】上着６２０の縁６２１又は襟６２１を抱持する取付器具６２２の腕６２３の内側部分６２７と人体６０９の間にできる空洞６３３を送風部３０１から送風された気流が通過できることを示すための背面及び右側面を表す図である。送風部３０１から送風される気流を示す矢印はグレーに塗られている。
【図５】上着６２０の縁６２１又は襟６２１を抱持する取付器具６２２の腕６２３の内側部分６２７と人体６０９の間にできる空洞６３３を送風部３０１から送風された気流が通過できることを示すための背面及び底面を表す図である。送風部３０１から送風される気流を示す矢印はグレーに塗られている。
【図６】上着６２０の襟６２１を抱持する取付器具６２２のウイング６２４に向けて送風された気流が腕６２３と人体６０９の間に形成された空洞６３３を通過して腕６２３の端に設けられた足６３２の間の隙間６３４や腕６２３の端と足６３２によって形成される穴６３７を通過して上着６２０の内側に噴出する様子の図である。図６には上着６２０は描かれていないが，取付器具６２２は上着６２０の襟６２１を抱持しているものとし，上着６２０の内側における気流が描かれている。気流を示す矢印はグレーに塗られている。
【図７】着用物である上着６２０の縁６２１又は襟６２１を抱持できる腕６２３と，腕６２３の上に支持される風向調整体であるウイング６２４と，腕６２３の内側部分６２７の両側の端６８４に設けられた足６３２と，腕６２３の内側部分６２７の先端６８５に設けられた足６３２と，腕６２３の内側部分６２７の端６８４／６８５と足６３２によって形成される穴６３７と，腕６２３と足６３２とウイング６２４によって形成される穴６３８と，腕６２３の外側部分６２６に回動可能に設けられた支持部２１０と，を有する取付器具６２２の正面図である。
【図８】図７に記載の取付器具６２２の左面図である。この取付器具６２２は左右対称であるため，右面図は図７の左右を反転させた図と同じである。
【図９】図７に記載の取付器具６２２の背面図である。
【図１０】図９に記載の取付器具６２２のＡ−Ａ線断面図である。腕６２３の内側部分６２７の内面６３１が概ねに凹形状又はＵ形状の面６３９を有することを表す断面６８０はグレーに塗られている。
【図１１】図７に記載の取付器具６２２の平面図である。
【図１２】図７に記載の取付器具６２２の底面図である。
【図１３】図７に記載の取付器具６２２の正面，平面及び左側面を表す図である。
【図１４】図７に記載の取付器具６２２の正面，底面及び左側面を表す図である。
【図１５】図７に記載の取付器具６２２の背面，平面及び左側面を表す図である。
【図１６】図７に記載の取付器具６２２の背面，底面及び左側面を表す図である。
【図１７】取付器具６２２の腕６２３の外側部分６２６の外面６２８に設けられた支持部２１０の軸受となる穴２３３に支持部２１０の棒持台２４４が備える軸を嵌合させることで回動できる可動部２１５を備える支持部２１０の棒持台２４４の棒持面２４５に回動可能かつスライド可能に挿入された棒状体３０８が送風部３０１を支持することを示す分解図である。
【図１８】取付器具６２２の腕６２３の外側部分６２６から支持される送風部３０１と腕６２３の外側部分６２６の間にある可動な部分の動きを説明する図である。
【図１９】取付器具６２２の腕６２３は弾力性のある部材でできており，適度な力６８７を加えることによって，腕６２３の外側部分６２６と腕６２３の内側部分６２７の間６８６を開閉することができることを示す図である。
【図２０】机面６００に接触する足６３２によって支持される腕６２３の上に回動可能に支持される支持部２１０によって回動可能かつスライド可能に支持される棒状体３０８によって蝶動可能に支持される送風部３０１を有する図１８に記載の扇風機３００は，机面６００の上に立った状態で机面６００に接触する足６３２の位置を動かさずに図１８に記載の可動な部分だけを動かすことにより送風部３０１の向きをあらゆる方位に向けることができる特徴を有することを示す図である。
【図２１】取付部分６２２の腕６２３の内側部分６２７の両側の端６８４及び先端６８５に設けられた３つの足６３２は机面６００に接触させたときにぐらつかないで置くことができることを示す図である。
【図２２】人体６０９が着用する上着６２０の襟６２１から支持される送風部３０１が送風する気流が人体６０９の頭部が着用するヘルメット６４０と頭部の間の隙間６３５に流入することができることを示す図である。
【図２３】人体６０９が着用する上着６２０の襟６２１を抱持する取付器具６２２の支持部２１０から着脱可能に支持される棒状体３０８から支持される送風部３０１を有する扇風機３００は取付器具６２２を襟６２１に着けた状態のままで支持部２１０から棒状体３０８を離脱させて棒状体３０８を手持ち部とする携帯扇風機として使用できることを示す図である。
【図２４】図１に記載のヘルメット６４０の縁６４１を抱持する取付器具６４２の正面図である。
【図２５】図１に記載のヘルメット６４０の縁６４１を抱持する取付器具６４２の正面図である図２４のＢ−Ｂ線断面図である。断面はグレーで塗られている。
【図２６】図１に記載のヘルメット６４０の縁６４１を抱持する取付器具６４２の斜視図である。
【図２７】図１に記載のヘルメット６４０の縁６４１を抱持する取付器具６４２の斜視図である。
【図２８】環状体６７１を有する吊持具６７０と，吊持具６７０の少なくとも２か所で支持される図７から１６に記載の支持台６６０と，支持台６６０から着脱可能に支持される棒状体３０８と，棒状体３０８から支持される送風部３０１と，を有する図１７から２１に記載の携帯扇風機である。
【図２９】人体６０９の首に掛けられた吊持具６７０から支持される支持台６６０を上着６２０の胸部に接触させた状態で送風部３０１を上着６２０に接触させずに送風部３０１を人体６０９の胸又は首に向けて送風できる図２８に記載の扇風機である。
【図３０】棒状体３０８を支持する支持部２１０を支持台６６０に有し，人体６０９の首に掛けられた吊持具６７０から支持される支持台６６０を上着６２０に接触させた状態で送風部３０１を支持部２１０の上に支持できる図２８から２９に記載の扇風機である。
【図３１】環状体６７１から支持される輪状体６７２又は糸状体６７２を有する吊持具６７０と，輪状体６７２又は糸状体６７２が通過できる穴６７３が設けられた棒状体３０８又は送風部３０１と，を有する図２８から３０に記載の扇風機を首から吊り下げた状態で安全に支持台６６０に着脱する方法を説明する図である。
【図３２】環状体６７１を開環せずに，支持台６６０に設けられたスライダー６６１に対して環状体６７１を着脱できる図７から１６に記載の支持台６６０の図である。
【図３３】吊持具６７０の少なくとも２か所でスライド可能に支持される図３２に記載の支持台６６０の正面図である。
【図３４】吊持具６７０の少なくとも２か所でスライド可能に支持される図３２に記載の支持台６６０の背面図である。
【図３５】支持台６６０の支持部２１０が回動可能に支持する棒状体３０８を支持部２１０に対して回動させたときに，送風部３０１のファンガード３０５が支持台６６０にぶつかることなく棒状体３０８を３６０度回動できる図２８から３０に記載の扇風機の図である。
【図３６】棒状体３０８と送風部３０１の間に可動な部品である蝶番部３０７を有する図２８から３０に記載の扇風機の図である。
【図３７】支持台６６０において支持部２１０を回動できる図２８から３０に記載の扇風機は，棒状体３０８と送風部３０１の間に可動な部品がなくても，送風部３０１が人体６０９の顔に向くように調整することができることを示す正面及び平面の図である。
【図３８】支持台６６０において支持部２１０を回動できる図２８から３０に記載の扇風機は，棒状体３０８と送風部３０１の間に可動な部品がなくても，送風部３０１が人体６０９の顔に向くように調整することができることを示す正面，平面及び右側面の図である。
【図３９】支持台６６０を上着６２０に接触させずに支持台６６０を吊持具６７０のみによって吊持したときに棒状体３０８の最も低い部分の位置６８２が送風部３０１の最も低い部分の位置６８１よりも低くい状態で支持台６６０を吊持具６７０から吊持することができる装置は，送風部３０１よりも棒状体３０８の方が低い位置にあるので，支持台６６０の背面が胸の方を向いた状態で吊持される。このため，そのまま吊持具６７０を首に掛けたときに，棒状体３０８の上に送風部３０１が配置されやすくなる。よって，手持式機器６１６を正しい向き（送風部３０１が上で棒状体３０８が下）で首に掛けることが容易になる効果を得ることができることを示す図である。
【図４０】支持台を上着６２０に接触させずに支持台を吊持具６７０のみによって吊持したときに棒状体３０８の最も低い部分の位置６８２が送風部３０１の最も低い部分の位置６８１よりも高い状態で前記支持台を吊持具６７０から吊持することができる装置は，送風部３０１よりも棒状体３０８の方が高い位置にあるので，支持台６６０の背面が胸の方を向いていない状態で吊持される。このため，そのまま吊持具６７０を首に掛けたときに，棒状体３０８の上に送風部３０１が配置されにくくなる（手持式機器６１６がひっくり返った状態である「送風部３０１が下で棒状体３０８が上の状態」に配置されやすくなる）。よって，手持式機器６１６を正しい向き（送風部３０１が上で棒状体３０８が下）で首に掛けることは困難になることを示す図である。
【図４１】環状体６７１を有する吊持具６７０と，吊持具６７０から支持される少なくとも２つのスライダー６６１と，スライダー６６１から支持される接触部６６３と，スライダー６６１から支持される送風部３０１と，を有し，スライダー６６１は環状体６７１を開環せずに環状体６７１を着脱でき，スライダー６６１は環状体６７１の少なくとも２か所でスライド可能に吊持具６７０から支持され，かつ，人体６０９の首に掛けられた吊持具６７０から支持されるスライダー６６１から支持される接触部６６３を人体６０９によって着用された上着６２０に接触させた状態で送風部３０１を人体６０９に向けて送風できる装置は，吊持具６７０によってＩＤカード６５６を適切な位置に吊持しながら，同じ吊持具６７０で同時に扇風機６１６を適切な位置に支持することができることを示す図である。
【図４２】図４１に記載の装置の扇風機６１６の支持台６６０を人体６０９の胸に接触させた状態で，送風部３０１の送風の方向を変えることなく，ＩＤカード６５６をカードリーダー６５７に近づける動作６９２をすることができることを示す図である。
【図４３】タオル７００の全体形状と端部７０３の位置関係を説明する図である。端部７０３はグレーに塗られている。
【図４４】タオル７００の中央部７０２を首に掛けた人体６０９によって吊持されるタオル７００の左右の端部７０３のそれぞれから支持（吊持）される取付器具６２２の支持部２１０から支持される棒状体３０８に連結された送風部３０１から送風される気流を人体６０９の首およびタオル７００の中央部７０２およびタオル７００の端部７０３に安定的に当てることができる様子の図である。
【図４５】取付器具６２２の右上と左上にそれぞれ設けられた穴６３８のそれぞれにタオル７００の左右の端部７０３のぞれぞれを通過させ，さらに左右の端部７０３のそれぞれを取付器具６２２の腕６２３の外側部分６２６と内側部分６２７の間に挟持させることにより，取付器具６２２をタオル７００から安定的に吊持した様子の斜視図である。
【図４６】取付器具６２２の右上と左上にそれぞれ設けられた穴６３８のそれぞれにタオル７００の左右の端部７０３のぞれぞれを通過させ，さらに左右の端部７０３のそれぞれを取付器具６２２の腕６２３の外側部分６２６と内側部分６２７の間に挟持させることにより，取付器具６２２をタオル７００から安定的に吊持した様子の正面図である。
【図４７】取付器具６２２の右上と左上にそれぞれ設けられた穴６３８のそれぞれにタオル７００の左右の端部７０３のぞれぞれを通過させ，さらに左右の端部７０３のそれぞれを取付器具６２２の腕６２３の外側部分６２６と内側部分６２７の間に挟持させることにより，取付器具６２２をタオル７００から安定的に吊持した様子の背面図である。
【図４８】机面６００の上に置かれた布面６０１の上に置かれた実施例７に記載の装置Ｇ１の斜視図である。布面６０１の表面又は机面６００に支持台６６０の接触部６３２を接触させた状態で，支持台６６０から支持される支持部２１０から支持される棒状体３０８から支持される送風部３０１は，支持台６６０から回動可能かつ蝶動可能かつ変動可能に支持されている。
【図４９】机面６００の上に置かれた布面６０１の上に置かれた図４８に記載の装置Ｇ１を真横から眺めた図である。送風部３０１から机面６００及び布面６０１に向けて送風された気流の一部は，風向調整体６２４により導かれて穴６３８を通過した後，支持台６６０と布面６０１の間に形成される空洞６３３を通過してから，穴６３７又は隙間６３４から支持台６６０の外側に放出される。支持台６６０の接触部６３２の端は尖ることなく滑らかに上方に向かって湾曲することにより，接触部６３２の端に滑曲面６６４が設けられている。滑曲面６６４があることによって，支持台６６０の接触部６３２を布面６０１の表面に接触させた状態で，支持台６６０と布面６０１を相互にスライドさせても，布面６０１に接触部６３２の端が引っかかることなく，滑らかにスライドさせることができる効果を得ることができる。
【図５０】人体６０９の首から吊持された実施例７に記載の装置Ｇ１の送風部３０１を机面６００に向けて気流を送風する様子の図である。
【発明を実施するための形態】
【実施例１】
【００９６】
図１に示すように，送風部３０１を支持する取付器具６２２を人体６０９が着用する上着６２０の襟６２１に掛けることができる。
【００９７】
人体６０９の上半身が着用する着用物である上着６２０の縁６２１又は襟６２１を抱持する腕６２３の内側部分６２７は上着６２０と人体６０９の間に挿入される。人体６０９が人体６０９と上着６２０の間に下着６５５を着用しているときは，腕６２３の内側部分６２７は上着６２０と下着６５５の間又は下着６５５と人体６０９の間に挿入されている。
【００９８】
腕６２３の内側部分６２７は上着６２０の内側から上着６２０又は下着６５５に接触する。腕６２３の外側部分６２６は上着６２０の外側から上着６２０に接触する。
【００９９】
腕６２３とウイング６２４を有する取付器具６２２は上着６２０から支持される。上着６２０から支持される取付器具６２２の腕６２３の外側部分６２６から支持される送風部３０１は上着６２０から支持される。
【０１００】
取付器具６２２のウイング６２４は上着６２０の縁６２１又は襟６２１の上に配置される。風向調整体であるウイング６２４の風向調整面６２５は送風部３０１に向けられている。ウイング６２４は人体６０９の首又は頭部又は背中又は上半身と送風部３０１の間に位置する。送風部３０１は上着６２０の外側に配置され，送風部３０１が送風する気流をウイング６２４及び人体６０９（首又は背中）に同時に向けることができる。
【０１０１】
取付器具６２２の腕６２３が上着６２０の外側と内側からクリップ式に挟むようにようにして襟６２１を抱持する。このため，人体６０９が上着６２０を着用した状態のままで，取付器具６２２を簡単に上着６２０に着脱できる。
【０１０２】
人体６０９の頭部が着用する着用物であるヘルメット６４０の縁６４１を抱持する腕６４３の内側部分６４７はヘルメット６４０と人体６０９（頭部）の間に挿入される。
【０１０３】
腕６４３の内側部分６４７はヘルメット６４０の内側からヘルメット６４０に接触する。腕６４３の外側部分６４６はヘルメット６４０の外側からヘルメット６４０に接触する。
【０１０４】
腕６４３とウイング６４４を有する取付器具６４２はヘルメット６４０から支持される。図１において，ヘルメット６４０から支持される取付器具６４２は送風部を有さない。
【０１０５】
取付器具６４２のウイング６４４はヘルメット６４０の縁６４１の下に配置される。風向調整体であるウイング６４４の風向調整面６４５は送風部３０１に向けられている。ウイング６４４は人体６０９（首又は頭部）と送風部３０１の間に位置する。送風部３０１はヘルメット６４０から離れた位置に配置され，送風部３０１が送風する気流をウイング６４４に対して当てることができる。
【０１０６】
取付器具６４２の腕６４３がヘルメット６４０の外側と内側からクリップ式に挟むようにようにして縁６４１を抱持する。このため，人体６０９がヘルメット６４０を着用した状態のままで，取付器具６４２を簡単にヘルメット６４０に着脱できる。
【０１０７】
図２に示す取付器具６２２は，腕６２３とウイング６２４と送風部３０１を有する取付器具６２２である。
【０１０８】
腕６２３の外側部分６２６と腕６２３の内側部分６２７を腕６２３は有する。腕６２３の外側部分６２６と腕６２３の内側部分６２７の間の連結部分６８３はウイング６２４を支持する。腕６２３の内側部分６２７に設けられた足６３２がウイング６２４を支持することにより腕６２３の内側部分６２７はウイング６２４を支持する。
【０１０９】
腕６２３の外側部分６２６から支持される送風部３０１は腕６２３の外側部分６２６に回動可能に定設された支持部２１０を介して腕６２３の外側部分６２６から支持される。
【０１１０】
外面６２８に対して垂直な法線よりも斜め下の角度から外面６２８に対して気流が当たるように送風部３０１の角度を外面６２８に対して傾けるように支持部２１０が送風部３０１を支持する。このため，送風部３０１が送風する気流が腕６２３の外側部分６２６の外面６２８に対して当たった後の気流の向きは上方向に向かいやすくなり，人体６０９の顔や頭部に風が届きやすくなる効果を得る。
【０１１１】
なお，取付器具６２２をヘルメット６４０の縁６４１に抱持させて送風部３０１を腕６２３から支持させたときは，ウイング６２４に対して当てられた気流はヘルメット６４０の内側に流入する。
【０１１２】
図３に示す装置は，上着６２０を抱持する取付器具６２２のウイング６２４とヘルメット６４０を抱持する取付器具６４２のウイング６４４の両方に対して，上着６２０の襟６２１から支持される送風部３０１が送風する気流を当てることができる。
【０１１３】
送風部３０１から送風される気流は上着６２０の縁６２１又は襟６２１を抱持する腕６２３の上に配置されるウイング６２４の風向調整面６２５に対して当たる。これにより，気流の一部は上着６２０の内側空間（上着６２０と人体６０９の間にある空間）へ導かれる。
【０１１４】
送風部３０１から送風される気流は上着６２０の縁６２１又は襟６２１を外側から抱持する腕６２３の外側部分６２６の外面６２８及びその周辺に対して当たる。これにより，気流の一部は上着６２０の外側表面（外側にある表面）へ導かれる。
【０１１５】
送風部３０１から送風される気流はヘルメット６４０の縁６４１を抱持する腕６４３の下に配置されるウイング６４４の風向調整面６４５に対して当たる。これにより，気流の一部はヘルメット６４０の内側空間（ヘルメット６４０と人体６０９の間にある空間）へ導かれる。
【０１１６】
送風部３０１から送風される気流はヘルメット６４０の縁６４１をヘルメット６４０の外側から抱持する腕６４３の外側部分６４６の外面６４８及びその周辺に対して当たる。これにより，気流の一部はヘルメット６４０の外側表面（外側にある表面）へ導かれる。
【０１１７】
ウイング又は外面に対して当たらなかった気流は直進して人体６０９の首や頭部に対して当たる。
以上により，１つの送風部３０１から上着６２０の内側空間，上着６２０の外側表面，ヘルメット６４０の内側空間，ヘルメット６４０の外側表面，上着６２０とヘルメット６４０の間に露出する人体６０９の部分に同時に送風できる扇風機３００の装置が提供される。
【０１１８】
また，ヘルメット６４０を抱持する取付器具６４２は送風部３０１を有さないため軽いことから，ヘルメット６４０を着用する頭部を支える首への負担が軽減される効果を得ることができる。
【０１１９】
図４に示す扇風機３００は，上着６２０の縁６２１又は襟６２１を抱持する取付器具６２２の腕６２３の内側部分６２７と人体６０９の間にできる空洞６３３を送風部３０１から送風された気流が通過できる扇風機３００である。
【０１２０】
送風部３０１から送風された気流はウイング６２４の風向調整面６２５に対して当たることで腕６２３の内側部分６２７の内面６３１と人体６０９の間にできる空洞６３３に導かれる。腕６２３の内側部分６２７の内面６３１は人体６０９に向けて概ねに凹形状又はＵ形状の面６３９を有しており，腕６２３の内側部分６２７の端に設けられた足６３２が接触する人体６０９と内面６３１の間に空洞６３３が形成される。
【０１２１】
空洞６３３に流入した気流は１以上ある足６３２の間の隙間６３４又は腕６２３の内側部分６２７の端に設けられた穴６３７から上着６２０の内側空間（正確には，腕６２３の内側部分６２７の外側にある空間かつ上着６２０の内側空間）へ流出できるため，気流は空洞６３３を通過することができる。
【０１２２】
穴６３８を通過した気流は空洞６３３に流入して空洞６３３を通過した後に上着６２０の内側へ流出する。これにより，上着６２０の内側に気流を導くことができる。ウイング６２４があることによって，空洞６３３に流入する気流の量を増やす効果を得ることができる。
【０１２３】
なお，本明細書において，立体が有する面の形状が「概ねに凹形状」であるとは，該立体の断面の境界線の形状が概ねに凹形状の曲線となる形状である。
例えば，図９に示された腕６２３をＡ−Ａ線でカットした断面図である図１０に示された断面６８０（グレーで塗られているエリア）の境界線（腕６２３の内側部分６２７の内面６３１と空洞６３３の間の境界を示す線）は，概ねに凹形状又はＵ形状である。よって，内面６３１は概ねに凹形状又はＵ形状の面６３９を有するから，「腕６２３は概ねに凹形状又はＵ形状の面６３９を有する」と判定される。
なお，立体が概ねに凹形状の面を有するかどうかを判定する具体的な方法としては，
（１）前記立体の大凡の形状を目視によって判定する方法，
（２）前記立体の表面に指又は掌をあてて大凡の形状を判定する方法，
（３）前記立体の形状をスキャナでコンピュータにとりこみ，これにガウス関数等をオペレータとするコンボリューション（畳み込み演算）の処理を施すことで平滑化した形状を得てから目視で判定する方法，
（４）前記立体の形状を一方向に切ったときの断面の境界線を凹型の曲線と凸型の曲線で近似したときに，より近似精度の高い方の曲線の型を判定結果とする方法，
の少なくとも１つを利用することは当業者にとって容易である。
【０１２４】
図５に示す扇風機３００は，上着６２０の縁６２１又は襟６２１を抱持する取付器具６２２の腕６２３の内側部分６２７と人体６０９の間にできる空洞６３３を送風部３０１から送風された気流が通過できる扇風機３００である。
【０１２５】
送風部３０１から送風された気流はウイング６２４の風向調整面６２５に対して当たった後に，ウイング６２４と腕６２３と足６３２によって形作られる穴６３８を通過する。腕６２３の内側部分６２７の内面６３１は概ねに凹形状又はＵ形状の面６３９を有しており，腕６２３の内側部分６２７の両側の端６８４及び先端６８５に設けられた３つの足６３２の間に位置する。
【０１２６】
このため，足６３２を人体６０９又は下着６５５に接触させたときに腕６２３の内側部分６２７の内面６３１と人体６０９又は下着６５５の間に空洞６３３ができる。腕６２３の内側部分６２７の内面６３１が概ねに凹形状又はＵ形状の面６３９を有していることによって，上着６２０と人体６０９又は下着６５５の間に気流が通過できる空間が確保される効果を得ることができる。
【０１２７】
図６に示すように，上着６２０の襟６２１を抱持する取付器具６２２のウイング６２４に向けて送風された気流は腕６２３と人体６０９の間に形成された空洞６３３を通過して腕６２３の端に設けられた足６３２の間の隙間６３４や腕６２３の端と足６３２によって形成される穴６３７を通過して上着６２０の内側に噴出することができる。ただし，図６には上着６２０は描かれていないが，取付器具６２２は上着６２０の襟６２１を抱持しているものとし，上着６２０の内側における気流が描かれている。
【０１２８】
着用物である上着６２０の縁６２１又は襟６２１を抱持できる腕６２３と，腕６２３の上に支持される風向調整体であるウイング６２４と，腕６２３の内側部分６２７の両側の端６８４に設けられた足６３２と，腕６２３の内側部分６２７の先端６８５に設けられた足６３２と，腕６２３の内側部分６２７の端と足６３２によって形成される穴６３７と，腕６２３と足６３２とウイング６２４によって形成される穴６３８と，腕６２３の外側部分６２６に回動可能に設けられた支持部２１０と，を有する取付器具６２２を図７から１６の図面に基づいて製造することは当業者にとって容易である。
【０１２９】
図１７は，取付器具６２２の腕６２３の外側部分６２６の外面６２８に設けられた支持部２１０の軸受となる穴２３３に支持部２１０の棒持台２４４が備える軸を嵌合させることで回動できる可動部２１５を備える支持部２１０の棒持台２４４の棒持面２４５に回動可能かつスライド可能に挿入された棒状体３０８が送風部３０１を支持することを説明するための分解図である。
【０１３０】
送風部３０１に内設された電動機３０３は棒状体３０８の内部に設けられた電源３０４である充電可能なリチウムイオン電池３０４に電気伝導体３１２を介して電気的に接続されることで送風部３０１のファンガード３０５に内包された羽根車３０２を駆動して送風する。前記リチウムイオン電池３０４は電池ケースの蓋３１０によって棒状体３０８に内包されており，棒状体３０８又は送風部３０１に設けられたスイッチ３０９により電気伝導体３１２への通電状態を制御することができる。
【０１３１】
図１７では蝶番部３０７を介して蝶動可能に棒状体３０８から送風部３０１が支持されている。
【０１３２】
本発明の可能な他の実施形態としては，送風部３０１と棒状体３０８の間に回動可能な軸と軸受を有する変動部を介することにより，棒状体３０８から送風部３０１が支持されていてもよい。
【０１３３】
また，本発明の可能な他の実施形態としては，棒状体３０８に支持される蝶番部３０７を介して支持される前記変動部を介することにより，棒状体３０８から送風部３０１が支持されていてもよい。
【０１３４】
また，本発明の可能な他の実施形態としては，送風部３０１と棒状体３０８の間に柔軟性のある部材を用いる変形可能な変動部を介することにより，棒状体３０８から送風部３０１が支持されていてもよい。
【０１３５】
また，本発明の可能な他の実施形態としては，送風部３０１が棒状体３０８に直接固定されることにより，棒状体３０８から送風部３０１が支持されていてもよい。
【０１３６】
なお，本明細書において，上記の「蝶番部」を介して１つの部品を他の部品から支持可能に設けることを「蝶着」とよぶ。また，上記のいずれかの「変動部」を介して１つの部品を他の部品から支持可能に設けることを「変動着」とよぶ。「変動着」とは，相互の位置関係が変動可能に着設することである。変動部に蝶番を用いた場合の変動着は蝶着となる。前記蝶番部の代わりに変動部を用いてもよく，前記変動部を介して前記送風部に前記棒状体を変動着してもよい。また，変動部に折れ曲がる柔軟性のある部品を用いた場合の変動着は折れ曲がるように変動可能に着設することである。また，変動部に回動可能な部品を用いた場合の変動着は回動可能に着設することである。前記送風部と前記棒状体の間の相対的な位置関係が変動可能に着設できるあらゆる部品を変動部として用いることができる。すなわち，変動部は蝶番部の概念を含む上位概念であり，変動着は蝶着の概念を含む上位概念である。
【０１３７】
図１８に示す扇風機３００は，取付器具６２２の腕６２３の外側部分６２６から支持される送風部３０１と腕６２３の外側部分６２６の間にある４つの可動な部分３２４／３２５／３２６／３２７を有する。
【０１３８】
取付器具６２２の腕６２３の外側部分６２６から支持される送風部３０１と腕６２３の外側部分６２６の間には回動可能な部分３２５／３２７が２以上ある。これにより，送風部３０１をあらゆる方向に向けることができる効果を得ることができる。
【０１３９】
取付器具６２２の腕６２３の外側部分６２６から支持される送風部３０１と腕６２３の外側部分６２６の間には横動可能又はスライド可能な部分３２６がある。これにより，取付器具６２２が上着６２０の襟６２１を図１のように抱持したときに送風部３０１の高さを調整することができる。よって，襟６２１の高さが様々に異なる上着６２０に取付器具６２２を取り付けたときでも，送風部３０１の高さを適切な位置に調整できる効果を得ることができる。
【０１４０】
取付器具６２２の腕６２３の外側部分６２６から支持される送風部３０１と腕６２３の外側部分６２６の間には蝶動可能な部分３２４がある。これにより，上着６２０の胸側にある襟６２１又は胸側にある台衿又は胸ポケットに取付器具６２２を抱持させたときに，蝶番部３０７の蝶動の角度を調整することで送風部３０１の送風の向きを上着６２０を着用する人体６０９の顔に向けることができる効果を得ることができる。
【０１４１】
取付器具６２２の腕６２３の外側部分６２６から支持される送風部３０１と腕６２３の外側部分６２６の間にある可動な部分をさらに増やす変更又は減らす変更は当業者にとって容易である。
【０１４２】
図１９に示すように，取付器具６２２の腕６２３は弾力性のある部材でできており，適度な力６８７を加えることによって，腕６２３の外側部分６２６と腕６２３の内側部分６２７の間６８６を開閉することができる。
【０１４３】
腕６２３に用いる弾力性のある部材によって，腕６２３がクリップ式に挟み込んだ着用物を適度な圧力で締め付けるように調整することは当業者にとって容易に調整可能である。腕６２３の部材として用いることができる適切な素材をポリマー又は金属から選ぶことは当業者にとって容易である。
【０１４４】
前記ポリマーとしてはポリエチレン，ポリプロピレン，ナイロン，ポリスチレン，ポリ塩化ビニル，ポリメタクリル酸メチル，ポリテトラフルオロエチレン，ポリカーボネート，ポリエチレンテレフタレート，ＡＳ樹脂，ＡＢＳ樹脂，エチレン酸ビコポリマー，アセタール樹脂，酢酸セルロース樹脂，ポリウレタン，ＴＰＵ樹脂，熱可塑性樹脂，熱可塑性ポリウレタンエラストマー，合成ゴム，天然ゴムを用いることは当業者にとって容易である。より好適にはポリプロピレン，ナイロン，ポリ塩化ビニル，ＡＢＳ樹脂を用いて取付器具６２２を製造することができる。
【０１４５】
また，図７から１９に記載の取付器具６２２の腕６２３の内側部分６２７の長さをさらに伸ばし，気流が通過できる空洞６３３を人体６０９の背中のさらに下まで伸ばすことによって，気流が上着６２０のさらに奥まで届くようにすることもできる。また，腕６２３の内側部分６２７に保冷剤を格納できる空間を形成する形状を内側部分６２７に設けて，保冷剤を腕６２３の内側部分６２７に格納し，前記保冷剤で空洞６３３を通過する気流を冷却することによって，上着６２０の内側に冷却された気流を導くことができる。また，腕６２３の内側部分６２７に送風部を設けて，空洞６３３を通過する気流を該送風部が送風できるようにすることによって，上着６２０の外側の空間にある空気を穴６３８から吸引し，穴６３７から上着６２０の内側へ前記空気を噴出させてもよい。
【０１４６】
図２０に示すように，机面６００に接触する足６３２によって支持される腕６２３の上に回動可能に支持される支持部２１０によって回動可能かつスライド可能に支持される棒状体３０８によって蝶動可能に支持される送風部３０１を有する図１８に記載の扇風機３００は，机面６００の上に立った状態で机面６００に接触する足６３２の位置を動かさずに図１８に記載の可動な部分だけを動かすことにより送風部３０１の向きをあらゆる方位に向けることができる特徴を有する。
【０１４７】
図２１に示すように，取付部分の腕６２３の内側部分６２７の両側の端６８４及び先端６８５に設けられた３つの足６３２は机面６００に接触させたときにぐらつかないで置くことができる。机面６００に置いたときにぐらつかないように前記３つの足６３２の形状を調整することは当業者にとって容易である。取付部分の大きさを大人の掌と同程度の大きさに製造し，机面６００に接触する足６３２によって支持される腕６２３の上に支持される支持部２１０によって棒状体３０８を支持することにより送風部３０１を支持して図２１のように机面６００に立つことができるように図１８に記載の各可動な部分３２４／３２５／３２６／３２７の動きやすさを調整することは当業者にとって容易である。
【０１４８】
足６３２を机面６００に接触させたときに腕６２３の内側部分６２７の内面６３１と机面６００の間に空洞６３３ができる。腕６２３の内側部分６２７の内面６３１が概ねに凹形状又はＵ形状の面６３９を有していることによって，腕６２３と机面６００の間に気流が通過できる空間が確保される効果を得ることができ，机面６００に気流を当てて机面６００を冷却又は乾燥することができる。
【０１４９】
図２２に示すように，人体６０９が着用する上着６２０の襟６２１から支持される送風部３０１が送風する気流が人体６０９の頭部が着用するヘルメット６４０と頭部の間の隙間６３５に流入することができる。
【０１５０】
図２２に記載のヘルメット６４０は図１に記載のヘルメット６４０を抱持する取付器具６４２が取付けられていないヘルメット６４０である。ヘルメット６４０と頭部の間の隙間６３５が十分に広い場合には，送風部３０１から送風される気流の一部が人体６０９の後頭部に対して当たって上昇し隙間６３５の中に流入する。
【０１５１】
このため，上着６２０から支持される送風部３０１を有する扇風機３００だけを用いた図２２に記載の場合であっても，ヘルメット６４０の内側に気流を導くことは可能である。
【０１５２】
しかし，頭部の頭髪の量が多い場合は，ヘルメット６４０と頭部の間の隙間６３５が頭髪によって塞がれてしまうため，隙間６３５への気流の流入量は低下してしまう。
【０１５３】
よって，図１に記載のヘルメット６４０に取付けられた取付器具６４２をヘルメット６４０に取り付けることによって，ヘルメット６４０の内側へ気流を導くための空洞を確保することが好ましい。
【０１５４】
これにより，頭髪の量が多い場合でも隙間６３５への気流の流入量を低下させない効果を得ることができる。
【０１５５】
また，図１に記載のヘルメット６４０に取り付けられた取付器具６４２は頭部の頭髪と送風部３０１の間に位置するため，取付器具６４２があることによって頭髪が送風部３０１に接触しにくくなる。このため，頭髪が送風部３０１の羽根車３０２に絡まりにくくなる効果を得ることができる。
【０１５６】
図２３に示すように，人体６０９が着用する上着６２０の襟６２１を抱持する取付器具６２２の支持部２１０から着脱可能に支持される棒状体３０８から支持される送風部３０１を有する扇風機３００は取付器具６２２を襟６２１に着けた状態のままで支持部２１０から棒状体３０８を離脱させて棒状体３０８を手持ち部とする携帯扇風機として使用できる。
【０１５７】
図１に記載のヘルメット６４０の縁６４１を抱持する取付器具６４２を図２４から２７を参考にして製造することは当業者にとって容易である。湾曲するウイング６４４の風向調整面６４５から延びる概ねに凹形状又はＵ形状の面６３９によって，ヘルメット６４０と取付器具６４２の間に気流が通過できる空洞ができる。
【０１５８】
これにより，頭髪の量が多い場合であっても，ヘルメット６４０の内側に気流を導くための空洞が確保される。よって，頭髪の量にかかわらず，送風部３０１から送風される気流をヘルメット６４０の内側に安定的に導くことができる効果を得ることができる。
【０１５９】
ヘルメット６４０の縁６４１を抱持又は挟持する腕６４３の形状をヘルメット６４０に合わせて適宜変形して製造することは当業者にとって容易である。ヘルメット６４０に取付器具６４２を取付ける方法はクリップ式に縁６４１に留める方法に限らない。
【０１６０】
例えば，ヘルメット６４０に粘着性の部材やテープを介して貼り付けてもよい。また，ヘルメット６４０の内側にある部材やヘルメット６４０を頭部に固定するためのベルトに取付器具６４２を掛ける又は吊るす方法でもよい。また，ヘルメット６４０の内側にある部材又はヘルメット６４０を頭部に固定するためのベルトを通過させる穴を有する布状体又はシート状体を腕とすることで前記布状体又は前記シート状体からウイングを支持してもよい。また，ヘルメット６４０の内側にある部材又はヘルメット６４０を頭部に固定するためのベルトに掛けられた又は吊るされた布状体又はシート状体を腕とすることで前記布状体又は前記シート状体からウイングを支持してもよい。
【０１６１】
上着６２０の襟６２１から支持される送風部３０１から送風される気流をヘルメット６４０内に導くための風向調整体を備えたヘルメット６４０を図１から２７を参考にして製造することは当業者にとって容易である。
【０１６２】
上着６２０の襟６２１から支持される送風部３０１から送風される気流をヘルメット６４０内に導くための風向調整体となる形状をヘルメット６４０の後頭部の縁６４１の形状として設けたヘルメット６４０を図１から２７を参考にして製造することは当業者にとって容易である。
【０１６３】
（腕）
腕６２３／６４３は取付対象物である着用物の縁６２１／６４１又は襟６２１を抱持又は挟持することができる。腕６２３は上着６２０を抱持又は挟持できることにより，上着６２０を人体６０９が着用した状態のままで扇風機３００を上着６２０に簡単に着脱することができる。また，腕６４３はヘルメット６４０の縁６４１を抱持又は挟持できることにより，ヘルメット６４０を人体６０９が着用した状態のままで扇風機３００をヘルメット６４０に簡単に着脱することができる。
【０１６４】
腕６２３／６４３は取付対象物である着用物の縁６２１／６４１又は襟６２１に掛けること又は吊るすことができる。腕６２３は上着６２０に掛けること又は吊るすことができることにより，上着６２０を人体６０９が着用した状態のままで扇風機３００を上着６２０の襟６２１に簡単に着脱することができる。また，腕６４３はヘルメット６４０の縁６４１に掛けること又は吊るすことができることにより，ヘルメット６４０を人体６０９が着用した状態のままで扇風機３００をヘルメット６４０に簡単に着脱することができる。
【０１６５】
取付対象物である着用物を着用する人体６０９は着用物を支持し，着用物の縁６２１／６４１又は襟６２１を抱持又は挟持する腕６２３／６４３は取付対象物である着用物から支持される。
【０１６６】
（腕の内面と外面）
人体６０９が着用する着用物によって支持される腕６２３／６４３は内面６２９／６３１／６４９／６５１（ｉｎｎｅｒ  ｓｕｒｆａｃｅ）と外面６２８／６３０／６４８／６５０（ｏｕｔｅｒ  ｓｕｒｆａｃｅ）を有する。
【０１６７】
人体６０９が着用する着用物によって支持される腕６２３／６４３が有する面において，内面６２９／６３１／６４９／６５１は人体６０９の方を向く面の部分である。
【０１６８】
人体６０９が着用する着用物によって支持される腕６２３／６４３が有する面において，外面６２８／６３０／６４８／６５０は人体６０９とは反対の方を向く面の部分である。
【０１６９】
（腕の外側部分と内側部分）
腕６２３／６４３が取付対象物である着用物によって支持されたときに，着用物の外側に位置する腕６２３／６４３の部分６２６／６４６を「腕の外側部分」と呼ぶ。
【０１７０】
腕６２３／６４３が取付対象物である着用物によって支持されたときに，着用物の内側に位置する腕６２３／６４３の部分６２７／６４７を「腕の内側部分」と呼ぶ。
【０１７１】
腕６２３／６４３が取付対象物である着用物の縁６２１／６４１又は襟６２１を抱持又は挟持したときに，着用物の外側に位置する腕６２３／６４３の部分６２６／６４６を「腕の外側部分」と呼ぶ。
【０１７２】
腕６２３／６４３が取付対象物である着用物の縁６２１／６４１又は襟６２１を抱持又は挟持したときに，着用物の内側に位置する腕６２３／６４３の部分６２７／６４７を「腕の内側部分」と呼ぶ。
【０１７３】
腕６２３／６４３が取付対象物を抱持又は挟持したときに，取付対象物は腕６２３／６４３の外側部分６２６／６４６の内面６２９／６４９と腕６２３／６４３の内側部分６２７／６４７の外面６３０／６５０の間に抱持又は挟持される。
【０１７４】
腕６２３／６４３が取付対象物によって支持されたときに腕６２３／６４３の全部分が取付対象物の外側に位置する場合は，腕６２３／６４３の全部分が腕６２３／６４３の外側部分６２６／６４６である。
【０１７５】
腕６２３／６４３が取付対象物を抱持又は挟持したときに腕６２３／６４３の全部分が取付対象物の外側に位置する場合は，取付対象物は腕６２３／６４３の外側部分６２６／６４６の内面６２９／６４９によって抱持又は挟持される。
【０１７６】
図１，３，２２及び２３に示すように，
腕６２３／６４３の外側部分６２６／６４６は，取付対象物である着用物の縁６２１／６４１又は襟６２１の外側から，腕６２３／６４３の外側部分６２６／６４６の内面６２９／６４９を取付対象物である着用物の縁６２１／６４１又は襟６２１に接触させた状態で，腕６２３／６４３は取付対象物である着用物の縁６２１／６４１又は襟６２１を抱持又は挟持する。
【０１７７】
腕６２３／６４３の内側部分６２７／６４７は，取付対象物である着用物の縁６２１／６４１又は襟６２１の内側から，腕６２３／６４３の内側部分６２７／６４７の外面６３０／６５０を取付対象物である着用物の縁６２１／６４１又は襟６２１に接触させた状態で，腕６２３／６４３は取付対象物である着用物の縁６２１／６４１又は襟６２１を抱持又は挟持する。
【０１７８】
（送風部）
扇風機３００は送風部３０１を有している。
扇風機３００が有する腕６２３は送風部３０１を支持する。
送風部３０１は取付対象物である着用物の縁６２１又は襟６２１から支持される。
送風部３０１は取付対象物である着用物の縁６２１又は襟６２１の外側に配置される。
送風部３０１は腕６２３から支持される。
送風部３０１は腕６２３の外側部分６２６から送風の向きを調整できるように支持される。
【０１７９】
（ウイング）
扇風機３００は湾曲した板状体の風向調整体であるウイング６２４を有している。
扇風機３００が有する腕はウイング６２４を支持する。
ウイング６２４／６４４は腕６２３／６４３の外側部分６２６／６４６から支持される。
ウイング６２４／６４４は腕６２３／６４３の内側部分６２７／６４７から支持される。
ウイング６２４／６４４は概ねに凹形状であるの風向調整面６２５／６４５を有する。
ウイング６２４／６４４の風向調整面６２５／６４５は送風部３０１の方向に向いている。
ウイング６２４／６４４の風向調整面６２５／６４５は送風部３０１が発生する気流を主流と副流に分流する。  
【０１８０】
主流はウイング６２４／６４４の風向調整面６２５／６４５に対して当たらない気流である。
人体６０９が着用する着用物の縁６２１／６４１又は襟６２１から支持される腕６２３から送風の向きを調整できるように支持される送風部３０１が発生する気流の主流を前記着用物の外側に露出する人体６０９の部分である顔，首及び頭部に対して当てることができる。
【０１８１】
副流はウイング６２４／６４４の風向調整面６２５／６４５に対して当たる気流である。
副流の進行方向はウイング６２４／６４４の風向調整面６２５／６４５によって変えられる。
ウイング６２４／６４４の風向調整面６２５／６４５は副流の進行方向を変えることで副流を空洞６３３の中へ導くことで，副流は着用物の内側に導かれる。
【０１８２】
よって，１つの送風部３０１からの気流を着用物の内側と外側の両方に導くことができる扇風機３００と扇風機３００に用いる取付器具が提供される。
【０１８３】
図１に示すように，人体６０９の上半身に着用できる着用物である上着６２０の襟６２１を腕６２３が抱持又は挟持した状態で上着６２０を人体６０９に着用させたときに，ウイング６２４は上着６２０の襟６２１の上に配置された状態でウイング６２４は上着６２０の襟６２１から支持される。
【０１８４】
これにより，ウイング６２４に向けて送風部３０１から送風される気流を上着６２０の襟６２１と上半身の間の隙間６３６に向けて送風できる。
【０１８５】
人体６０９の頭部に着用できる着用物であるヘルメット６４０の縁６４１を腕６４３が抱持又は挟持した状態でヘルメット６４０を人体６０９に着用させたときに，ウイング６４４はヘルメット６４０の縁６４１の下に配置された状態でウイング６４４はヘルメット６４０の縁６４１から支持される。
【０１８６】
これにより，ウイング６４４に向けて送風部３０１から送風される気流をヘルメット６４０の縁６４１と頭部の間の隙間６３５に向けて送風できる。
【０１８７】
図３に示すように，腕６２３が抱持又は挟持又する取付対象物である着用物を人体６０９に着用させた状態で，送風部３０１が発生する気流の方向をウイング６２４の風向調整面６２５に向けることができ，気流をウイング６２４の風向調整面６２５に対して当てることができる。
【０１８８】
腕６２３が抱持又は挟持する襟６２１を有する上着６２０を人体６０９に着用させた状態で，腕６２３から支持される送風部３０１が発生する気流の方向を上着６２０の襟６２１を抱持又は挟持する腕６２３が支持するウイング６２４の風向調整面６２５に向けることができ，気流をウイング６２４の風向調整面６２５に対して当てることにより，気流の副流を上着６２０の内側に導くことができる。
【０１８９】
腕６２３が抱持又は挟持する襟６２１を有する上着６２０を人体６０９に着用させた状態で，腕６２３から支持される送風部３０１が発生する気流の方向をヘルメット６４０の縁６４１を抱持又は挟持する腕６４３が支持するウイング６４４の風向調整面６４５に向けることができ，気流をウイング６４４の風向調整面６４５に対して当てることにより，気流の副流をヘルメット６４０の内側に導くことができる。
【０１９０】
これにより，ヘルメット６４０又は帽子をつけた人体６０９の頭部が蒸れない効果を得ることができる。
【０１９１】
（支持部）
送風部３０１は腕６２３の外側部分６２６の外面６２８に定設又は着設された支持部２１０から支持される。
扇風機３００の送風部３０１を支持する支持部２１０を支持する腕６２３は送風部３０１を支持する。
支持部２１０は可動部２１５を有していてもよい。支持部２１０と腕６２３の間に可動部２１５を有していてもよい。可動部２１５が可動することにより，送風部３０１の向きは変えられる。よって，送風部３０１が発生する気流の方向は変えられる。
【０１９２】
扇風機３００は可動部２１５を有していることで，送風部３０１が発生する気流をウイング６２４／６４４の風向調整面６２５／６４５に向けることを調整することができ，気流をウイング６２４／６４４の風向調整面６２５／６４５に対して当てることを調整することができる。
【０１９３】
可動部２１５の可動の仕組みはどのようなものであってもよく，腕６２３に対して棒状体３０８の向き又は位置を変えられるように可動する可動部であればどのようなものであってもよい。前記可動は，回動であってもよく，傾動であってもよく，枢動であってもよく，嵌合させた球体に基づく可動であってもよく，柔軟性のある部材の変形に基づく可動であってもよく，また，それらの組み合わせであってもよい。
【０１９４】
（足）
腕６２３の内側部分６２７の端に少なくとも１つの足６３２が設けられている。足６３２を机面６００に接触させた状態で扇風機３００を机面６００に置いたときに，足６３２の上に支持される腕６２３の上に支持される支持部２１０に送風部３０１が支持された状態で扇風機３００を立てることができる。このとき，ウイング６２４は腕６２３の端に設けられた足６３２から支持される。
【０１９５】
（空洞）
足６３２が人体６０９の表面又は着用物の表面と接触したときに，人体６０９の表面又は着用物の表面と腕６２３の内側部分６２７の間に気流が通過できる空洞６３３ができる。
【０１９６】
ウイング６２４の風向調整面６２５は送風部３０１が発生する気流の副流の向きを変えることにより気流の副流を穴６３８に導くことができる形状を有する。
【０１９７】
ウイング６２４の風向調整面６２５は送風部３０１が発生する気流の副流の向きを変えることにより気流の副流を空洞６３３の内部に導くことができる形状を有する。
【０１９８】
取付対象物である着用物である上着６２０の縁６２１又は襟６２１を抱持又は挟持する腕６２３の内側部分６２７の端に設けられた足６３２が取付対象物である着用物である上着６２０を着用する人体６０９に接触したときに，腕６２３の内側部分６２７と人体６０９の間に形成される空洞６３３は気流の副流を通過させることができる。
【０１９９】
取付対象物である着用物である上着６２０の縁６２１又は襟６２１を抱持又は挟持する腕６２３が支持するウイング６２４の風向調整面６２５に向けられた気流の副流はウイング６２４の風向調整面６２５により空洞６３３に導かれることにより，気流の副流は腕６２３の内側部分６２７と人体６０９の間に形成される空洞６３３を通過する。空洞６３３を通過する気流の副流は腕６２３の内側部分６２７の端に設けられた穴６３７又は足６３２の間の隙間６３４を通過して，上着６２０の内側に導かれる。
【０２００】
これにより，上着６２０の内側が蒸れない効果を得ることができる。また，上着６２０と人体６０９の間を気流の副流が通過する。これにより，上着６２０と人体６０９の間が蒸れない効果を得ることができる。
【０２０１】
取付対象物である着用物である上着６２０を着用する人体６０９が上着６２０と人体６０９の間に別の着用物である下着６５５を着用するときは，上着６２０の縁６２１又は襟６２１を抱持又は挟持する腕６２３の内側部分６２７の端に設けられた足６３２が下着６５５に接触したときに，腕６２３の内側部分６２７と下着６５５の間に形成される空洞６３３は気流の副流を通過させることができる。
【０２０２】
取付対象物である着用物である上着６２０を着用する人体６０９が上着６２０と人体６０９の間に別の着用物である下着６５５を着用するときは，上着６２０の縁６２１又は襟６２１を抱持又は挟持する腕６２３が支持するウイング６２４に向けられた気流の副流がウイング６２４により空洞６３３に導かれることにより，気流の副流は腕６２３の内側部分６２７と下着６５５の間に形成される空洞６３３を通過する。
【０２０３】
空洞６３３を通過する気流の副流は腕６２３の内側部分６２７の端に設けられた穴６３７又は足６３２の間の隙間６３４を通過して，上着６２０の内側に導かれる。これにより，上着６２０の内側が蒸れない効果を得ることができる。また，上着６２０と着用物である下着６５５の間を気流の副流が通過することにより，上着６２０と下着６５５の間が蒸れない効果を得ることができる。
【０２０４】
ウイング６２４／６４４があることにより，取付対象物である着用物である上着６２０又はヘルメット６４０の内側に安定的に気流の副流を導くことが可能になる。
【０２０５】
以上により，１つの電動機３０３と１つの羽根車３０２を有する送風部３０１を有する扇風機３００によって，ヘルメット６４０の内側及び上着６２０の内側に，同時に気流の副流を導くことが可能になる。さらに，気流の主流を人体６０９の首や背中に対して当てることも同時にできる。
【０２０６】
図２２に示すように，送風部３０１が発生する気流の方向がウイング６２４の風向調整面６２５に向けられることで，ウイング６２４の下に配置される襟６２１を有する着用物を着用する人体６０９の首や頭部にも気流の方向が向けられるため，気流の主流が首や頭部に対しても当たる効果を得ることができる。
【０２０７】
このとき，頭部につけた着用物であるヘルメット６４０又は帽子と頭の隙間６３５に気流の主流が流入する。これにより，ヘルメット６４０又は帽子をつけた人体６０９の頭部が蒸れない効果を得ることができる。
【０２０８】
前記装置は，
「人体６０９が着用する着用物によって支持される腕６２３／６４３と，
前記腕６２３／６４３によって支持される風向調整体であるウイング６２４／６４４と，
を有し，
前記着用物の外側からウイング６２４／６４４に向けて送風された気流をウイング６２４／６４４で分流して前記着用物の内側へ導くことができる
取付器具」
を有する扇風機３００であることにより，「１つの送風部３０１からの気流を着用物の内側と外側の両方に導くことができる扇風機３００に用いる取付器具を提供する」という課題を解決することができる。
【０２０９】
当業者が利用できる特許文献１４の図６５に記載の「人体が着用する帽子から支持される扇風機」は，前記人体が着用する上着の襟に対して上着の外側から気流を当てることはできるが，前記上着の内側に大量の前記気流を導くことは困難であった。これに対し，前記取付器具を前記上着の前記襟に抱持させ，かつ，特許文献１４の図６５に記載の扇風機を支持する前記帽子を前記人体の頭部に着用することによって，該扇風機が送風する気流を前記取付器具のウイングに対して当てることができる。すなわち，送風部を有さない前記取付器具であっても，公知の該扇風機と組み合わせて用いることによって，前記上着の内側に大量の前記気流を導くことができるようになる効果を得ることができる。
【０２１０】
前記装置は，
「少なくとも１つの前記取付器具と，
ウイング６２４／６４４に向けて前記気流を送風できる送風部３０１と，
を有し，
腕６２３から送風部３０１が支持される
又は
人体６０９が着用する上着６２０から送風部３０１が支持される装置」
であることにより，「１つの送風部３０１からの気流を着用物の内側と外側の両方に導くことができる扇風機３００を提供する」という課題を解決することができる。
【０２１１】
前記装置は，
「送風部３０１の送風の向きを調整できるように送風部３０１が腕６２３又は上着６２０から支持される装置」であることにより，「さらに，前記着用物の外側に露出する人体６０９の部分にも前記気流を導くことを調整できる扇風機３００を提供する」という課題を解決することができる。
【０２１２】
前記装置は，
「前記腕６２３／６４３が前記着用物を抱持又は挟持できる
装置」であることにより，「さらに，着用物を人体６０９が着用した状態で，扇風機３００を前記着用物に簡単に着脱できる扇風機３００を提供する」という課題を解決することができる。
【０２１３】
前記装置は，
「前記腕６２３／６４３を前記着用物に掛けること又は吊るすことができる装置」であることにより，「さらに，着用物を人体６０９が着用した状態で扇風機３００を着用物の縁６２１／６４１に簡単に着脱できる扇風機３００を提供する」という課題を解決することができる。
【０２１４】
前記装置は，
「前記着用物が人体６０９の上半身又は頭部に着用できる着用物である装置」であることにより，「さらに，着用物である上着６２０と上半身の間の隙間６３６や，別の着用物であるヘルメット６４０と頭部の間の隙間６３５に向けて送風できる扇風機３００を提供する」という課題を解決することができる。
【０２１５】
前記装置は，
「前記着用物が上着６２０又は帽子又はヘルメット６４０である装置」であることにより，「さらに，扇風機３００が取り付けられた襟６２１を有する上着６２０を着用する人体６０９が着用する別の着用物であるヘルメット６４０と人体６０９の頭部の間の隙間６３５に向けて送風できる扇風機３００，又は，扇風機３００が取り付けられた縁６４１を有するヘルメット６４０を着用する人体６０９が着用する別の着用物である上着６２０と人体６０９の上半身の間の隙間６３６に向けて送風できる扇風機３００を提供する」という課題を解決することができる。
【０２１６】
前記装置は，
「前記腕６２３／６４３が少なくとも１以上の穴を形作る又は有する装置」であることにより，「さらに，取付対象物である上着６２０と人体６０９の上半身の間の空間に気流を送り込むための入り口の形状が安定的に確保される扇風機３００，又は，取付対象物であるヘルメット６４０と人体６０９の頭部の間の空間に気流を送り込むための入り口の形状が安定的に確保される扇風機３００を提供する」という課題を解決することができる。
【０２１７】
前記装置は，
「少なくとも１つの腕６２３に設けられた少なくとも１以上の足６３２を有する装置」であることにより，「さらに，使用者が歩行しているときは上着６２０又は帽子又はヘルメット６４０に着用できる扇風機３００として使用することができ，使用者が机の前に座ったときは机上に置ける扇風機３００として使用できる扇風機３００を提供する」という課題を解決することができる。
【０２１８】
前記装置は，
「人体６０９又は人体６０９が着用する下着６５５に足６３２を接触させた状態で
人体６０９又は下着６５５と腕６２３の間を
前記気流が通過できる装置」であることにより，「さらに，扇風機３００の腕６２３が人体６０９に接触したときに，扇風機３００と接触する人体６０９の表面が蒸れない扇風機３００を提供する」という課題を解決することができる。
【０２１９】
前記装置は，
「人体６０９又は人体６０９が着用する下着６５５に足６３２を接触させた状態で
人体６０９又は前記下着６５５と腕６２３の間にできる空洞６３３を
前記気流が通過できる装置」であることにより，「さらに，扇風機３００の腕６２３が人体６０９に接触したときに，人体６０９と扇風機３００の間の狭い隙間が蒸れない扇風機３００を提供する」という課題を解決することができる。
【０２２０】
前記装置は，
「人体６０９又は人体６０９が着用する下着６５５に足６３２を接触させた状態で
送風の向きを調整できるように設けられた送風部３０１が
人体６０９に向けて送風できる装置」であることにより，人体６０９に接触する足６５５によって安定的に支持される腕６２３の人体６０９に対する向きは，人体６０９が動き回っても安定するようになる。このため，腕６２３から支持されるウイング６２４と送風部３０１の人体６０９に対する向きを安定的に支持することができる効果を得ることができる。よって，「さらに，人体６０９が動き回っても気流を安定して着用物の内側及び人体６０９に導くことができる扇風機３００を提供する」という課題を解決することができる。
【０２２１】
前記装置は，
「人体６０９又は人体６０９が着用する下着６５５に足６３２を接触させた状態で
送風の向きを調整できるように設けられた送風部３０１が
人体６０９の首又は胸又は背中に向けて送風できる装置」であることにより，「さらに，人体６０９が動き回っても気流を安定して着用物の内側及び人体６０９の首や背中に導くことができる扇風機３００を提供する」という課題を解決することができる。
【０２２２】
前記装置は，
「前記ウイング，前記腕及び足６３２の少なくともいずれかによって形作られる穴６３８を有する装置」であることにより，「さらに，人体６０９が動き回っても取付対象物である着用物と人体６０９の間の空間に気流を送り込むための入り口の形状が安定的に確保される扇風機３００を提供する」という課題を解決することができる。
【０２２３】
前記装置は，
「２以上の前記取付器具を有する装置」であることにより，「さらに，人体６０９が着用する上着６２０とヘルメット６４０のそれぞれに１つずつ取付器具をつけて，上着６２０又はヘルメット６４０のいずれかにつけた前記取付器具によって支持される送風部３０１から送風される気流を，それぞれの前記取付器具によって上着６２０の内側及びヘルメット６４０の内側に導くことができる扇風機３００を提供する」という課題を解決することができる。
【０２２４】
前記装置は，
「送風部３０１に内包又は内設された電動機３０３と，
電動機３０３によって駆動される羽根車３０２と，
送風部３０１を支持する棒状体３０８と，
棒状体３０８に内包又は内設された電源３０４と，
電源３０４と電動機３０３を電気的に接続する電気伝導体３１２と，
棒状体３０８を着脱可能に支持する支持部２１０と，
支持部２１０が定設された外面６２８と，
前記外面６２８を有する腕６２３と，
を有する装置」であることにより，「さらに，扇風機３００としての装置を目視できない状況下であっても，襟６２１の後ろ側を抱持させることが容易な扇風機３００を提供し，さらに，扇風機３００の腕６２３を取付対象物である上着６２０の襟６２１につけたままで送風部３０１を腕６２３から取り外して手持ち式扇風機として使える扇風機３００を提供する」という課題を解決することができる。
【０２２５】
前記装置は，
「腕６２３に概ねに凹形状又はＵ形状の面６３９を有する
装置」である。
【０２２６】
前記装置は，
「１つの環状体の少なくとも２か所を支持又は挟持できる
装置」である。
【０２２７】
前記装置は，取付対象物である着用物である上着６２０又は帽子又はヘルメット６４０を抱持又は挟持する腕６２３／６４３と，
前記腕６２３が支持する送風部３０１と，前記腕６２３／６４３が支持するウイング６２４／６４４を備え，送風部３０１が発生する気流をウイング６２４／６４４に対して当てることができ，人体６０９の表面又は着用物の表面と前記腕６２３／６４３の間に前記気流が通過できる空洞６３３が形成されるように前記表面に接触できる扇風機３００である。前記装置は，風向調整体であるウイング６２４／６４４に風向調整面６２５／６４５を有し，前記気流を風向調整面６２５／６４５に対して当てることができる扇風機３００である。前記装置は，ウイング６２４／６４４に対して当たる前記気流を空洞６３３の中へ導くことができる扇風機３００である。
【０２２８】
これにより，扇風機３００の腕６２３により抱持又は挟持された取付対象物である上着６２０（ｏｕｔｅｒｗａｒｅ）の襟６２１を有するシャツを人体６０９が身に着けたときに， 襟６２１を抱持又は挟持する腕６２３が支持するウイング６２４に対して当てられた気流はウイング６２４により空洞６３３に導かれる。そして，気流は扇風機３００と人体６０９の間に形成される空洞６３３を通過する。そして，気流は上着６２０と人体６０９の間へ噴出する。よって，取付対象物と人体６０９の間が蒸れない効果を得ることができる。また，人体６０９と上着６２０の間に着用物である下着６５５（ｉｎｎｅｒｗａｒｅ）を着用したときは，気流は扇風機３００と下着６５５の間に形成される空洞６３３を通過する。そして，気流は上着６２０と下着６５５の間へ噴出する。よって，上着６２０と下着６５５の間が蒸れない効果を得ることができる。
【０２２９】
さらに，取付対象物である上着６２０の縁６２１又は襟６２１に扇風機３００の腕６２３を掛けるだけで扇風機３００を取付対象物に装着できるため，人体６０９が取付対象物である上着６２０を身に着けた状態のままで，扇風機３００を取付対象物に簡単に着脱できる効果を得ることができる。
【０２３０】
さらに，送風部３０１が発生する気流の方向がウイング６２４に向けられることで，ウイング６２４の下に配置される襟６２１を有する取付対象物である上着６２０を着用する人体６０９の首の上にある頭にも気流の方向が向けられるため，気流が首や頭に対しても当たる効果を得ることができる。
【０２３１】
このとき，頭につけた着用物であるヘルメット６４０又は帽子と頭の間の隙間６３５に気流が流入することにより，ヘルメット６４０又は帽子と人体６０９の頭の間が蒸れない効果を得ることができる。
【０２３２】
前記装置は，前記表面と腕６２３の間に前記気流が通過できる空洞６３３が形成されるように前記表面に接触する少なくとも１つの足６３２を腕６２３の端に有する扇風機３００である。
扇風機３００の腕６２３と人体６０９の表面の間を気流が通過することにより，扇風機３００と人体６０９の間が蒸れない効果を得ることができる。また，扇風機３００の腕６２３と着用物の表面の間を気流が通過することにより，扇風機３００と着用物の間が蒸れない効果を得ることができる。
【０２３３】
前記装置は，足６３２を机面６００に接触させたときに，足６３２に支持される腕６２３の上に送風部３０１が支持された状態で机面６００の上に立つ扇風機３００である。
【０２３４】
これにより，使用者が歩行している時には襟６２１に掛けられた扇風機３００として使うことができ，使用者が机の前に座ったときは，襟６２１から外して机面６００の上に立てて使用することができる。よって，扇風機３００を着用扇風機３００としてだけでなく机上扇風機としても使用できる効果を得ることができる。
【０２３５】
以上により，「使用者が歩行しているときは上着６２０に着用できる扇風機３００として使用することができ，使用者が机の前に座ったときは机上に置ける扇風機３００として使用できる扇風機３００を提供する」という課題を解決することができる。
【０２３６】
前記装置のウイング６２４は腕６２３及び／又は足６３２に定設されている。ウイング６２４及び腕６２３は少なくとも１つの穴６３８を形作る。ウイング６２４及び足６３２は少なくとも１つの穴６３８を形作る。ウイング６２４，腕６２３及び足６３２は少なくとも１つの穴６３８を形作る。
【０２３７】
これにより，扇風機３００の腕６２３により抱持又は挟持された取付対象物である上着６２０の縁６２１又は襟６２１を有するシャツを人体６０９が身に着けたときに， 襟６２１を抱持又は挟持する腕６２３が支持するウイング６２４に対して当てられた気流は穴６３８を通過することにより空洞６３３に導かれる。
【０２３８】
よって，取付対象物と人体６０９の間の空間に気流を送り込むための入り口の形状が穴６３８により安定的に確保される。
【０２３９】
前記装置は，
送風部３０１に内包又は内設された電動機３０３と，
電動機３０３によって駆動される羽根車３０２と，
送風部３０１を支持又は定設又は横設又は着設又は変動着又は蝶着する棒状体３０８と，
棒状体３０８に内包又は内設された電源３０４と，
電源３０４と電動機３０３を電気的に接続する電気伝導体３１２と，
棒状体３０８を着脱可能に支持する支持部２１０と，
支持部２１０が定設された腕６２３と，
装置は電気伝導体３１２の電気的な接続状態を制御するためのスイッチ３０９と，
を有する扇風機３００であり，
電気伝導体３１２の電気的な接続状態を制御するためのスイッチ３０９を送風部３０１又は棒状体３０８に有し，
支持部２１０は棒状体３０８を回動可能及び／又は横動可能及び／又は着脱可能に支持できる扇風機３００である。  
【０２４０】
これにより，扇風機３００としての装置を着用物の縁６２１又は襟６２１の後ろ側につけて，送風部３０１をウイング６２４の近くに配置して，送風部３０１が発生する気流をウイング６２４に向けて送風したときに，送風部３０１を下から棒状体３０８が支え，棒状体３０８がほぼ垂直に配置され，かつ，棒状体３０８のバランスが左右に傾かない。このため，扇風機３００としての装置を着用物の縁６２１又は襟６２１に安定的につけることができ，着用物を着る人にとって疲れにくくなる効果を得ることができる。
【０２４１】
持ちやすい手持ち部である棒状体３０８は，扇風機３００としての装置を着用物の縁６２１又は襟６２１の後ろにつける際に，扇風機３００としての装置を目視できない状況下であっても，棒状体３０８の方向を手で確認することを容易にする。これにより，扇風機３００としての装置を目視できない状況下であっても，腕６２３に襟６２１の後ろ側を抱持させることを容易にする。
【０２４２】
持ちやすい手持ち部である棒状体３０８は，扇風機３００としての装置を着用物の縁６２１又は襟６２１の後ろにつける際に，扇風機３００としての装置を誤って落下させる事故が発生する可能性を減らすことができる。
【０２４３】
以上により，「扇風機３００としての装置を目視できない状況下であっても，襟６２１の後ろ側を抱持させることが容易な扇風機３００を提供し，さらに，扇風機３００の腕６２３を取付対象物である上着６２０の襟６２１につけたままで送風部３０１を腕６２３から取り外して手持ち式扇風機として使える扇風機３００を提供する」という課題が解決される。
【０２４４】
なお，着用物の厚さが変わることで送風部３０１の位置が変わった場合であっても，蝶動可能な蝶番部３０７により，送風部３０１の向きを調整できるため，風向を調整してウイング６２４に向けることができる。
【０２４５】
なお，扇風機３００は車輪式器具であるベビーカー（ストローラー）につける扇風機として用いることもできる。扇風機３００の腕６２３がベビーカー（ストローラー）のフードの縁を抱持又は挟持したときに，フードの外側に配置される送風部３０１から送風される気流をフードの内側に導くことが可能になる。
【実施例２】
【０２４６】
従来技術では，手持ち式の携帯扇風機に紐をつけて首から吊り下げると，送風部の向きを制御することができなくなり，首に対して風が当たらなくなるという欠点があった。
【０２４７】
そこで，本実施例において解決すべき課題は，「手持ち式の携帯扇風機を首から吊り下げて手を離した状態であっても首に向けて安定して送風できるように支持できる支持台を備えた手持ち式の携帯扇風機を提供すること」である。
【０２４８】
また，本実施例において解決すべき別の課題は，「手持ち式の携帯扇風機を首から吊り下げた状態で安全に着脱できる前記支持台と，前記着脱の作業中に前記扇風機を誤って落下させないための安全な着脱方法を提供すること」である。
【０２４９】
本明細書において，手持ち式の携帯扇風機とは，「手持ち可能な棒状体で支持される送風部を備えた電池式の扇風機」である。
【０２５０】
本実施例においては，「手持ち式の携帯扇風機」を，その上位概念である「手持式機器」という名称を用いて説明する。
【０２５１】
本明細書において，「環状体を開環する」とは，前記環状体の一部を切り離すことによって，前記環状体の環構造を消滅させること又は前記環状体を環構造のない線状体にすることである。例えば，吊持具であるネックストラップの環状体は，着脱可能なパーツ（安全パーツ）を介して環構造を形成しているため，前記安全パーツを切り離すことによって，ネックストラップの環状体を開環して線状体にすることができる。また，開環されたネックストラップの前記安全パーツをつなげることによって，ネックストラップを閉環して環状体に戻すことができる。
【０２５２】
図２８に記載の装置の支持台６６０は，図７から１６に記載の取付器具６２２と同一の部品であるため，当業者が図７から１６及び実施例１の記載を参考にして支持台６６０を製造することは容易である。なお，支持台６６０は実施例１に記載の取付器具６２２とは使用方法が異なるため，実施例２では支持台６６０と呼ぶ。
【０２５３】
図２８に記載の支持台６６０の２か所にスライダー６６１が１つずつ設けられている。各スライダー６６１は吊持具６７０の環状体６７１を挟んで吊持具６７０を支持することができる。また，吊持具６７０によって各スライダー６６１を支持することもできる。
【０２５４】
吊持具６７０としては，人体６０９の首に掛けるための布製又はポリマー製の環状体６７１を有するネックストラップを用いることができる。
【０２５５】
図２８に記載の吊持具６７０は，吊持具６７０の少なくとも２か所で支持台６６０を吊持又は支持する。支持台６６０は支持部２１０を有し，支持部２１０は棒持台２４４を有している。
【０２５６】
棒持台２４４が棒状体３０８を抱持することにより，支持部２１０は手持式機器６１６の棒状体３０８を着脱可能に支持することができる。
【０２５７】
手持式機器６１６と支持台６６０と吊持具６７０を用いることによって，手持式機器６１６を人体６０９から吊持又は支持することができる。
【０２５８】
図２８に記載の装置は，支持部２１０の棒持台２４４が抱持する棒状体３０８の上に送風部３０１を支持することにより，支持部２１０の上に送風部３０１を支持する。
【０２５９】
送風部３０１は，支持台６６０のスライダー６６１及びスライダー６６１を支持する吊持具６７０に向けて送風することにより，吊持具６７０を支持する人体６０９に向けて送風できる。
【０２６０】
図２９及び３０に記載の装置は，人体６０９の首に掛けられた吊持具６７０から支持される支持台６６０を，人体６０９が着用する上着６２０の胸部に接触させる。
【０２６１】
これにより，支持台６６０は人体６０９の首及び胸から安定的に支持される。さらに，前記装置は，送風部３０１を上着６２０に接触させずに送風部３０１を人体６０９の胸又は首に向けて送風できる。
【０２６２】
このため，手持式機器６１６を手で支持せずとも送風部３０１を人体６０９の胸又は首に向けて安定的に送風できる効果を得ることができる。
【０２６３】
よって，「手持ち式の携帯扇風機を首から吊り下げて手を離した状態であっても首に向けて安定して送風できるように支持できる支持台６６０を備えた手持ち式の携帯扇風機を提供する」という課題を解決することができる。
【０２６４】
図３１に記載の吊持具６７０は環状体６７１から支持される輪状体６７２又はループ状の糸状体６７２である部品（日本では「松葉」とよばれるストラップ）を有している。
【０２６５】
手持式機器６１６の棒状体３０８又は送風部３０１には，輪状体６７２又は糸状体６７２が通過できる穴６７３が設けられている。穴６７３に輪状体６７２又は糸状体６７２を通過させることにより，手持式機器６１６を吊持具６７０から吊持することができる。そして，吊持具６７０の環状体６７１を人体６０９の首に掛けることにより，手持式機器６１６は人体６０９の首から吊持される。このため，手持式機器６１６から手を放しても手持式機器６１６は落下しなくなる。
【０２６６】
手持式機器６１６を首から下げた状態のままで，手持式機器６１６を落下させずに支持台６６０を取り付ける方法は，下記のステップ１とステップ２からなる。
【０２６７】
ステップ１：支持台６６０の２つのスライダー６６１のそれぞれを吊持具６７０の環状体６７１の２か所に装着する（ ステップ１の作業は図３１において矢印６８８で示される）。
【０２６８】
支持台６６０には，図３２に示すように，環状体６７１を開環せずに環状体６７１を着脱できるスライダー６６１が設けられており，スライダー６６１には環状体６７１の離脱を防止するための突起６６２が設けられている。スライダー６６１は支持台６６０の右上と左上の２か所に設けられている。スライダー６６１は平行に設けられた２つの溝を有し，前記溝に環状体６７１を挟むことができる。
【０２６９】
ステップ１の作業中において手持式機器６１６を手で支持しなくても手持式機器６１６は落下しない。このため，支持台６６０を片手に持ち，吊持具６７０をもう片方の手に持った状態で，支持台６６０を吊持具６７０に装着するステップ１の作業を両手を使って安全に行えるようになる効果を得ることができる。
【０２７０】
ステップ１の作業が完了することによって，手持式機器６１６と支持台６６０は両方とも人体６０９の首から吊持される。このため，次のステップ２の作業中に手持式機器６１６又は支持台６６０から誤って手を放しても，手持式機器６１６及び支持台６６０は落下しなくなる効果を得ることができる。
【０２７１】
ステップ２：手持式機器６１６の棒状体３０８を支持台６６０の支持部２１０に抱持させる。（ステップ２の作業は図３１において矢印６８９で示される）。
【０２７２】
ステップ２の作業が完了することによって，図２９及び３０に記載の装置が提供される。
【０２７３】
なお，前記装置を首から下げた状態のままで，手持式機器６１６を落下させずに支持台６６０を取り外す方法については，上記のステップ２とステップ１の作業を逆に行えばよい。前記取り外す作業中に誤って手を滑らせても手持式機器６１６を落下させることはない。
【０２７４】
よって，「手持ち式の携帯扇風機を首から吊り下げた状態で安全に着脱できる支持台６６０と，前記着脱の作業中に前記扇風機を誤って落下させないための安全な着脱方法を提供する」という課題を解決することができる。
【０２７５】
図３３及び３４に示すように，支持台６６０のスライダー６６１は吊持具６７０によって安定的に支持されるが，吊持具６７０を強く引っ張ったときにだけ吊持具６７０とスライダー６６１が相互にスライドするようにスライダー６６１の形状を調整することは図３２から３４を見た当業者にとって容易である。これにより，支持台６６０は吊持具６７０の少なくとも２か所でスライド可能に支持される。よって，前記装置の送風部３０１と人体６０９の首の間の距離を調整できる効果を得ることができる。
【０２７６】
従来技術である特許文献１６の図１では，首掛け用のストラップの長さを調整するための調整具（長さ調整パーツ）が首の後ろに位置している。このため，調整のために両手を上にあげて首の後ろに手をまわして調整する必要があった。しかし，この方法では調整具を目視できないため，手探りで調整具を見つける必要があり，調整作業に時間がかかるという欠点があった。また，調整具を手で触るためには，両手を上にあげて脇を開いた状態で手を首の後ろにまわす必要があり，この格好が人前では失礼に見えてしまう場合があった。また，脇を開いたときに脇の下の汗ジミが見えてしまう場合があるため，人目を気にする女性などにとっては人前で調整作業をしにくいという欠点があった。
【０２７７】
これに対し，本発明の装置によれば，首に掛けられた吊持具６７０の下の部分を片手で下に引っ張りながら，もう片方の手で棒状体３０８を持って，支持台６６０と吊持具６７０を相互にスライドさせることが容易にできる。このため，前記の調整作業をする手元を目視しながら調整作業ができ，扇風機を適切な位置に素早く調整できる効果を得ることができる。また，脇を開かずに胸の前で調整作業を行うことができる効果を得ることができ，人前で調整作業をしやすくなる効果を得ることができる。
【０２７８】
図３５に記載の装置の支持台６６０の支持部２１０は手持式機器６１６の棒状体３０８を回動可能に支持する。棒状体３０８を支持部２１０に対して回動させたときに，送風部３０１のファンガード３０５が支持台６６０にぶつかることなく棒状体３０８を３６０度回動できる。
【０２７９】
送風部３０１のファンガード３０５の大きさを計測することよって，ファンガード３０５が支持台６６０にぶつからないように，棒状体３０８を支持する支持部２１０の棒持台２４４の角度を調整することは図３５を見た当業者にとって容易である。
【０２８０】
また，棒状体３０８の幅を計測することによって，棒状体３０８をスライド可能に支持できるように支持部２１０の棒持台２４４の大きさを調整することも図３５を見た当業者にとって容易である。
【０２８１】
図３６に示すように，棒状体３０８と送風部３０１の間に少なくとも１つの可動な部品である蝶番部３０７を設けることにより，送風部３０１の向きを調整できるようになる。これにより，送風部３０１を人体６０９の顔に向けることが容易にできるようになる。
【０２８２】
棒状体３０８と送風部３０１の間に可動な部品を設ける方法については，実施例１に詳細に記述されている。
【０２８３】
図３７及び３８に記載の装置は，支持台６６０において支持部２１０を回動できる。これにより，棒状体３０８と送風部３０１の間に可動な部品がない手持式機器６１６の場合であっても，送風部３０１が人体６０９の顔に向くように調整することができるようになる。
【０２８４】
支持台６６０において支持部２１０を回動できるようにする方法については，実施例１に詳細に記述されている。
【０２８５】
図３９に記載の装置は，
「支持台を上着６２０に接触させずに 
支持台を吊持具６７０のみによって吊持したときに
棒状体３０８の最も低い部分の位置６８２が送風部３０１の最も低い部分の位置６８１よりも低くい状態で
前記支持台を吊持具６７０から吊持することができる装置」
である。
【０２８６】
すなわち，図３９に記載の装置は 送風部３０１よりも棒状体３０８の方が低い位置にあるので，支持台６６０の背面が人体６０９の胸の方を向いた状態で吊持される。このため，そのまま吊持具６７０を人体６０９の首に掛けたときに，棒状体３０８の上に送風部３０１が配置されやすくなる。よって，手持式機器６１６を正しい向き（送風部３０１が上で棒状体３０８が下）で首に掛けることが容易になる効果を得ることができる。
【０２８７】
これに対し，図４０に記載の装置は，
「支持台を上着６２０に接触させずに 
支持台を吊持具６７０のみによって吊持したときに
棒状体３０８の最も低い部分の位置６８２が送風部３０１の最も低い部分の位置６８１よりも高い状態で
前記支持台を吊持具６７０から吊持することができる装置」
である。
【０２８８】
すなわち，図４０に記載の装置は 送風部３０１よりも棒状体３０８の方が高い位置にあるので，支持台６６０の背面が人体６０９の胸の方を向いていない状態で吊持される。このため，そのまま吊持具６７０を人体６０９の首に掛けたときに，棒状体３０８の上に送風部３０１が配置されにくくなる（手持式機器６１６がひっくり返った状態である「送風部３０１が下で棒状体３０８が上の状態」に配置されやすくなる）。よって，手持式機器６１６を正しい向き（送風部３０１が上で棒状体３０８が下）で首に掛けることは困難になる。
【０２８９】
本発明者は様々な支持台を製作して実験を重ねた結果，図３９と図４０の効果の違いは，支持部２１０とスライダー６６１の間の距離の違いによって引き起こされることを見出した。すなわち，棒状体３０８に内包されているリチウムイオン電池３０４は軽いのに対し，送風部３０１に内包されているステンレス製の電動機３０３は重い。手持式機器６１６の全体の重心の位置は送風部３０１の側に偏っており，手持式機器６１６の全体の重心の位置は送風部３０１の中に位置する。このため，支持部２１０が棒状体３０８のどの部分を支持したとしても，送風部３０１がある側の部分（支持部より上の側の部分）の方が送風部３０１がない側の部分（支持部より下の側の部分）より重い。物理法則によれば，前記装置全体を吊持具６７０で吊持したときに，前記装置全体の重心の位置は吊持の支点であるスライダー６６１の真下に常に位置するようにして吊持される。支持部２１０とスライダー６６１の間の距離が短くなると，前記重心の位置が高くなるため，その重心の位置がスライダー６６１の真下になるように装置全体が傾いて吊持される。その結果，重い送風部３０１が軽い棒状体３０８よりも下に位置するように装置全体が図４０のように傾いて吊持されるようになる。
【０２９０】
支持部２１０とスライダー６６１の間の距離を長くすると，図３９のように，送風部３０１の位置は上がり，棒状体３０８の位置は下がる。逆に，支持部２１０とスライダー６６１の間の距離を短くすると，図４０のように，送風部３０１の位置は下がり，棒状体３０８の位置は上がる。
【０２９１】
上記の知見に基づいて，図３９のように，手持式機器６１６を正しい向き（送風部３０１が上で棒状体３０８が下）で首に掛けやすい装置となるように，支持部２１０とスライダー６６１の間の距離を調整することは，当業者にとって容易である。
【０２９２】
一方，上記の知見を知らずに支持台６６０を製造してしまうと，図４０のように，手持式機器６１６を正しい向き（送風部３０１が上で棒状体３０８が下）で首に掛けることが困難な装置となり，製品としての価値を著しく損なう可能性がある。このため，上記の知見に基づく調整は大変重要である。
【０２９３】
なお，図３９に記載の装置は，
「支持台を前記上着６２０に接触させずに
支持台を吊持具６７０のみによって吊持したときに
棒状体３０８の重心の位置が送風部３０１の重心の位置よりも低くい状態で
支持台を吊持具６７０から吊持することができる装置」であるとして特定することもできる。
【０２９４】
なお，図２８に示すように，送風部３０１と支持台６６０のスライダー６６１の間に空間がある。これにより，空間に指を入れて棒状体３０８に設けられたスイッチ３０９を指で押すことができる。
【０２９５】
なお，図１７及び１８に示すように，棒状体３０８に設けられた電池ケースの蓋３１０の外側から支持部２１０の棒持台２４４は棒状体３０８を抱持する。これにより，誤って手持式機器６１６を落下させて地面に衝突させた場合であっても，落下の衝撃で蓋が棒状体３０８から外れにくくなる効果を得ることができる。よって，電池３０４が外に飛び出ててしまう事故や，飛び出た電池３０４を幼児が触ってしまう事故を防ぐことができる。
【０２９６】
また，従来技術である特許文献１７の図９に記載の携帯型空気清浄機１を吊持する紐１５に他の物品（例えば，入室管理用のＩＤカードなど）をさらに吊持させることは難しかった。このため，入室管理用のＩＤカードを首に掛ける必要がある場合には，さらに別の首掛け紐を使う必要があった。しかし，複数の首掛け用の紐をいっしょに使用すると，それらの紐が相互に絡まりあって首を絞めつける危険性があった。このため， 「ＩＤカードを吊持する吊持具から支持可能な扇風機であって，前記ＩＤカードをカードリーダーに近づけても，前記扇風機の送風の方向が変わらない扇風機を提供する」が課題であった。
【０２９７】
これに対し，本発明の装置によれば，
「環状体６７１を有する吊持具６７０と，
吊持具６７０からスライド可能に支持される少なくとも２つのスライダー６６１と，
スライダー６６１から支持される接触部６６３と，
スライダー６６１から支持される送風部３０１と，
を有し，
環状体６７１を開環せずにスライダー６６１は環状体６７１を着脱でき，
かつ，
吊持具６７０を首に掛けた人体６０９が着用する上着６２０に接触部６６３を接触させた状態で
送風部３０１を人体６０９に向けて送風できる装置」が提供される。
【０２９８】
これにより，前記装置の吊持具６７０として，ＩＤカード６５６を吊持できる輪状体６７２又は糸状体６７２が設けられた環状体６７１を有する吊持具（日本では「松葉つきのネックストラップ」として一般的に使用されている吊持具）を使用することによって，図４１に示すように，１つの吊持具６７０によってＩＤカード６５６を適切な位置に吊持しながら，同じ吊持具６７０の環状体６７１の間に扇風機６１６を懸架することができる。ただし，「懸架する」とは，環状体６７１の２つの部位の間を橋渡しするように扇風機６１６を架けることである。
よって，ＩＤカード６５６の上の適切な位置（首や顔に向けて送風しやすい位置）に扇風機６１６を配置することができる効果を得ることができる。
【０２９９】
また，図４２に示すように，扇風機の支持台６６０を胸に接触させたままの状態で，送風部３０１の送風の方向を変えることなく，ＩＤカード６５６をカードリーダー６５７に近づけることができる効果を得ることができる。
【０３００】
よって，「ＩＤカードを吊持する吊持具から支持可能な扇風機であって，前記ＩＤカードをカードリーダーに近づけても，前記扇風機の送風の方向が変わらない扇風機を提供する」という課題を解決することができる。
【０３０１】
本発明の装置Ｂ１によれば，
「環状体を有する吊持具と，
前記吊持具から支持される支持台と，
前記支持台から支持される送風部と，
を有し，
前記吊持具を首に掛けた人体が着用する着用物に前記支持台を接触させた状態で
前記送風部を前記人体に向けて送風できる
装置」が提供される。
これにより，図２８から３０及び実施例２において詳細に説明されている支持台６６０の効果である「手持式機器６１６を手で支持せずとも送風部３０１を人体６０９の胸又は顔又は首に向けて安定的に送風できる効果」を得ることができる。
よって，「手持ち式の携帯扇風機を首から吊り下げて手を離した状態であっても首に向けて安定して送風できるように支持できる支持台を備えた手持ち式の携帯扇風機を提供する」という課題を解決することができる。
【０３０２】
本発明の装置Ｂ２によれば，
「前記環状体を開環せずに
前記支持台は前記環状体を着脱できる
装置Ｂ１に記載の装置」が提供される。
これにより，図３１，３２及び実施例２において詳細に説明されている効果である「手持ち式の携帯扇風機を首から吊り下げた状態で落下させずに安全に支持台を着脱できる効果」を得ることができる。
よって，「手持ち式の携帯扇風機を首から吊り下げた状態で安全に着脱できる前記支持台と，前記着脱の作業中に前記扇風機を誤って落下させないための安全な着脱方法を提供する」という課題を解決することができる。
【０３０３】
本発明の装置Ｂ３によれば，
「前記支持台は前記吊持具からスライド可能に支持される
装置Ｂ２に記載の装置」が提供される。
これにより，図３３，３４及び実施例２において詳細に説明されている効果である「扇風機を首に掛けた状態で，送風部と首の間の距離を調整できる効果」を得ることができる。また，首に掛けられた吊持具６７０の下の部分を片手で下に引っ張りながら，もう片方の手で棒状体３０８を持ってスライドさせることが容易にできる。
このため，前記の調整作業をする手元を目視しながら調整作業ができ，扇風機を適切な位置に素早く調整できる効果を得ることができる。また，脇を開かずに胸の前で調整作業を行うことができる効果を得ることができ，人前で調整作業をしやすくなる効果を得ることができる。
よって，「送風部と首の間の距離を素早く調整でき，また，前記調整の作業をする手元を目視しながら作業でき，さらに，脇を開かずに胸の前で前記作業をすることができる扇風機を提供する」という課題を解決することができる。
【０３０４】
本発明の装置Ｂ４によれば，
「前記環状体の少なくとも２か所で
前記支持台は前記吊持具からスライド可能に支持される
装置Ｂ２又はＢ３に記載の装置」が提供される。
これにより，前記装置の吊持具６７０として，ＩＤカード６５６を吊持できる輪状体６７２又は糸状体６７２が設けられた環状体６７１を有する吊持具（日本では「松葉つきのネックストラップ」として一般的に使用されている吊持具）を使用することによって，図４１に示すように，１つの吊持具６７０によってＩＤカード６５６を適切な位置に吊持しながら，同じ吊持具６７０の環状体６７１の間に扇風機６１６を懸架することができる。よって，ＩＤカード６５６の上の適切な位置（首や顔に向けて送風しやすい位置）に扇風機６１６を配置することができる効果を得ることができる。
また，図４２に示すように，扇風機６１６の支持台６６０を胸に接触させたままの状態で，送風部３０１の送風の方向を変えることなく，ＩＤカード６５６をカードリーダー６５７に近づけることができる効果を得ることができる。よって，「さらに，ＩＤカードを吊持する吊持具から支持可能な扇風機であって，前記ＩＤカードをカードリーダーに近づけても，前記扇風機の送風の方向が変わらない扇風機を提供する」という課題を解決することができる。
【０３０５】
本発明の装置Ｂ５によれば，
「前記支持台から着脱可能に支持される棒状体を有し，
前記送風部は前記棒状体を介して前記支持台から支持される
装置Ｂ１からＢ４のいずれかに記載の装置」が提供される。
これにより，前記装置は，図３１に示すように，２通りに使える効果を得ることができる。すなわち，「支持台６６０から棒状体３０８を離脱させた状態において握持可能な手持ち部としての棒状体３０８を備えた携帯扇風機６１６として使用できる効果」と，「支持台６６０に棒状体３０８を装着して首から吊り下げて手を離した状態においても首に向けて安定して送風できる効果」の両方を得ることができる。
【０３０６】
本発明の装置Ｂ６によれば，
「前記吊持具を前記首に掛けた前記人体が着用する前記着用物に前記支持台を接触させた状態で
前記送風部を前記着用物に接触させずに
前記送風部を前記人体に向けて送風できる
装置Ｂ５に記載の装置」が提供される。
図３５に示すように，前記送風部が前記着用物である上着に接触しないことにより，「前記送風部が前記上着にぶつかることで前記送風部の向きが意図しない方向に変えられてしまう現象」を防止することができる効果を得ることができる。これにより，前記装置の送風がさらに安定化される。
【０３０７】
本発明の装置Ｂ７によれば，
「前記棒状体を支持する支持部を前記支持台に有し，
前記吊持具を前記首に掛けた前記人体が着用する前記着用物に前記支持台を接触させた状態で
前記送風部を前記支持部の上に支持できる
装置Ｂ５又はＢ６に記載の装置」が提供される。
これにより，図３０に示すように，送風部３０１が人体６０９の首に接近するように配置される効果を得ることができる。よって，人体６０９の首や顔や胸に気流が届きやすくなる効果を得ることができる。
【０３０８】
本発明の装置Ｂ８によれば，
「前記支持部が前記棒状体を回動可能に支持できる
請求項７に記載の装置」が提供される。
これにより，図３５に示すように，送風部３０１による送風の向きを人体６０９の様々な部位に向けることができる効果を得ることができる。
【０３０９】
本発明の装置Ｂ９によれば，
「前記棒状体を前記支持部に対して回動させたときに
前記送風部のファンガードが前記支持台にぶつかることなく
前記棒状体を３６０度回動できる
装置Ｂ７又はＢ８に記載の装置」が提供される。
これにより，図３５に示すように，送風部３０１による送風の向きを人体６０９の様々な部位に向けることがさらに容易になる効果を得ることができる。
【０３１０】
本発明の装置Ｂ１０によれば，
「前記支持部が前記棒状体をスライド可能に支持できる
装置Ｂ７からＢ９のいずれかに記載の装置」が提供される。
これにより，図３０に示すように，扇風機６１６を首に掛けたときに，支持台６６０と棒状体３０８の間は１７度傾いているため，棒状体３０８をスライドさせることによって，送風部３０１と人体６０９の間の距離を調整できる効果を得ることができる。
【０３１１】
本発明の装置Ｂ１１によれば，
「前記支持台において前記支持部を回動できる
装置Ｂ７からＢ１０のいずれかに記載の装置」が提供される。
これにより，図３７，３８及び実施例２において詳細に説明されている効果である「手持ち式の携帯扇風機の棒状体と送風部の間に可動な部品がない場合であっても，送風部が顔に向くように調整することができる効果」を得ることができる。
【０３１２】
本発明の装置Ｂ１２によれば，
「前記支持台を前記着用物に接触させずに 
前記支持台を前記吊持具のみによって吊持したときに
前記棒状体の最も低い部分の位置が前記送風部の最も低い部分の位置よりも低くい状態で
前記支持台を前記吊持具から吊持することができる
装置Ｂ５からＢ１１のいずれかに記載の装置」が提供される。
これにより，図３９及び実施例２において詳細に説明されている効果である「吊持具に吊るした扇風機をそのまま首に掛けたときに，棒状体の上に送風部が配置されやすくなり，手持ち式の携帯扇風機を正しい向き（送風部３０１が上で棒状体３０８が下）で首に掛けることが容易になる効果」を得ることができる。
【０３１３】
本発明の装置Ｂ１３によれば，
「前記支持台を前記着用物に接触させずに
前記支持台を前記吊持具のみによって吊持したときに
前記棒状体の重心の位置が前記送風部の重心の位置よりも低くい状態で
前記支持台を前記吊持具から吊持することができる
装置Ｂ５からＢ１１のいずれかに記載の装置」が提供される。
【０３１４】
本発明の装置Ｂ１４によれば，
「前記棒状体と前記送風部の間に少なくとも１つの可動な部品
を有する
装置Ｂ５からＢ１３のいずれかに記載の装置」が提供される。
図３６に示すように，棒状体３０８と送風部３０１の間に少なくとも１つの可動な部品である蝶番部３０７を設けることにより，送風部３０１の向きを調整できるようになる。これにより，送風部３０１を人体６０９の顔に向けることが容易にできるようになる効果を得ることができる。
【０３１５】
本発明の装置Ｂ１５によれば，
「前記棒状体に内包又は内設された電源と，
前記送風部に内包又は内設された電動機と，
前記電動機によって駆動される羽根車と，
前記電源と前記電動機を電気的に接続する電気伝導体と，
を有する
装置Ｂ５からＢ１４のいずれかに記載の装置」が提供される。
【０３１６】
本発明の装置Ｂ１６によれば，
「前記吊持具から前記支持台を離脱させることができ，
かつ，
前記吊持具から前記支持台を離脱させた状態で
前記吊持具は前記送風部を吊持できる
装置Ｂ１からＢ１５のいずれかに記載の装置」が提供される。
図３１に示す装置は，輪状体６７２又は糸状体６７２を介して棒状体３０８が吊持具６７０から吊持される。これにより，図３０に示すように，吊持具６７０と棒状体３０８と支持台６６０の３つの部品が全て相互に支持しあう状態となる。このため，前記３つの部品の間のいずれかの支持が意図せずに外れてしまった場合であっても，前記３つの部品の全てが落下せずに吊持され続ける効果を得ることができる。よって，部品を落下させることによる破損事故を防ぎやすくなる効果を得ることができる。
【０３１７】
本発明の装置Ｂ１７によれば，
「前記吊持具は前記支持台の下に物品を吊持できる
装置Ｂ１からＢ１６のいずれかに記載の装置」が提供される。
これにより，前記装置は，図４１に示すように，吊持具６７０の環状体６７１の間に扇風機６１６を懸架した状態で，同じ吊持具６７０によって物品であるＩＤカード６５６を適切な位置に吊持することができる。よって，ＩＤカード６５６の上の適切な位置（首や顔に向けて送風しやすい位置）に送風部３０１を配置することができる効果を得ることができる。
また，図４２に示すように，扇風機６１６の支持台６６０を胸に接触させたままの状態で，送風部３０１の送風の方向を変えることなく，ＩＤカード６５６をカードリーダー６５７に近づけることができる効果を得ることができる。
よって，「さらに，ＩＤカードを吊持する吊持具から支持可能な扇風機であって，前記ＩＤカードをカードリーダーに近づけても，前記扇風機の送風の方向が変わらない扇風機を提供する」という課題を解決することができる。
【０３１８】
本発明の装置Ｂ１８によれば，
「装置Ｂ１からＢ１７のいずれかに記載の装置に用いる
前記支持台」が提供される。
【０３１９】
本発明の装置Ｂ１９によれば，
「装置Ｂ１からＢ１７のいずれかに記載の装置に用いる
前記支持台と前記吊持具を備えた首掛け具」が提供される。
【０３２０】
本発明の装置Ｂ２０によれば，
「装置Ｂ７からＢ１１のいずれかに記載の装置に用いる
前記支持部の棒持台」が提供される。
【０３２１】
本発明の装置Ｂ２１によれば，
「環状体を有する吊持具と，
前記吊持具からスライド可能に支持される少なくとも２つのスライダーと，
前記スライダーから支持される接触部と，
前記スライダーから支持される送風部と，
を有し，
前記環状体を開環せずに前記スライダーは前記環状体を着脱でき，
かつ，
前記吊持具を首に掛けた人体が着用する着用物に前記接触部を接触させた状態で
前記送風部を前記人体に向けて送風できる装置 」が提供される。
これにより，図３３，３４及び実施例２において詳細に説明されている効果である「扇風機を首に掛けた状態で，送風部と首の間の距離を調整できる効果」を得ることができる。よって，「送風部と首の間の距離を素早く調整でき，また，前記調整の作業をする手元を目視しながら作業でき，さらに，脇を開かずに胸の前で前記作業をすることができる扇風機を提供する」という課題を解決することができる。
また，前記装置の吊持具６７０として，ＩＤカード６５６を吊持できる輪状体又は糸状体を環状体６７１に有する吊持具（日本では「松葉つきのネックストラップ」として一般的に使用されている吊持具）を使用することによって，図４１に示すように，１つの吊持具６７０によってＩＤカード６５６を適切な位置に吊持しながら，同じ吊持具６７０の環状体６７１の間に扇風機６１６を懸架することができる。よって，ＩＤカード６５６の上の適切な位置（首や顔に向けて送風しやすい位置）に扇風機６１６を配置することができる効果を得ることができる。
また，図４２に示すように，扇風機６１６の支持台６６０を胸に接触させたままの状態で，送風部３０１の送風の方向を変えることなく，ＩＤカード６５６をカードリーダー６５７に近づけることができる効果を得ることができる。
よって，「さらに，ＩＤカードを吊持する吊持具から支持可能な扇風機であって，前記ＩＤカードをカードリーダーに近づけても，前記扇風機の送風の方向が変わらない扇風機を提供する」という課題を解決することができる。
なお，装置Ｂ２１は，実質的に装置Ｂ４と同一である。すなわち，装置Ｂ４に記載の「支持台」という名称の代わりに，「スライダー」と「接触部」の２つの名称を用いて装置Ｂ４に記載の発明を特定する事項を表現し直したものが装置Ｂ２１である。すなわち，図４１に記載の吊持具６７０からスライド可能に支持される支持台６６０の「スライドする部分」がスライダー６６１である。また，図４１に記載の着用物６２０と接触する支持台６６０の「接触する部分」が接触部６６３である。
【０３２２】
本発明の装置Ｂ２２によれば，
「前記吊持具から前記スライダーを離脱させることができ，
かつ，
前記吊持具から全ての前記スライダーを離脱させた状態で
前記吊持具は前記送風部を吊持できる
装置Ｂ２１に記載の装置」が提供される。
図３１に示す装置は，輪状体６７２又は糸状体６７２を介して棒状体３０８が吊持具６７０から吊持される。これにより，図３０に示すように，吊持具６７０と棒状体３０８と支持台６６０の３つの部品が全て相互に支持しあう状態となる。このため，前記３つの部品の間のいずれかの支持が意図せずに外れてしまった場合であっても，前記３つの部品の全てが落下せずに吊持され続ける効果を得ることができる。よって，部品を落下させることによる破損事故を防ぎやすくなる効果を得ることができる。
【０３２３】
本発明の装置Ｂ２３によれば，
「前記吊持具は前記スライダーの下に物品を吊持できる
装置Ｂ２１又はＢ２２に記載の装置」が提供される。
【０３２４】
本発明の装置Ｂ２４によれば，
「装置Ｂ２１からＢ２３のいずれかに記載の装置に用いる
前記スライダーと，
前記接触部と，
前記送風部と，
を有する
扇風機」が提供される。
【０３２５】
本発明の装置Ｂ２５によれば，
「装置Ｂ２１からＢ２３のいずれかに記載の装置に用いる
前記スライダーと，
前記接触部と，
を有する
支持台」が提供される。
【実施例３】
【０３２６】
実施例３では，実施例１で詳細に記載した発明の概要を記載する。
【０３２７】
（発明が解決しようとする課題）
装置Ａ１の発明により解決しようとする課題Ａ１は，
「１つの送風部からの気流を着用物の内側と外側の両方に導くことができる扇風機に用いる取付器具を提供する」ことである。
【０３２８】
装置Ａ２の発明により解決しようとする課題Ａ２は，「１つの送風部からの気流を着用物の内側と外側の両方に導くことができる扇風機を提供する」ことである。
【０３２９】
装置Ａ３の発明により解決しようとする課題Ａ３は，「さらに，前記着用物の外側に露出する人体の部分にも前記気流を導くことを調整できる前記扇風機を提供する」ことである。
【０３３０】
装置Ａ４の発明により解決しようとする課題Ａ４は，「さらに，着用物を人体が着用した状態で，扇風機を前記着用物に簡単に着脱できる前記扇風機を提供する」ことである。
【０３３１】
装置Ａ５の発明により解決しようとする課題Ａ５は，「さらに，着用物を人体が着用した状態で，扇風機を前記着用物の縁に簡単に着脱できる前記扇風機を提供する」ことである。
【０３３２】
装置Ａ６の発明により解決しようとする課題Ａ６は，「さらに，着用物である上着と上半身の間の隙間及び，別の着用物であるヘルメットと頭部の間の隙間に向けて送風できる前記扇風機を提供する」ことである。
【０３３３】
装置Ａ７の発明により解決しようとする課題Ａ７は，「さらに，扇風機が取り付けられた襟を有する上着を着用する人体が着用する別の着用物であるヘルメットと前記人体の頭部の間の隙間に向けて送風できる前記扇風機，又は，扇風機が取り付けられた縁を有するヘルメットを着用する人体が着用する別の着用物である上着と前記人体の上半身の間の隙間に向けて送風できる前記扇風機を提供する」ことである。
【０３３４】
装置Ａ８の発明により解決しようとする課題Ａ８は，「さらに，取付対象物である上着と人体の上半身の間の空間に気流を送り込むための入り口の形状が安定的に確保される扇風機，又は，取付対象物であるヘルメットと人体の頭部の間の空間に気流を送り込むための入り口の形状が安定的に確保される前記扇風機を提供する」ことである。
【０３３５】
装置Ａ９の発明により解決しようとする課題Ａ９は，「さらに，使用者が歩行しているときは上着又は帽子又はヘルメットに着用できる扇風機として使用することができ，使用者が机の前に座ったときは机上に置ける扇風機として使用できる前記扇風機を提供する」ことである。
【０３３６】
装置Ａ１０の発明により解決しようとする課題Ａ１０は，「さらに，扇風機が人体に接触したときに，扇風機と接触する人体の表面が蒸れない前記扇風機を提供する」ことである。
【０３３７】
装置Ａ１１の発明により解決しようとする課題Ａ１１は，「さらに，扇風機が人体に接触したときに，人体と扇風機の間の狭い隙間が蒸れない前記扇風機を提供する」ことである。
【０３３８】
装置Ａ１２の発明により解決しようとする課題Ａ１２は，「さらに，人体が動き回っても気流を安定して着用物の内側及び人体に導くことができる前記扇風機を提供する」ことである。
【０３３９】
装置Ａ１３の発明により解決しようとする課題Ａ１３は，「さらに，人体が動き回っても気流を安定して着用物の内側及び人体の首や背中に導くことができる前記扇風機を提供する」ことである。
【０３４０】
装置Ａ１４の発明により解決しようとする課題Ａ１４は，「さらに，人体が動き回っても取付対象物である着用物と人体の間の空間に気流を送り込むための入り口の形状が安定的に確保される前記扇風機を提供する」ことである。
【０３４１】
装置Ａ１５の発明により解決しようとする課題Ａ１５は，「さらに，人体が着用する上着とヘルメットのそれぞれに１つずつ取付器具をつけて，前記上着又は前記ヘルメットのいずれかにつけた前記取付器具によって支持される送風部から送風される気流を，それぞれの前記取付器具によって前記上着の内側及び前記ヘルメットの内側に導くことができる前記扇風機を提供する」ことである。
【０３４２】
装置Ａ１６の発明により解決しようとする課題Ａ１６は，「さらに，扇風機としての装置を目視できない状況下であっても，襟の後ろ側を抱持させることが容易な扇風機を提供し，さらに，扇風機の腕を取付対象物である上着の襟につけたままで送風部を腕から取り外して手持ち式扇風機として使える前記扇風機を提供する」ことである。
【０３４３】
（課題を解決するための手段）
本明細書において「腕」とは，本発明の装置が有する「腕」であって，人体の腕ではない。本発明の装置を身に着ける目的で「腕」に着用物を抱持させたときは，「腕」は「抱持部」である。また，本発明の装置を身に着ける目的で「腕」に着用物を挟持させたときは，「腕」は「挟持部」である。よって，本発明の装置を使用する際の状態に応じて，「腕」を「抱持部」又は「挟持部」と読み替えてもよい。実施例１の図２において，「腕」は取付器具６２２が有する腕６２３である。
【０３４４】
本明細書において「足」とは，本発明の装置が有する「足」であって，人体の足ではない。本発明の装置を身に着けたときは，「足」は人体又は着用物に接触する「接触部」である。また，本発明の装置を机面に置いたときは，「足」は机面に接触する「接触部」でもある。よって，本発明の装置を使用する際の状態に応じて，「足」を「接触部」と読み替えてもよい。実施例１の図２において，「足」は取付器具６２２が有する足６３２である。また，実施例２の図４１において，「足」は支持台６６０が上着６２０に接触するときの接触部６６３である。
【０３４５】
本明細書において「上着」とは「人体の首から膝の間の部分に着用することができるあらゆる着用物の総称」であると定義する。
【０３４６】
本明細書において「下着」とは「上着と人体の間に着用することができるあらゆる着用物の総称」であると定義する。
【０３４７】
本明細書において「帽子」とは「人体の頭部に着用することができるあらゆる着用物の総称」である定義する。
【０３４８】
本明細書において「襟」とは「上着から頭部を露出させるために設けられた上着の縁」であり，「襟台」「衿」「台衿」は襟である。Ｔシャツに設けられた頭部通過用の穴の縁も襟である。
【０３４９】
以下に記載の装置Ａ１からＡ２６は実施例１において詳細に説明されている。
【０３５０】
装置Ａ１は，
「人体が着用する着用物によって支持される腕と，
前記腕によって支持される風向調整体であるウイングと，
を有し，
前記着用物の外側から前記ウイングに向けて送風された気流を前記ウイングで分流して前記着用物の内側へ導くことができる
取付器具」である。
【０３５１】
装置Ａ２は，
「少なくとも１つの装置Ａ１に記載の取付器具と，
前記ウイングに向けて前記気流を送風できる送風部と，
を有し，
前記腕から前記送風部が支持される
又は
前記人体が着用する上着から前記送風部が支持される
装置」である。
【０３５２】
装置Ａ３は，
「前記送風部の送風の向きを調整できるように前記送風部が前記腕又は前記上着から支持される
装置Ａ２に記載の装置」である。
【０３５３】
装置Ａ４は，
「前記腕が前記着用物を抱持又は挟持できる
装置Ａ２又はＡ３に記載の装置」である。
【０３５４】
装置Ａ５は，
「前記腕を前記着用物に掛けること又は吊るすことができる
装置Ａ２からＡ４のいずれかに記載の装置」である。
【０３５５】
装置Ａ６は，
「前記着用物が前記人体の上半身又は頭部に着用できる着用物である
装置Ａ２からＡ５のいずれかに記載の装置」である。
【０３５６】
装置Ａ７は，
「前記着用物が前記上着又は帽子又はヘルメットである
装置Ａ２からＡ６のいずれかに記載の装置」である。
【０３５７】
装置Ａ８は，
「前記腕が少なくとも１以上の穴を形作る又は有する
装置Ａ２からＡ７のいずれかに記載の装置」である。
【０３５８】
装置Ａ９は，
「少なくとも１つの前記腕に設けられた少なくとも１以上の足を有する
装置Ａ２からＡ８のいずれかに記載の装置」である。
【０３５９】
装置Ａ１０は，
「前記人体又は前記人体が着用する下着に前記足を接触させた状態で
前記人体又は前記下着と前記腕の間を
前記気流が通過できる
装置Ａ９に記載の装置」である。
【０３６０】
装置Ａ１１は，
「前記人体又は前記人体が着用する下着に前記足を接触させた状態で
前記人体又は前記下着と前記腕の間にできる空洞を
前記気流が通過できる
装置Ａ９又はＡ１０に記載の装置」である。
【０３６１】
装置Ａ１２は，
「前記人体又は前記人体が着用する下着に前記足を接触させた状態で
送風の向きを調整できるように設けられた前記送風部が
前記人体に向けて送風できる
装置Ａ９からＡ１１のいずれかに記載の装置」である。
【０３６２】
装置Ａ１３は，
「前記人体又は前記人体が着用する下着に前記足を接触させた状態で
送風の向きを調整できるように設けられた前記送風部が
前記人体の首又は胸又は背中に向けて送風できる
装置Ａ９からＡ１２のいずれかに記載の装置」である。
【０３６３】
装置Ａ１４は，
「前記ウイング，前記腕及び前記足の少なくともいずれかによって形作られる穴を有する
装置Ａ９からＡ１３のいずれかに記載の装置」である。
【０３６４】
装置Ａ１５は，
「２以上の前記取付器具を有する
装置Ａ２からＡ１４のいずれかに記載の装置」である。
【０３６５】
装置Ａ１６は，
「前記送風部に内包又は内設された電動機と，
前記電動機によって駆動される羽根車と，
前記送風部を支持する棒状体と，
前記棒状体に内包又は内設された電源と，
前記電源と前記電動機を電気的に接続する電気伝導体と，
前記棒状体を着脱可能に支持する支持部と，
前記支持部が設けられた外面と，
前記外面を有する前記腕と，
を有する装置Ａ２からＡ１５のいずれかに記載の装置」である。
【０３６６】
装置Ａ１７は，
「前記腕に概ねに凹形状又はＵ形状の面を有する
装置Ａ２からＡ１６のいずれかに記載の装置」である。
【０３６７】
装置Ａ１８は，
「前記着用物の外側に向けて前記気流を送風しながら前記着用物の内側に前記気流を導くことができる
装置Ａ２からＡ１７のいずれかに記載の装置」である。
【０３６８】
装置Ａ１９は，
「前記着用物が前記上着である
装置Ａ１８に記載の装置」である。
【０３６９】
装置Ａ２０は，
「前記着用物がヘルメットである
装置Ａ１８に記載の装置」である。
【０３７０】
装置Ａ２１は，
「前記着用物の内側に前記気流を導きながら前記人体が着用する別の着用物の内側にも前記気流を導くことができる
装置Ａ２からＡ１７のいずれかに記載の装置」である。
【０３７１】
装置Ａ２２は，
「前記上着の内側に前記気流を導きながら前記人体が着用するヘルメットの内側にも前記気流を導くことができる
装置Ａ２からＡ１７のいずれかに記載の装置」である。
【０３７２】
装置Ａ２３は，
「１つの環状体の少なくとも２か所を支持又は挟持できる
装置Ａ２からＡ２２のいずれかに記載の装置」である。
【０３７３】
装置Ａ２４は，
「装置Ａ２からＡ２３のいずれかに記載の装置に用いる
少なくとも前記腕と前記ウイングを有する
前記取付器具」である。
【０３７４】
装置Ａ２５は，
「前記送風部を有さない装置Ａ２４に記載の前記取付器具」である。
【０３７５】
装置Ａ２６は，
「装置Ａ１又はＡ２４又はＡ２５に記載の取付器具を有する着用物」である。
【０３７６】
（発明の効果）
請求項１から２６に係る装置Ａ１からＡ２６の効果は実施例１において詳細に説明されている。
【０３７７】
装置Ａ１によれば，
「人体が着用する着用物によって支持される腕と，
前記腕によって支持される風向調整体であるウイングと，
を有し，
前記着用物の外側から前記ウイングに向けて送風された気流を前記ウイングで分流して前記着用物の内側へ導くことができる
取付器具」が提供される。
これにより，少なくとも「１つの送風部からの気流を着用物の内側と外側の両方に導くことができる扇風機に用いる取付器具を提供する」という課題を解決することができる。
【０３７８】
当業者が利用できる特許文献１４の図６５に記載の「人体が着用する帽子から支持される扇風機」は，前記人体が着用する上着の襟に対して上着の外側から気流を当てることはできるが，該上着の内側に大量の気流を導くことは困難であった。これに対し，前記取付器具を該上着の襟に抱持させ，かつ，特許文献１４の図６５に記載の扇風機を支持する帽子を前記人体の頭部に着用することによって，該扇風機が送風する気流を前記取付器具のウイングに対して当てることができる。すなわち，送風部を有さない前記取付器具であっても，公知の該扇風機と組み合わせて用いることによって，上着の内側に大量の気流を導くことができるようになる効果を得ることができる。
【０３７９】
装置Ａ２によれば，
「少なくとも１つの装置Ａ１に記載の取付器具と，
前記ウイングに向けて前記気流を送風できる送風部と，
を有し，
前記腕から前記送風部が支持される
又は
前記人体が着用する上着から前記送風部が支持される
装置」が提供される。
これにより，少なくとも「１つの送風部からの気流を着用物の内側と外側の両方に導くことができる扇風機を提供する」という課題を解決することができる。
【０３８０】
装置Ａ３によれば，
「前記送風部の送風の向きを調整できるように前記送風部が前記腕又は前記上着から支持される
装置Ａ２に記載の装置」が提供される。
これにより，少なくとも「さらに，前記着用物の外側に露出する人体の部分にも前記気流を導くことを調整できる前記扇風機を提供する」という課題を解決することができる。
【０３８１】
装置Ａ４によれば，
「前記腕が前記着用物を抱持又は挟持できる
装置Ａ２又はＡ３に記載の装置」が提供される。
これにより，少なくとも「さらに，着用物を人体が着用した状態で，扇風機を前記着用物に簡単に着脱できる前記扇風機を提供する」という課題を解決することができる。
【０３８２】
装置Ａ５によれば，
「前記腕を前記着用物に掛けること又は吊るすことができる
装置Ａ２からＡ４のいずれかに記載の装置」が提供される。
これにより，少なくとも「さらに，着用物を人体が着用した状態で扇風機を前記着用物の縁に簡単に着脱できる前記扇風機を提供する」という課題を解決することができる。
【０３８３】
装置Ａ６によれば，
「前記着用物が前記人体の上半身又は頭部に着用できる着用物である
装置Ａ２からＡ５のいずれかに記載の装置」が提供される。
これにより，少なくとも「さらに，着用物である上着と上半身の間の隙間及び，別の着用物であるヘルメットと頭部の間の隙間に向けて送風できる前記扇風機を提供する」という課題を解決することができる。
【０３８４】
装置Ａ７によれば，
「前記着用物が前記上着又は帽子又はヘルメットである
装置Ａ２からＡ６のいずれかに記載の装置」が提供される。
これにより，少なくとも「さらに，扇風機が取り付けられた襟を有する上着を着用する人体が着用する別の着用物であるヘルメットと前記人体の頭部の間の隙間に向けて送風できる前記扇風機，又は，扇風機が取り付けられた縁を有するヘルメットを着用する人体が着用する別の着用物である上着と前記人体の上半身の間の隙間に向けて送風できる前記扇風機を提供する」という課題を解決することができる。
【０３８５】
装置Ａ８によれば，
「前記腕が少なくとも１以上の穴を形作る又は有する
装置Ａ２からＡ７のいずれかに記載の装置」が提供される。
これにより，少なくとも「さらに，取付対象物である上着と人体の上半身の間の空間に気流を送り込むための入り口の形状が安定的に確保される扇風機，又は，取付対象物であるヘルメットと人体の頭部の間の空間に気流を送り込むための入り口の形状が安定的に確保される前記扇風機を提供する」という課題を解決することができる。
【０３８６】
装置Ａ９によれば，
「少なくとも１つの前記腕に設けられた少なくとも１以上の足を有する
装置Ａ２からＡ８のいずれかに記載の装置」が提供される。
これにより，少なくとも「さらに，使用者が歩行しているときは上着又は帽子又はヘルメットに着用できる扇風機として使用することができ，使用者が机の前に座ったときは机上に置ける扇風機として使用できる前記扇風機を提供する」という課題を解決することができる。
【０３８７】
装置Ａ１０によれば，
「前記人体又は前記人体が着用する下着に前記足を接触させた状態で
前記人体又は前記下着と前記腕の間を
前記気流が通過できる
装置Ａ９に記載の装置」が提供される。
これにより，少なくとも「さらに，扇風機が人体に接触したときに，扇風機と接触する人体の表面が蒸れない前記扇風機を提供する」という課題を解決することができる。
【０３８８】
装置Ａ１１によれば，
「前記人体又は前記人体が着用する下着に前記足を接触させた状態で
前記人体又は前記下着と前記腕の間にできる空洞を
前記気流が通過できる
装置Ａ９又はＡ１０に記載の装置」が提供される。
これにより，少なくとも「さらに，扇風機が人体に接触したときに，人体と扇風機の間の狭い隙間が蒸れない前記扇風機を提供する」という課題を解決することができる。
【０３８９】
装置Ａ１２によれば，
「前記人体又は前記人体が着用する下着に前記足を接触させた状態で
送風の向きを調整できるように設けられた前記送風部が
前記人体に向けて送風できる
装置Ａ９からＡ１１のいずれかに記載の装置」が提供される。
これにより，前記人体に接触する前記足によって安定的に支持される前記腕の前記人体に対する向きは，前記人体が動き回っても安定するようになる。このため，前記腕から支持される前記ウイングと前記送風部の前記人体に対する向きを安定的に支持することができる効果を得ることができる。よって，少なくとも「さらに，人体が動き回っても気流を安定して着用物の内側及び人体に導くことができる前記扇風機を提供する」という課題を解決することができる。
【０３９０】
装置Ａ１３によれば，
「前記人体又は前記人体が着用する下着に前記足を接触させた状態で
送風の向きを調整できるように設けられた前記送風部が
前記人体の首又は胸又は背中に向けて送風できる
装置Ａ９からＡ１２のいずれかに記載の装置」が提供される。
これにより，少なくとも「さらに，人体が動き回っても気流を安定して着用物の内側及び人体の首や背中に導くことができる前記扇風機を提供する」という課題を解決することができる。
【０３９１】
装置Ａ１４によれば，
「前記ウイング，前記腕及び前記足の少なくともいずれかによって形作られる穴を有する
装置Ａ９からＡ１３のいずれかに記載の装置」が提供される。
これにより，少なくとも「さらに，人体が動き回っても取付対象物である着用物と人体の間の空間に気流を送り込むための入り口の形状が安定的に確保される前記扇風機を提供する」という課題を解決することができる。
【０３９２】
装置Ａ１５によれば，
「２以上の前記取付器具を有する
装置Ａ２からＡ１４のいずれかに記載の装置」が提供される。
これにより，少なくとも「さらに，人体が着用する上着とヘルメットのそれぞれに１つずつ取付器具をつけて，前記上着又は前記ヘルメットのいずれかにつけた前記取付器具によって支持される送風部から送風される気流を，それぞれの前記取付器具によって前記上着の内側及び前記ヘルメットの内側に導くことができる前記扇風機を提供する」という課題を解決することができる。
【０３９３】
装置Ａ１６によれば，
「前記送風部に内包又は内設された電動機と，
前記電動機によって駆動される羽根車と，
前記送風部を支持する棒状体と，
前記棒状体に内包又は内設された電源と，
前記電源と前記電動機を電気的に接続する電気伝導体と，
前記棒状体を着脱可能に支持する支持部と，
前記支持部が設けられた外面と，
前記外面を有する前記腕と，
を有する装置Ａ２からＡ１５のいずれかに記載の装置」が提供される。
これにより，「さらに，扇風機としての装置を目視できない状況下であっても，襟の後ろ側を抱持させることが容易な扇風機を提供し，さらに，扇風機の腕を取付対象物である上着の襟につけたままで送風部を腕から取り外して手持ち式扇風機として使える前記扇風機を提供する」という課題を解決することができる。
【０３９４】
装置Ａ１７によれば，
「前記腕に概ねに凹形状又はＵ形状の面を有する
装置Ａ２からＡ１６のいずれかに記載の装置」が提供される。
これにより，前記気流が前記空洞内を通過しやすくなる効果を得ることができる。
【０３９５】
装置Ａ１８によれば，
「前記着用物の外側に向けて前記気流を送風しながら前記着用物の内側に前記気流を導くことができる
装置Ａ２からＡ１７のいずれかに記載の装置」が提供される。
【０３９６】
装置Ａ１９によれば，
「前記着用物が前記上着である
装置Ａ１８に記載の装置」が提供される。
【０３９７】
装置Ａ２０によれば，
「前記着用物がヘルメットである
装置Ａ１８に記載の装置」が提供される。
【０３９８】
装置Ａ２１によれば，
「前記着用物の内側に前記気流を導きながら前記人体が着用する別の着用物の内側にも前記気流を導くことができる
装置Ａ２からＡ１７のいずれかに記載の装置」が提供される。
【０３９９】
装置Ａ２２によれば，
「前記上着の内側に前記気流を導きながら前記人体が着用するヘルメットの内側にも前記気流を導くことができる
装置Ａ２からＡ１７のいずれかに記載の装置」が提供される。
【０４００】
請求項２３に記載の装置Ａ２３によれば，
「１つの環状体の少なくとも２か所を支持又は挟持できる
装置Ａ２からＡ２２のいずれかに記載の装置」が提供される。
これにより，首掛け式の携帯扇風機として使用できる顕著な効果が得られることが，実施例２に詳細に記述されている。
【０４０１】
装置Ａ２４によれば，
「装置Ａ２からＡ２３のいずれかに記載の装置に用いる
少なくとも前記腕と前記ウイングを有する
前記取付器具」が提供される。
【０４０２】
装置Ａ２５によれば，
「前記送風部を有さない装置Ａ２４に記載の前記取付器具」が提供される。
【０４０３】
装置Ａ２６によれば，
「装置Ａ１又はＡ２４又はＡ２５に記載の取付器具を有する着用物」が提供される。
【０４０４】
以上により，課題Ａ１からＡ１６の全てが解決される。
【実施例４】
【０４０５】
従来技術によれば，「生体情報を検知し，体調異常の危険性を予知し警報する警報システムを備えた物品であって，前記警報システムが，物品の装着者の生体情報を検知する生体情報センサーと，前記生体情報センサーが検知した生体情報が閾値に達したことを判断する判断手段と，前記判断手段からの指示により危険性が高まったことを警報する警報手段と，前記警報手段が作動した場合に警報を送信する送信手段と，前記警報手段と前記送信手段とを制御する制御手段とを含むことを特徴とする，警報システムを備えた物品」がある（特許文献２０図６）。しかし，前記警報システムは前記物品又は衣服と一体化しており，前記警報システムを日常使用する別の衣服に簡単に付け替えることができない。
【０４０６】
また，別の従来技術によれば，「被検者の体表面に貼り付け可能な体温センサからの出力を取得する第１の取得手段と，被検者の体動を検知する３軸加速度センサからの出力を取得する第２の取得手段と，前記第２の取得手段により取得された３軸加速度センサからの出力に基づいて算出された被検者の活動量が，予め定められた活動量分増加する間に，前記第１の取得手段により取得された体温センサからの出力に基づいて算出される体温がどれだけ上昇したかを表す，体温上昇度を算出する算出手段と，前記算出手段により算出された体温上昇度が，所定の閾値以上であった場合に，第１の警報を出力する出力手段とを備えることを特徴とする装置」がある（特許文献２１図１）。しかし，センサーを体表面に毎回貼り付ける必要があり，付け忘れが起きやすいという欠点がある。
【０４０７】
本実施例に記載の発明が解決しようとする課題は，体調異常を検知して警報するシステムを備えた装置であって，衣服の襟に簡単に付け替えることができる装置を提供することである。さらに，前記付け替えたときにセンサーが人体の表面に簡単に配置される装置を提供することである。さらに，前記装置の付け忘れを防止するために，暑い環境の下で前記装置を身に着けようとする動機を使用者に与えるための送風機能を備えた前記装置を提供することである。
【０４０８】
本発明により，使用者が暑さ対策を目的として，実施例１に記載の携帯扇風機を衣服の襟につけるだけで，前記センサーが使用者の体表面に接触するように自然に配置され，かつ，前記警報手段が衣服の外側に自然に配置される以下の装置が提供される。
【０４０９】
本発明の装置Ｃ１は，
「人体の生体情報を検知し，体調異常の危険性を警報する警報システムと，
前記人体が着用する着用物から支持されることができる腕と，
を備えた装置であって，
前記警報システムが，
前記人体の生体情報を検知する生体情報センサーと，
前記生体情報センサーが検知した生体情報が閾値に達したことを判断する判断手段と，
前記判断手段からの指示により危険性が高まったことを警報する警報手段と，
を含むことを特徴とする，
警報システムを備えた装置」である。
【０４１０】
本発明の装置Ｃ２は，
「前記腕から支持される送風部を備えた装置Ｃ１に記載の装置」である。
【０４１１】
本発明の装置Ｃ３は，
「前記警報システムが，
前記警報手段が作動した場合に警報を送信する送信手段と，
前記警報手段と前記送信手段とを制御する制御手段とを含むことを特徴とする，
警報システムを備えた装置Ｃ１又はＣ２に記載の装置」である。
【０４１２】
本発明の装置Ｃ４は，
「前記生体情報センサーが，前記着用物の内側温度を検出する温度センサーまたは前記人体の心拍数を検知する心拍センサーまたは前記人体の脈拍数を検知する脈拍センサーまたは前記人体の心電図を検知する心電センサーまたは前記人体の体温を検知する体温センサーまたは前記人体の体動を検知する加速度センサーまたはこれらの組み合わせである，装置Ｃ１からＣ３のいずれかに記載の装置」である。
【０４１３】
本発明の装置Ｃ５は，
前記生体情報センサーが検知した生体情報より体温上昇または主観的疲労度を算出する算出手段を備える，装置Ｃ１からＣ４のいずれかに記載の装置」である。
【０４１４】
本発明の装置Ｃ６は，
「前記警報手段が音声または光または表示手段での表示または前記センサー自身の振動またはその組み合わせによるものである，装置Ｃ１からＣ５のいずれかに記載の装置」である。
【０４１５】
本発明の装置Ｃ７は，
「前記センサーまたは判断手段または前記警報手段または前記送信手段または受信手段が正常に作動していることを示す表示手段を含む，装置Ｃ１からＣ６のいずれかに記載の装置」である。
【０４１６】
本発明の装置Ｃ８は，
「前記腕に設けられた足を前記人体に接触させ，前記生体情報センサーを前記足に備える装置Ｃ１からＣ７のいずれかに記載の装置」である。
【０４１７】
本発明の装置Ｃ９は，
「前記生体情報センサーを前記腕に備える装置Ｃ１からＣ８のいずれかに記載の装置」である。
【０４１８】
本発明の装置Ｃ１０は，
「前記警報手段を前記腕又はウイングに備える装置Ｃ１からＣ９のいずれかに記載の装置」である。
【０４１９】
特許文献２０を参考にすることで，前記の装置Ｃ１からＣ１０を，熱中症などの生命に係る体温異常の危険性を検知し警報することができる警報システムとして機能させることは，当業者にとって容易である。
【０４２０】
人体が着用する上着の襟に装置Ｃ１からＣ１０を図１に示すようにクリップ式に抱持又は挟持させることにより，簡単に装着でき，前記生体情報センサーが人体に接触するように配置され，かつ，前記警報手段が周囲の他者から見えやすい位置に容易に配置される効果を得ることができる。また，前記警報手段として，発光ダイオード等の発光体を用いて，前記発光体を点灯又は点滅させることにより，人体の体調異常を周囲の他者に知らせることが容易にできる効果を得ることができる。
【０４２１】
本発明の装置Ｄ１は，
「人体が着用する着用物から支持されることができる腕と，
前記腕に設けられた接触部と，
を備えた装置であって， 
前記接触部に設けられた体温センサからの出力を取得する第１の取得手段と，
前記人体の体動を検知する加速度センサからの出力を取得する第２の取得手段と，
前記第２の取得手段により取得された前記加速度センサからの出力に基づいて算出された前記人体の活動量が，予め定められた活動量分増加する間に，前記第１の取得手段により取得された体温センサからの出力に基づいて算出される体温がどれだけ上昇したかを表す，所定活動量あたりの体温上昇度を算出する算出手段と，
前記算出手段により算出された体温上昇度が，所定の閾値以上であった場合に，第１の警報を出力する出力手段と
を備えることを特徴とする装置」である。
【０４２２】
本発明の装置Ｄ２は，
「前記腕から支持される送風部を備えた装置Ｄ１に記載の装置」である。
【０４２３】
本発明の装置Ｄ３は，
「前記算出手段は，所定の周期で，前記体温上昇度の算出を行うことを特徴とする装置Ｄ１又はＤ２に記載の状装置」である。
【０４２４】
本発明の装置Ｄ４は，
「前記算出手段により算出された体温上昇度が，所定の閾値以上となった後に，前記第１の取得手段により取得された体温センサからの出力に基づいて算出される体温が，所定の体温を超えたか否かを判定する判定手段を更に備え，
前記判定手段により，所定の体温を超えたと判定された場合には，前記出力手段は，第２の警報を出力することを特徴とする装置Ｄ１又はＤ２に記載の装置」である。
【０４２５】
特許文献２１を参考にすることで，前記の装置Ｄ１からＤ４を，熱中症などの生命に係る体温異常の危険性を検知し警報することができる警報システムとして機能させることは，当業者にとって容易である。
【０４２６】
以上により，体調異常を検知して警報するシステムを備えた装置であって，衣服の襟に簡単に付け替えることができる装置が提供される。また，前記付け替えたときにセンサーが人体の表面に簡単に配置される装置が提供される。さらに，前記装置の付け忘れを防止するために，暑い環境の下で前記装置を身に着けようとする動機を使用者に与えるための送風機能を備えた前記装置が提供される。
【０４２７】
本明細書において「腕」とは，本発明の装置が有する「腕」であって，人体の腕ではない。本発明の装置を身に着ける目的で「腕」に着用物を抱持させたときは，「腕」は「抱持部」である。また，本発明の装置を身に着ける目的で「腕」に着用物を挟持させたときは，「腕」は「挟持部」である。よって，本発明の装置を使用する際の状態に応じて，「腕」を「抱持部」又は「挟持部」と読み替えてもよい。実施例１の図２において，「腕」は取付器具６２２が有する腕６２３である。
【０４２８】
本明細書において「足」とは，本発明の装置が有する「足」であって，人体の足ではない。本発明の装置を身に着けたときは，「足」は人体又は着用物に接触する「接触部」である。また，本発明の装置を机面に置いたときは，「足」は机面に接触する「接触部」でもある。よって，本発明の装置を使用する際の状態に応じて，「足」を「接触部」と読み替えてもよい。実施例１の図２において，「足」は取付器具６２２が有する足６３２である。
【実施例５】
【０４２９】
モーターサイクルや自転車などの鞍乗式機器に乗る人（ライダー）は，転倒などの事故時における安全を確保するために全身着用物（例えば「つなぎ」，「ｏｖｅｒａｌｌｓ」，「ｂｏｉｌｅｒ  ｓｕｉｔ」など）を着用する。しかし，全身着用物は通気性が悪いため，全身着用物の内側が汗で蒸れる問題があった。また，事故時における安全性をさらに高める目的で，全身着用物の内側に衝撃吸収性のある部材で製造された衝撃吸収具を入れようとすると，さらに全身着用物の内側の通気性が悪くなり，全身着用物の内側がさらに汗で蒸れる問題があった。
【０４３０】
そこで，「全身着用物の襟付近に抱持又は挟持させることができる取付器具であって，鞍乗式機器が走行することによって全身着用物の前方から来る気流を全身着用物の内側へ導くことができる取付器具を提供すること」が課題である。また，「衝撃吸収性のある部材で製造された前記取付器具を全身着用物と人体の間に挿入することによって，通気性を確保しつつ，転倒時の衝撃を吸収できる衝撃吸収具を提供すること」が課題である。
【０４３１】
前記課題を解決するための手段としては，
図７から１６に記載の取付器具のうち，少なくとも，
「衝撃吸収性のある部材で製造された腕と，
前記腕によって支持される風向調整体であるウイングと，
を有し，
人体が着用する着用物によって前記腕を支持することができ，
前記着用物の外側から前記ウイングへ向かう気流を前記ウイングによって分流することができ，
かつ，
前記ウイングによって分流された前記気流を前記着用物の内側へ導くことができる取付器具」を衝撃吸収具として提供することができる。
【０４３２】
これにより，前記取付器具を全身着用物の胸側の襟付近に抱持又は挟持させ，前記襟の上に前記ウイングを位置させることにより，全身着用物の前方（胸の前の方向）から前記ウイングへ向かう気流を前記全身着用物の内側に導くことができる。よって，「全身着用物の襟付近に抱持又は挟持させることができる取付器具であって，鞍乗式機器が走行することによって全身着用物の前方から来る気流を全身着用物の内側へ導くことができる取付器具を提供する」という課題を解決することができる。
【０４３３】
また，実施例１に詳細に記載されているように，取付器具６２２を着用物６２０の襟６２１に抱持又は挟持させることにより，腕６２３の内側部分６２７を着用物６２０と人体６０９又は人体６０９が着用する下着６５５の間に簡単に配置させることができる。図１，３，６，２２は，人体６０９が着用する着用物６２０の襟６２１の背中側に取付器具が掛けられているが，これらの図を参考にして襟６２１の胸側に取付器具６２２を掛けられるようにすることは当業者にとって容易である。この際，送風部３０１は不要であるため，支持部２１０や棒持台２４４をなくす変更を施すことは，当業者にとって容易である。
【０４３４】
これにより，鞍乗式機器に乗るライダーが転倒することにより前記ライダーが着用する全身着用物の胸部に衝撃が加わった場合に，前記全身着用物と前記ライダーの人体の間に配置された前記取付器具が有する衝撃吸収性のある部材によって，前記衝撃が緩和される効果を得ることができる。よって，「衝撃吸収性のある部材で製造された前記取付器具を全身着用物と人体の間に挿入することによって，通気性を確保しつつ，転倒時の衝撃を吸収できる衝撃吸収具を提供する」という課題を解決することができる。
【０４３５】
図１から１９を参考にすることによって，人体６０９が着用する着用物６２０と人体６０９の間に配置される腕６２３の内側部分６２７をさらに大きく広げることにより，人体６０９の腹部や脇腹や胸部や鎖骨付近を広く覆うように腕６２３の内側部分６２７の形状を変更することは，当業者にとって容易である。
【０４３６】
腕６２３を製造するための衝撃吸収性のある部材として，ポリウレタン，発泡スチロール，ゴム，天然ゴム，合成ゴム，などのポリマーを用いることは，当業者にとって容易である。
【０４３７】
また，衝撃吸収性のある部材で製造された腕を有する前記取付器具を本明細書に記載の装置Ａ１として用いることにより，衝撃吸収性のある部材で製造された装置Ａ２からＡ２６を提供することは，当業者にとって容易である。
【０４３８】
また，ウイング６２４によって分流され，穴６３８を通過して着用物６２０の内側に導かれた気流が，空洞６３３を通過して着用物６２０の内側を通過した後に，着用物６２０の外側に抜け易くするために，前記気流が抜けるための穴を取付器具６２２にさらに設けることができる。また，穴６３８を通過して着用物６２０の内側に導かれた気流が着用物６２０の内側の広い範囲を通過しやすいように空洞６３３の形状を変更する目的で，腕６２３の内側部分６２７の形状を変更することができる。
【実施例６】
【０４３９】
従来技術である文献１６から１８に記載の首掛け可能な吊持具を備えた携帯扇風機は，首に向けて気流を送風することはできるが，首に汗がないときは気流によって蒸発させる水分が存在しないため，気化熱冷却の効果を得ることができないという欠点があった。
【０４４０】
そこで，本実施例で解決すべき課題としては，首に汗がない時でも気化熱冷却により首を冷却できる装置を提供することにある。
【０４４１】
この課題に対し，本発明者は鋭意研究開発を行った結果，首掛け可能な吊持具として手拭い布を用い，該手拭い布に水を含ませた状態で首に掛けて，該手拭い布の両端に取り付け可能な取付器具と，その取付器具から支持される送風部とを備えた装置を提供することで，以下の効果１から１４を得ることにより，前記課題を解決できることを見出した。
【０４４２】
（手拭い布）
本明細書において「手拭い布」とは「タオル又は手拭など首に掛けたり巻いたりして使用することができる布状体」のことである。「タオル」「手拭」「ネッカチーフ」「ネッククーラー」「スカーフ」「バンダナ」などは手拭い布である。
【０４４３】
（タオル）
一般的なタオルは図４３のタオル７００に示すように長方形をしているが，本発明の手拭い布として用いることができるタオルは長方形に限定されない。本発明に用いる布状体の材質や形状に応じて，本明細書に記載の「タオル」を「手拭」「ネッカチーフ」「ネッククーラー」「スカーフ」「バンダナ」などに適宜読み替えても良い。
【０４４４】
一般的にフェイスタオルや手拭として用いることができるタオル７００は繊維製の織物である。タオル７００に用いることができる繊維としては，綿や麻などの植物繊維や，絹や羊毛やアルパカやカシミアなどの動物繊維や，レーヨンやキュプラなどの再生繊維や，アセテートなどの半合成繊維や，ポリエステルやアクリルやポリエチレンテレフタレートやナイロンなどの合成繊維を用いることができる。
【０４４５】
一般的なタオル７００に用いる部材の吸水指数は１００以上であり，好ましくは２００前後から４００程度の吸水指数の部材を用いるのが好ましいが，本発明に用いることができるタオル７００の吸水指数はこれらに限定されない。なお，吸水指数の測定方法としてはラローズ法や改良ラローズ法が当業者に利用可能である。また，特許文献２２，２３ によれば，吸水ポリマーを収納した布状体を用いることによりタオル７００の吸水性能を高めることが可能である。
【０４４６】
（タオルの幅）
フェイスタオルや手拭として用いることができるタオル７００の幅７１１は，一般的には５ｃｍ以上であり，市販のフェイスタオルのほとんどは１５ｃｍ以上４５ｃｍ以下であり，平均は３４ｃｍ前後である。本発明に用いる手拭い布としては市販のフェイスタオルを好適に用いることができる。
【０４４７】
スポーツタオルとして用いることができるタオル７００の幅７１１は，一般的には１５ｃｍ以上であり，市販のスポーツタオルのほとんどは２５ｃｍ以上４５ｃｍ以下であり，平均は４０ｃｍ前後である。本発明に用いる手拭い布としては市販のスポーツタオルを用いることができる。
【０４４８】
マフラータオルとして用いることができるタオル７００の幅７１１は，一般的には１０ｃｍ以上であり，市販のマフラータオルのほとんどは１５ｃｍ以上３０ｃｍ以下であり，平均は２０ｃｍ前後である。本発明に用いる手拭い布としては市販のマフラータオルを用いることができる。
【０４４９】
バスタオルとして用いることができるタオル７００の幅７１１は，一般的には３０ｃｍ以上であり，市販のバスタオルのほとんどは４０ｃｍ以上８０ｃｍ以下であり，平均は６０ｃｍ前後である。本発明に用いる手拭い布としては市販のバスタオルを用いることができる。
【０４５０】
（タオルの長さ）
フェイスタオルや手拭として用いることができるタオル７００の長さ７１０は，一般的には４０ｃｍ以上であり，市販のフェイスタオルのほとんどは５０ｃｍ以上９０ｃｍ以下であり，平均は７６ｃｍ前後である。本発明に用いる手拭い布としては市販のフェイスタオルを好適に用いることができる。
【０４５１】
スポーツタオルとして用いることができるタオル７００の長さ７１０は，一般的には５０ｃｍ以上であり，市販のスポーツタオルのほとんどは６０ｃｍ以上１００ｃｍ以下であり，平均は８０ｃｍ前後である。本発明に用いる手拭い布としては市販のスポーツタオルを好適に用いることができる。
【０４５２】
マフラータオルとして用いることができるタオル７００の長さ７１０は，一般的には８０ｃｍ以上であり，市販のマフラータオルのほとんどは９０ｃｍ以上１４０ｃｍ以下であり，平均は１２０ｃｍ前後である。本発明に用いる手拭い布としては市販のマフラータオルを用いることができる。
【０４５３】
バスタオルとして用いることができるタオル７００の長さ７１０は，一般的には８０ｃｍ以上であり，市販のバスタオルのほとんどは９０ｃｍ以上１４０ｃｍ以下であり，平均は１２０ｃｍ前後である。本発明に用いる手拭い布としては市販のバスタオルを用いることができる。
【０４５４】
（タオルの端部）
図４３に記載のタオル７００の中心７０１はタオル７００の重心に位置している。タオル７００の中心７０１から端部７０３までの距離７０４は１５ｃｍである。
【０４５５】
端部７０３の長さ７０５は，１０ｃｍ以上であり，好ましくは１５ｃｍ以上あれば扇風機を取り付けやすくなる効果を得ることができ，さらに好ましくは２０ｃｍ以上あれば扇風機の高さを端部７０３でスライドさせて扇風機から人体の首までの距離を調整しやすくなる効果を得ることができる。
【０４５６】
市販のフェイスタオル７００の平均的な長さ７１０は約７６ｃｍであるため，市販のフェイスタオル７００の端部７０３の平均的な長さ７０５は約２３ｃｍであることから，市販の平均的なフェイスタオル７００を本発明の手拭い布として用いることで，扇風機を取り付けやすく，かつ，扇風機の高さをスライドさせて扇風機から人体の首までの距離を調整しやすくする効果を得ることができる（以下，効果１とよぶ）。
【０４５７】
図４３から４７において端部７０３はグレーに塗られているが，これは端部７０３の位置関係を分かりやすく示すためであり，実際のタオル７００において中央部７０２と端部７０３が塗分けられている必要はない。
【０４５８】
タオル７００の中央部７０２を人体の首に掛けたときに，タオル７００の左右にある端部７０３は人体の胸の前に垂れ下がるように配置することができる。
【０４５９】
本発明の取付器具６２２（又は支持台６６０）としては，図７から１６に記載の取付器具６２２（又は支持台６６０）を好適に用いることができる。
【０４６０】
本発明の取付器具６２２（又は支持台６６０）と送風部３０１を備えた扇風機３００としては，図１７から１９に記載の扇風機３００を好適に用いることができる。
【０４６１】
図４４から４７に示すように，取付器具６２２（又は支持台６６０）の左上と右上に左右対称に設けられた穴６３８のそれぞれに，タオル７００の左右にある端部７０３のそれぞれを，通過させることができる。穴６３８が左右対称に２つ設けられていることにより，それぞれの穴６３８に端部７０３のそれぞれを通過させることが容易化され，さらに，通過させた後も左右対称であることにより，バランスよく下記の吊持が可能になる（以下，効果２とよぶ）。
【０４６２】
図１３に示すように，穴６３８は取付器具６２２（又は支持台６６０）の腕６２３と足６３２とウイング６２４によって形成されており，穴６３８の縦幅は約１ｃｍで横幅は約４ｃｍであるため，市販のフェイスタオル（幅３４ｃｍ程度，長さ７６ｃｍ程度）であるタオル７００の端部７０３を穴６３８に通過させたときに，穴６３８が端部７０３の周囲から端部７０３を締め付けるため，端部７０３と穴６３８との間に摩擦力が発生し，端部７０３から穴６３８を吊り下げることができる効果を得ることができる（以下，効果３とよぶ）。
【０４６３】
これにより，タオル７００の左右にある端部７０３のそれぞれから取付器具６２２（又は支持台６６０）の穴６３８のそれぞれを吊り下げることで，タオル７００と取付器具６２２（又は支持台６６０）によって形成される環構造に人体の首を通過させてタオル７００を首から吊持することにより，人体の首に掛けたタオル７００の左右にある端部７０３のそれぞれから支持される穴６３８を有する取付器具６２２（又は支持台６６０）を吊持することができる効果を得ることができる（以下，効果４とよぶ）。
【０４６４】
さらに，取付器具６２２（又は支持台６６０）から送風部３０１を支持することによって，人体の首に掛けたタオル７００から送風部３０１を支持することができる効果を得ることができる（以下，効果５とよぶ）。
【０４６５】
さらに，人体が着用する着用物の表面又は端部７０３の表面に取付器具６２２（又は支持台６６０）の足６３２（又は接触部）を接触させることによって取付器具６２２（又は支持台６６０）の向きを安定化させることができる効果を得ることができる（以下，効果６とよぶ）。
【０４６６】
効果１から６の相乗効果によって取付器具６２２（又は支持台６６０）から送風の向きを調整可能に支持される送風部３０１から送風される気流を人体の首およびタオル７００に向けて安定的に送風することができる効果を得ることができる（以下，効果７とよぶ）。
【０４６７】
また，端部７０３と穴６３８との間に働く摩擦力よりも大きな力を手で加えながら端部７０３と取付器具６２２（又は支持台６６０）を相互に引っ張ってスライドさせることにより，送風部３０１と人体の首との間の距離を調整できる効果を得ることができる（以下，効果８とよぶ）。
【０４６８】
本発明の特筆すべき効果としては，タオル７００に水を含ませておき，送風部３０１から送風される気流をタオル７００に当てることによって，タオル７００から蒸発する水の気化が促進されるため，気化に伴ってタオル７００から奪われる気化熱が増大化される。そして，タオル７００が冷却される効果が前記気流によって増大化されることによって，タオル７００が掛けられている人体の首の冷却も増大化される効果を得ることができる（以下，効果９とよぶ）。
【０４６９】
このとき，タオル７００が首に掛けられていることにより，送風部３０１から首に向けて送風された気流によって，タオル７００が冷却される効果を得ることができるだけでなく，気流が首に当たることによって首が冷却される効果を同時に得ることができるという相乗効果を得ることができる（以下，効果１０とよぶ）。
【０４７０】
すなわち，タオル７００は吊持具としての効果１から８と，冷却材としての効果９から１０を，同時に得ることができる。これに対し，文献１６から１８に記載の吊持具は冷却材としての効果を有さない。
【０４７１】
一般的によくみられる現象として，タオルを湿らせた状態で長時間首に掛けていると，細菌の繁殖などにより匂いが発生する場合があるが，本発明は市販のタオル７００を利用することができるため，市販の安価なタオル７００を入手してタオル７００を交換することが容易化され，タオル７００の洗濯や市販の抗菌作用のあるタオルを用いることも容易化されるため，衛生効果を高めることができる。また，色やデザインの異なるタオルや手拭と組み合わせてファッションとしての付加価値を楽しむことも容易化される。
【０４７２】
すなわち，市販のタオル７００を交換可能な吊持具として用いることができるという特徴により，扇風機に専用の首掛け具を用いる場合よりも衛生的で経済的で，さらに，ファッション性による付加価値を高めやすくする効果を得ることができる（以下，効果１１とよぶ）。
【０４７３】
また，タオル７００と取付器具６２２（又は支持台６６０）とを容易に着脱できるので，タオル７００に水を含ませる際に，誤って送風部３０１を濡らすことがないように，送風部３０１をタオル７００から外した状態でタオル７００に水を含ませる作業を安全に行うことが容易化される効果を得ることができる（以下，効果１２とよぶ）。
【０４７４】
手拭のように薄い布製の部材からなるタオル７００を手拭い布として用いる場合は，端部７０３を穴６３８に通過させたときに，穴６３８から端部７０３への締め付けが弱くなり，端部７０３と穴６３８との間に十分な摩擦力を得られない場合がある。しかし，その場合であっても，図４４から４７に示すように取付器具６２２（又は支持台６６０）の腕６２３の内側部分６２７と外側部分６２６で端部７０３を挟持又は抱持することにより，端部７０３を挟持部６２３又は抱持部６２３で締め付けることができるため，首に掛けたタオル７００の左右にある端部７０３のそれぞれから取付器具６２２（又は支持台６６０）を落下させずに吊持することができる効果を得ることができる（以下，効果１３とよぶ）。
【０４７５】
図４４から４７に示すように，取付器具６２２（又は支持台６６０）の腕６２３において左右対称に２か所で端部７０３を挟持又は抱持できるように設けられた挟持部６２３又は抱持部６２３のそれぞれの箇所において，タオル７００の左右の両端にある端部７０３のそれぞれを挟持又は抱持することにより，取付器具６２２（又は支持台６６０）はタオル７００の左右の端部７０３のそれぞれを左右対称かつ着脱可能かつスライド可能に固定することができる。これにより，取付器具６２２（又は支持台６６０）はタオル７００の左右の端部７０３から左右対称かつ着脱可能かつスライド可能に支持されることができる（以下，効果１４とよぶ）。
【０４７６】
また，特許文献２５に示す従来技術と組み合わせることにより，送風部３０１のファンガード３０５に霧発生器を設け，さらにファンガード３０５に給水タンクを設け，前記給水タンクから前記霧発生器へ給水するための水路を設けることにより，ファンガード３０５から発生させた霧を前記送風部３０１から送風される気流によって人体の顔や首やタオル７００に向けて運搬することにより，人体の顔や首やタオル７００や上着６２０を加湿することが可能である。
霧発生器は霧の発生時間を間欠に制御することができる「間欠霧発生器」を使用する。間欠霧発生器は「一定時間T１の間は霧を継続的に発生させ，続いて一定時間T２の間は霧を発生させない」というサイクルを繰り返すことができる霧発生器である。霧発生器の超音波部への電源供給を間欠的に制御できる電子部品を用いることにより，間欠霧発生器を製造することができる。
一定時間T１の間は霧を発生させて送風部３０１が発生する気流により霧を人体が着用する着用物や布状体へ吹き付けることにより，着用物や布状体に水を付着させることができる。次に，一定時間T２の間は霧の発生を停止させた状態で送風部３０１が発生する気流を着用物や布状体に当てることによって，着用物や布状体に付着していた水を気化させることにより，着用物や布状体を水の気化熱で冷却しつづけることができる。
もし，着用物や布状体がない状態で間欠霧発生器を使用した場合は，霧の水を付着させる対象がないため，霧を発生させない一定時間T２の間は水の気化熱による冷却効果を得ることができない。
これに対し，着用物や布状体がある状態で間欠霧発生器を使用した場合は，霧の水を付着させる対象があるため，霧を発生させない一定時間T２の間においても水の気化熱による冷却効果を得ることができる。この冷却効果は間欠霧発生器と着用物（又は布状体）を組み合わせることによって得られる効果であって，間欠霧発生器のみから得ることはできない効果である。これにより，少ない水の量でより長く冷却効果を継続することが可能になる。
T１とT２は１秒から１０秒程度であることが好ましく，T２はT１よりも長いことが好ましく，T１とT２をユーザが調整できるとよい。また，霧発生器の間欠制御を電子部品で行う代わりに，従来技術である特許文献２６に記載の手動のポンプによる霧発発生器によってユーザが必要に応じて霧を発生させることができる構成にしてもよい。
【０４７７】
本明細書において，「布状体」とは，手拭い布を包含する広義の布状体であり，気化させる水を含ませるための加工を施した布状体や，気化させる水を含ませるための吸水性樹脂を含む布状体も含まれる。布状体の形状は平面状の織物体や，折り重なった平面状の織物体や，袋状の織物体や，首に巻き付けやすいようにスカーフ形状やネッカチーフ形状やバンダナ形状やストール形状やサークルストール形状にした織物体などを好適に用いることができるが，布状体の形状はこれらの織物体に限定されない。また，ネッククーラーとして使用可能な織物体も布状体として用いることができる。また，水を吸収しやすい吸水ポリマーを収納又は内包した袋状の織物体も布状体として用いることができる。
【０４７８】
なお，本明細書において「吸水ポリマーを収納又は内包した布状体」又は「気化させる水を含ませるための吸水ポリマーを含む布状体」に用いることができる吸水ポリマーとしては，特許文献２２に記載の保冷具に用いる吸水ポリマーや，特許文献２３に記載の冷却用スカーフに用いる吸水ポリマーなどを用いることができる。また，一般的なネッククーラーにおいて水を保持させるために当業者が使用可能な高吸水性樹脂であればいかなる樹脂を吸水ポリマーとして用いてもよい。これらの文献を参考にして「吸水ポリマーを収納又は内包した布状体」を製造することは当業者にとって容易である。
【０４７９】
本発明により提供される取付器具Ｆ１は，
「タオル若しくは手拭若しくはネッカチーフ若しくはネッククーラー若しくはスカーフ若しくはバンダナとして使用可能な布状体
又は
気化させる水を含ませるための吸水ポリマーを含む布状体
又は
吸水ポリマーを収納した布状体
から支持されることができる
取付器具であって，
気流を送風できる送風部を支持することができ，
かつ，
人体から支持される前記布状体
から支持される前記取付器具
から支持される前記送風部
から送風される前記気流を
前記人体又は前記布状体に向けて送風できる
取付器具」である。
【０４８０】
本発明により提供される取付器具Ｆ１の効果としては以下の通りである。
【０４８１】
取付器具Ｆ１を備える扇風機には，電池や電気回路や電動機などの「濡らしてはいけない部品」が含まれている。このため，布状体を水で濡らした場合には，これらの濡らしてはいけない部品（例えば，電池を格納した棒状体３０８など）と布状体７００の間に適切な距離が保たれる必要がある。
【０４８２】
取付器具Ｆ１は「布状体から支持される取付器具から支持される送風部」という特徴を有していることから，布状体と送風部（棒状体３０８など含む）の間に取付器具が位置することになる。このため，図４４では，濡らした布状体が送風部に接触していない。すなわち，取付器具Ｆ１は布状体に送風部が接触しないように送風部を支持することができる。これにより，図４４に示すように布状体と送風部と間の距離を適切に保つ効果を得ることができる。
【０４８３】
特に，吸水ポリマーを収納した布状体では，大量の水が布状体の中に含まれることになり，その水が重力によって端部に向かって滴り落ちてくる場合がある。このため，吸水ポリマーを収納した布状体では，水の侵入を防ぐために布状体に送風部が接触しないように送風部を支持することができる取付器具Ｆ１の効果は特に重要となる。
【０４８４】
これに対し，特許文献２４の図２１に記載の扇風機では，扇風機の「濡らしてはいけない部品」が格納されている本体部分が布状体に接触してしまう。このため，水の侵入を防ぐための防水機構を扇風機に設ける必要が生じ，扇風機の製造コストが増大化してしまう（特許文献２４の発明者らはこの必要性があることまでは想到できていない）。
【０４８５】
もしも，特許文献２４の図２１に記載の構成のまま，防水機構を施していない扇風機を用いた場合には，侵入する水によって扇風機が故障してしまう恐れがある。これを防ぐには，扇風機が濡れないように配慮しながら使用する必要が生じ，布状体に十分な水を含ませて使用することが難しくなる。このため，水の気化による効果を十分に得ることができなくなる。
【０４８６】
すなわち，特許文献２４に記載の扇風機は，乾いた布状体に扇風機を支持させることは可能であるが，濡らした布状体に扇風機を支持させて，「濡らしてはいけない部品」を濡らさないように送風部を支持することはできない。
【０４８７】
特許文献２４の図２１に記載のとおりに，扇風機を濡れた布状体に装着したときには，扇風機への水の侵入を防止することは困難である。
【０４８８】
よって，取付器具Ｆ１は，取付器具Ｆ１を介して布状体と扇風機の間に適切な距離を保つことで，扇風機への水の侵入を防ぐ効果を得ることができるから，進歩性がある。
【０４８９】
本発明により提供される取付器具Ｆ２は，
「タオル若しくは手拭若しくはネッカチーフ若しくはネッククーラー若しくはスカーフ若しくはバンダナとして使用可能な布状体
又は
気化させる水を含ませるための吸水ポリマーを含む布状体
又は
吸水ポリマーを収納した布状体
から着脱可能に支持されることができる
取付器具であって，
気流を送風できる送風部を回動可能又は蝶動可能又は変動可能に支持することができ，
かつ，
人体から支持される前記布状体
から支持される前記取付器具
から支持される前記送風部
から送風される前記気流を
前記人体又は前記布状体に向けて送風できる
取付器具」である。
【０４９０】
本発明により提供される取付器具Ｆ２の効果としては以下の通りである。
【０４９１】
取付器具Ｆ２は，「使用者の首に掛けたタオルに取り付けて使用できるだけでなく，使用者が机の前に座ったときには，タオルから扇風機を取り外して，扇風機を机面に置いた状態で，使用者の首に掛けたタオルに扇風機の風が当たり続けるように送風部の向きを調整できる効果」を得ることができる（本明細書の段落０１４６から０１４７に詳細な説明がある）。
【０４９２】
よって，取付器具Ｆ２は，「机の前に座った使用者の首に扇風機の重みによる負担をかけることなく，使用者の首に掛けたタオルの水を扇風機の風で気化させ続けることができる効果」を得ることができる。
【０４９３】
これに対し，引用発明２４に記載の扇風機は，机面に置かれた状態で机の前に座った使用者の首に掛けたタオルに向けて送風の向きを調整することは困難である。このため，使用者が机の前に座ったときでも，使用者の首に掛けたタオルに扇風機を取り付けておく必要があり，使用者の首に扇風機の重みによる負担がかかり続けるという欠点がある。
【０４９４】
すなわち，取付器具Ｆ２を備えた扇風機は，首に掛けた布状体に取り付けられた状態で布状体に送風部を安定的に向けて水の気化促進を継続できる機構を備えているだけでなく，机面上に置かれた状態で送風部の向きを首に掛けた布状体に安定的にむけて水の気化促進を継続できる機構も兼ね備えている。
【０４９５】
このように「布状体」と「机面」という全く安定性の異なる支持体の上で送風部の向きを安定的に布状体に向けて水の気化促進を継続できるように支持できるこれらの機構を従来技術から想到することは困難である。
【０４９６】
布状体で扇風機を支持することは，紐状体で扇風機を支持することよりも遥かに困難であり，紐状体を用いて実現できていることを布状体を用いて実現しようとする場合であっても，相当の困難と試行錯誤を伴う（例えば，下記の取付器具Ｆ３の説明に記載されているように，布状体に扇風機を取り付けやすくするためには，取付器具に着脱部位を設けるなどの工夫が必要になるため，送風部の向きを調整する上記の機構を設けることの難易度は上がる）。
【０４９７】
また，扇風機はタオルに向けて風圧を発生させるため，風圧の反作用によって，タオルから扇風機を引き離そうとする力が扇風機にかかり続ける。このため，風圧を発生させない物品をタオルの端部に取り付けて首に掛ける従来技術が仮にあったとしても，風圧を発生させる扇風機をタオルにスライド可能に取り付けて，風向を首やタオルに向けて安定的に維持させる方法を想到することは困難である。
【０４９８】
本発明により提供される取付器具Ｆ３は，
「タオル若しくは手拭若しくはネッカチーフ若しくはネッククーラー若しくはスカーフ若しくはバンダナとして使用可能な布状体
又は
気化させる水を含ませるための吸水ポリマーを含む布状体
又は
吸水ポリマーを収納した布状体
から支持されることができる
取付器具であって，
気流を送風できる送風部を着脱可能に支持することができ，
かつ，
人体から支持される前記布状体
から支持される前記取付器具
から支持される前記送風部
から送風される前記気流を
前記人体又は前記布状体に向けて送風できる
取付器具」である。
【０４９９】
本発明により提供される取付器具Ｆ３の効果としては以下の通りである。
【０５００】
一般的に，タオルのように幅と厚みのある布状体の端部に取付器具を支持させることは，ストラップなどの紐状体に取付器具を支持させることよりも困難である。
【０５０１】
例えば，特許文献２４の図２２から２３に記載の紐状体であるストラップの末端にはリングがついており，このリングによって扇風機の取付器具を安定的に支持できている。このストラップのように，紐状体は何かを吊るすために使用することを本来の目的として製造されているため，紐状体を用いて扇風機を吊持することに技術的な困難性はない。
【０５０２】
しかし，市販されている一般的なタオル等の布状体は，物品を吊持することを目的として製造されたものではないため，タオルの端部には取付器具を引っ掛けるための穴やリングなどがついていない。また，タオルには幅と厚みがあるため，端部を紐のようにどこかに結び付けることは困難である。
【０５０３】
紐状体は狭い隙間に入っていきやすい性質がある。これに対し，布状体は紐状体よりも幅と厚みがあるため，布状体は狭い隙間の周辺にある障害物にぶつかって引っかかりやすい性質があり，狭い隙間には入っていきにくいという問題点がある。このため，図４４に示すように，取付器具６２２の穴６３８に布状体を通過させたり，外側部分６２６と内側部分６２７の間に挟持させたりする作業をするときは，送風部がその障害物になる場合がある。
【０５０４】
この問題点に対し，取付器具Ｆ３に記載の取付器具によれば，「送風部を着脱可能に支持できる」という特徴を有することによって，タオル７００に取付器具６２２を支持させる際の取り付け作業を以下のように容易化できる効果を得ることができる。
【０５０５】
取付器具６２２をタオル７００から安定的に支持させるための取り付け作業では，まず，取付器具から送風部を取り外した状態（図４５から４７）において「取付器具６２２の右上と左上にそれぞれ設けられた穴６３８のそれぞれにタオル７００の左右の端部７０３のぞれぞれを通過させ，さらに左右の端部７０３のそれぞれを取付器具６２２の腕６２３の外側部分６２６と内側部分６２７の間に挟持させることにより，取付器具６２２をタオル７００から安定的に吊持する 」という作業を行う（この手順は，図４５から４７の説明に記載されている）。そして，しっかりとタオル７００に取付器具６２２を吊持させたのちに，図４４のように送風部を取付器具６２２に取り付けて，タオル７００から送風部を最終的に支持させることができる。
【０５０６】
取付器具Ｆ３によれば，上記の取り付け作業を行う際に，送風部が作業の邪魔にならないように送風部を取付器具６２２から離脱させた状態で作業を行うことができ，これにより「取り付け作業が容易化される効果」を得ることができる。この離脱機能があることによる容易化の効果を離脱機能がなかった場合を基準にして比べたときに，もともと取り付けやすい紐状体よりも，幅と厚みのあって取り付けにくい布状体の方が，容易化の効果が遥かに大きく得られることになる。
【０５０７】
また，取付器具Ｆ３が有する別の効果としては，上記の作業中に誤って扇風機を落下させて，送風部を破損させてしまう危険性を取り除くことができるという効果がある。
【０５０８】
特許文献２４の図２１では，タオルがクロスする部分の摩擦力によってタオルの環構造が維持されているため，このクロスする部分からクリップが少しでもズレてしまうと，クロスする部分の摩擦力が失われてしまい，環構造が崩壊して，扇風機とタオルが首から落下し，送風部を落として破損させる危険性が高いという欠点がある。
【０５０９】
これに対し，取付器具Ｆ３は，布状体に取付器具を支持させる上記の作業中に，作業者が取付器具を誤って落下させた場合であっても，送風部が取付器具についていない状態であるため，送風部を破損させずに済む効果を得ることができる。
【０５１０】
また，本明細書の段落０４７３には，タオルと送風部の間が着脱可能であることにより，タオルを水で濡らす際に，「送風部を濡らさずに済む効果」があることが記載されている。
【０５１１】
取付器具Ｆ３は，送風部を着脱できることから，送風部を取付器具から取り外すだけで上記の「送風部を濡らさずに済む効果」を得ることができる。
【０５１２】
すなわち，「タオルにしっかりと取り付けられた取付器具をわざわざ取り外す作業をすることなく，タオルを水で濡らす作業中に送風部を濡らさずに済む効果」を得ることができる。
【０５１３】
これにより，タオルに取付器具がしっかりと取り付けられた状態が維持されやすくなるため，落下防止の安全性が大きく向上する。
【０５１４】
本発明により提供される取付器具Ｆ４は，
「タオル若しくは手拭若しくはネッカチーフ若しくはネッククーラー若しくはスカーフ若しくはバンダナとして使用可能な布状体
又は
気化させる水を含ませるための吸水ポリマーを含む布状体
又は
吸水ポリマーを収納した布状体
の端部から支持されることができる
取付器具であって，
気流を送風できる送風部を支持することができ，
かつ，
人体の首から支持される前記布状体
から支持される前記取付器具
から支持される前記送風部
から送風される前記気流を
前記首又は前記布状体に向けて送風でき，
かつ，
前記首に掛けられた前記布状体の前記端部から前記取付器具が支持された状態で
前記布状体の前記端部と前記取付器具を相互に引っ張ってスライドさせることにより
前記送風部と前記首との間の距離を調整できる
取付器具」である。
【０５１５】
本発明により提供される取付器具Ｆ４の効果としては以下の通りである。
【０５１６】
取付器具Ｆ４は，「首に掛けられた布状体の端部から取付器具が支持された状態のままで，布状体の端部と取付器具を相互に引っ張ってスライドさせることにより送風部と首との間の距離を調整できる効果」を得ることができる。
【０５１７】
具体的には，図４５から４７の説明によれば，「取付器具６２２の右上と左上にそれぞれ設けられた穴６３８のそれぞれにタオル７００の左右の端部７０３のぞれぞれを通過させ，さらに左右の端部７０３のそれぞれを取付器具６２２の腕６２３の外側部分６２６と内側部分６２７の間に挟持させることにより，取付器具６２２をタオル７００から安定的に吊持する 」とあり，これによって，首に掛けられたタオル７００の端部７０３から取付器具６２２が支持された状態のままで，「端部７０３と穴６３８との間に働く摩擦力よりも大きな力を手で加えながら端部７０３と取付器具６２２を相互に引っ張ってスライドさせることにより，送風部３０１と人体の首との間の距離を調整できる効果を得ることができる 」ということが段落０４６７に記載されている。
【０５１８】
一方，特許文献２４の図２１では，タオルがクロスする部分の摩擦力によってタオルの環構造が維持されており，このクロスする部分からクリップが少しでもズレてしまうと，クロスする部分の摩擦力が失われて，環構造が崩壊して，扇風機とタオルが首から落下してしまう。このため，扇風機と首の間の距離を調整するためには，クロスする部分とクリップが常に一致するように注意しながら少しずつスライドさせる必要がある。
【０５１９】
もし，特許文献２４の図２１に記載の扇風機とタオルに対して，この扇風機とタオルの端部を相互に引っ張るという操作を行った場合に，タオルの２つの端部がクロスする位置がどこに移動するかを予測することは困難である。このため，特許文献１に記載の扇風機では，「首に掛けられた布状体の端部から取付器具が支持された状態を保ちながら扇風機と首の間の距離を調整すること」は大変困難である。
【０５２０】
また，布状体は紐状体と比較して幅が広いため，布状体の２つの端部からスライド可能に取付器具を支持することは，紐状体の２つの端部から支持することよりも困難である。例えば，特許文献２４の図２１に記載の扇風機のクリップ部分はタオルの端部の上半分だけを挟持している状態になっており，端部の下半分は挟持できていない。このように，布状体は紐状体よりもはみ出しやすく，はみ出した部分が外部から引っ張られることで，クリップから布状体が外れやすくなる問題点がある。このため，紐状体を用いた従来技術による支持方法を仮に参考にしたとしても，それを布状体に置き換えようとしたときには上記の問題点を解決する必要があり，取付器具の形状を工夫するなどの試行錯誤が必要になる。
【０５２１】
本発明により提供される取付器具Ｆ５は，
「タオル若しくは手拭若しくはネッカチーフ若しくはネッククーラー若しくはスカーフ若しくはバンダナとして使用可能な布状体
又は
気化させる水を含ませるための吸水ポリマーを含む布状体
又は
吸水ポリマーを収納した布状体
の端部から支持されることができる
取付器具であって，
気流を送風できる送風部を支持することができ，
かつ，
人体の首に前記布状体を掛けた状態で
前記布状体の左右の前記端部を左右対称に固定することにより
前記布状体から支持される前記取付器具
から支持される前記送風部
から送風される前記気流を
前記首又は前記布状体に向けて送風できる
取付器具」である。
【０５２２】
本発明により提供される取付器具Ｆ５の効果としては以下の通りである。
【０５２３】
取付器具Ｆ５は，「首に掛けられた布状体の端部から取付器具が支持された状態のままで，布状体の端部と取付器具を相互に引っ張ってスライドさせることにより送風部と首との間の距離を調整できる効果」を得ることができる。
【０５２４】
具体的には，本明細書の段落０４７５において，「図４４から４７に示すように，取付器具６２２の腕６２３において左右対称に２か所で端部７０３を挟持又は抱持できるように設けられた挟持部６２３又は抱持部６２３のそれぞれの箇所において，タオル７００の左右の両端にある端部７０３のそれぞれを挟持又は抱持することにより， 取付器具６２２はタオル７００の左右の端部７０３のそれぞれを左右対称かつ着脱可能かつスライド可能に固定することができる。これにより，取付器具６２２はタオル７００の左右の端部７０３から左右対称かつ着脱可能かつスライド可能に支持されることができる 」という効果を得ることが記載されている。
【０５２５】
取付器具Ｆ５が備える「前記布状体の左右の前記端部を左右対称に固定することにより前記布状体から支持される」という特徴により，タオルの左右の両端にある端部が互いにクロスすることなく，タオルから取付器具が支持されることになる（なぜなら，２つの端部が互いにクロスした場合は，一方の端部が前になり，他方の端部が後ろになるため，クロスした部分において端部が左右対称ではなくなるからである）。
【０５２６】
特許文献２４の図２１では，タオルが互いにクロスしているため，タオルから左右対称に支持されていない。特許文献２４の図２１では，タオルがクロスする部分の摩擦力によってタオルの環構造が維持されており，このクロスする部分からクリップが少しでもズレてしまうと，クロスする部分の摩擦力が失われて，環構造が崩壊して，扇風機とタオルが首から落下してしまう。このため，扇風機と首の間の距離を調整するためには，クロスする部分とクリップが常に一致するように注意しながら少しずつスライドさせる必要がある。
【０５２７】
すなわち，特許文献２４の図２１に記載の扇風機は，タオルの左右の端部から非対称に支持され，その非対称部分のみで２つの端部の間に働く特殊な力学的安定性（特許文献２４の例ではクロスした部分のみに働く２つの端部の間の摩擦力）に依存して支持されている。このため，取付器具を端部に沿ってスライドさせようとしたときに，その非対称部分（クロスした部分）も取付器具と一緒に移動させる必要が生じるため，スライド操作が著しく困難になり，スライドの途中で取付器具がタオルから離脱しやすくなる。
【０５２８】
これに対し，取付器具Ｆ５では，「前記布状体の左右の前記端部を左右対称に固定することにより前記布状体から支持される」という特徴により，タオルの左右の両端にある端部が互いにクロスすることなく，タオルから取付器具が左右対称に支持されているため，取付器具をタオルの端部に沿って上下にスライドさせても，力学的安定性が変わることなく安定に支持され続けるという効果を得ることができる。
【０５２９】
また，布状体は紐状体と比較して幅が広いため，布状体の２つの端部を取付器具で左右対称に挟むことは，２つの紐状体を左右対称に挟むことよりも困難である。例えば，特許文献２４の図２１に記載の扇風機のクリップ部分はタオルの端部の上半分だけを挟持している状態になっており，端部の下半分は挟持できていない。このように，布状体は紐状体よりもはみ出しやすく，はみ出した部分が外部から引っ張られることで，クリップから布状体が外れやすくなっている。このため，取付器具をスライドさせようとして端部を引っ張ったときに，端部から取付器具が外れやすくなる。よって，紐状体による支持方法を参考にしても，布状体による支持方法において左右対称かつスライド可能な支持方法を想到することは困難である。
【０５３０】
本発明により提供される取付器具Ｆ６は，
「タオル若しくは手拭若しくはネッカチーフ若しくはネッククーラー若しくはスカーフ若しくはバンダナとして使用可能な布状体
又は
気化させる水を含ませるための吸水ポリマーを含む布状体
又は
吸水ポリマーを収納した布状体
の２つの端部から支持されることができる
取付器具であって，
気流を送風できる送風部を支持することができ，
かつ，
人体の首に前記布状体を掛けた状態で
前記取付器具の左右に設けられた挟持部又は抱持部のそれぞれが前記端部のぞれぞれを挟持又は抱持することにより
前記布状体から支持される前記取付器具
から支持される前記送風部
から送風される前記気流を
前記首又は前記布状体に向けて送風できる
取付器具」である。
【０５３１】
本発明により提供される取付器具Ｆ６の効果としては以下の通りである。
【０５３２】
取付器具Ｆ６は，「首に掛けられた布状体の端部から取付器具が支持された状態のままで，布状体の端部と取付器具を相互に引っ張ってスライドさせることにより送風部と首との間の距離を調整できる効果」を得ることができる。
【０５３３】
具体的には，段落０４７５において，「図４４から４７に示すように，取付器具６２２の腕６２３において左右対称に２か所で端部７０３を挟持又は抱持できるように設けられた挟持部６２３又は抱持部６２３のそれぞれの箇所において，タオル７００の左右の両端にある端部７０３のそれぞれを挟持又は抱持することにより， 取付器具６２２はタオル７００の左右の端部７０３のそれぞれを左右対称かつ着脱可能かつスライド可能に固定することができる。これにより，取付器具６２２はタオル７００の左右の端部７０３から左右対称かつ着脱可能かつスライド可能に支持されることができる 」という効果を得ることが記載されている。
【０５３４】
これにより，取付器具Ｆ６は，取付器具Ｆ５と同様の効果を得ることができる。
【０５３５】
本発明により提供される取付器具Ｆ７は，
「タオル若しくは手拭若しくはネッカチーフ若しくはネッククーラー若しくはスカーフ若しくはバンダナとして使用可能な布状体
又は
気化させる水を含ませるための吸水ポリマーを含む布状体
又は
吸水ポリマーを収納した布状体
の端部から支持されることができる
取付器具であって，
気流を送風できる送風部を支持することができ，
かつ，
前記端部を通過させることができる穴を有し，
かつ，
人体の首に前記布状体を掛けた状態で
前記穴に通過させた前記端部から支持される前記取付器具
から支持される前記送風部
から送風される前記気流を
前記首又は前記布状体に向けて送風できる
取付器具」である。
【０５３６】
本発明により提供される取付器具Ｆ７の効果としては以下の通りである。
【０５３７】
取付器具Ｆ７の穴によれば，スライドさせるときに端部と取付器具を相互に引っ張ってもこの穴によって取付器具から端部が外れにくくなる効果を得ることができる（段落０４６１から０４６７にて説明）。
【０５３８】
また，段落０４６２および図１３に示すように，穴６３８の縦幅は約１ｃｍで横幅は約４ｃｍであるため，市販のフェイスタオル（幅３４ｃｍ程度，長さ７６ｃｍ程度）であるタオル７００の端部７０３を穴６３８に通過させたときに，穴６３８が端部７０３の周囲から端部７０３を締め付けるため，端部７０３と穴６３８との間に摩擦力が発生し，端部７０３から穴６３８を吊り下げることができる効果を得ることができる。
【０５３９】
また，段落０４６２に記載されているように，穴６３８はウイング６２４によって形成されており，ウイング６２４は実施例１において詳細に説明されているように「風向調整体」として送風部からの風が直接当たる場所に位置している。このウイング６２４が形成する穴６３８にタオル７００の左右の端部７０３を通過させることにより，送風部からの風が端部７０３に直接あたるように端部７０３の位置を固定できる。このため，端部７０３からの水の気化を安定的に促進できる効果を得ることができる。
【０５４０】
これに対し，特許文献２４の図２１に記載の扇風機では，扇風機の上側に送風口が位置し，扇風機の下側にクリップが位置しており，この下側のクリップでタオルを挟むため，送風口の近くにタオルを位置させ続けることが困難である。このため，扇風機からの風をタオルに向けて安定的に送風することができず，水の気化を安定的に促進させる効果を得ることができない。
【０５４１】
以上により，取付器具６２２の穴６３８は送風部からの風をタオル７００に効率よく当てるために，端部７０３の位置をガイドするための穴としても機能するため，取付器具Ｆ７には進歩性がある。
【０５４２】
本発明により提供される扇風機Ｆ８は，
「Ｆ１からＦ７に記載の取付器具と，
前記送風部と，
を備えた
扇風機」である。
【０５４３】
本発明により提供される吊持具Ｆ９は，
「Ｆ１からＦ７に記載の取付器具と，
前記布状体と，
を備えた
吊持具」である。
【０５４４】
本発明により提供される装置Ｆ１０は，
「Ｆ１からＦ７に記載の取付器具と，
前記送風部と，
前記布状体と，
を備えた
装置」である。
【実施例７】
【０５４５】
従来技術である特許文献８から９に記載の携帯扇風機は，人体が着用する着用物に取り付けて使用することができ，机面の上に置いて使用することができる。しかし，特許文献８から９に記載の携帯扇風機は机面を冷却するために机面に向けて送風することは困難である。
【０５４６】
そこで，本実施例に記載の発明で解決すべき課題は，「机面を冷却するための送風装置であって，人体が着用する着用物に取り付けたときは机面に向けて送風でき，その装置を机面に置いたときはその装置の真下や周囲の机面に向けて送風できる送風装置を提供する」という課題である。
【０５４７】
図４８から５０に記載の机面６００の上には布面６０１が置かれている。布面６０１のシワを伸ばす目的で，机面６００の上で布面６０１にアイロンをあてた直後は，机面６００と布面６０１が摂氏１００度から２００度程度の高温になる。このまま放置すると，机面６００と布面６０１がゆっくりと冷えるため，その間に布面６０１にシワが戻ってしまいやすいという問題があった。
【０５４８】
また，別の問題としては， アイロンとして，水蒸気を噴出するスチームアイロンを用いたときは，布面６０１と机面６００に水分が残ることによって，布面６０１にシワが戻りやすくなるという問題があった。
【０５４９】
これらの問題に対し，実施例２に記載されたＢ１からＢ１７の送風装置によれば，図５０に示すように，該装置を人体６０９の首に掛けて送風部３０１を机面６００に向けて送風することができる。
【０５５０】
図５０に示すように，人体６０９は該装置を手で持たずに送風部３０１を机面６００に向けて送風し続けることができる。このため，人体６０９は両手を使って机面６００の上に置かれた布面６０１にアイロンをあてることができる。
【０５５１】
図５０に示すように，送風部３０１から送風される気流が机面６００の上方から机面６００及び布面６０１に向けて送風され続ける。このため，机面６００の上に置かれた布面６０１からアイロンを離した直後から，アイロンで加熱された布面６０１及び机面６００を冷却／乾燥することができる。これにより，机面６００と布面６０１が速やかに冷却／乾燥されるため，布面６０１にシワが戻りにくくなる効果を得ることができる。
【０５５２】
また，アイロンがけの作業が終わった後は，図４８から４９に示すように，机面６００の上に置かれた布面６０１の上に該装置を置いておくことで，送風部３０１から送風される気流を布面６０１及び机面６００に当て続けることが可能になり，布面６０１及び机面６００を冷却／乾燥し続けることができる。これにより，机面６００と布面６０１が速やかに冷却／乾燥されるため，布面６０１にシワが戻りにくくなる効果を得ることができる。
【０５５３】
図４８から４９に示すように，人体６０９がその場にいなくても布面６０１及び机面６００を冷却／乾燥し続けることができるため，布面６０１及び机面６００を長時間かけて十分に冷却／乾燥し続けることができる効果を得ることができる。
【０５５４】
本発明により提供される装置Ｇ１は，
「着用物を抱持若しくは挟持することができる支持台
又は
首かけ可能なストラップ若しくは吊持具から支持されることができる支持台
又は
タオル若しくは手拭いから支持されることができる支持台と，
前記支持台に設けられた接触部と，
前記支持台から支持される送風部と，
を有し，
前記接触部を机面又は布面に接触させた状態で
前記支持台と前記机面又は前記布面との間を前記送風部から送風された気流が通過できる
装置」である。
【０５５５】
本発明により提供される装置Ｇ２は，
「着用物の縁を抱持若しくは挟持することができる支持台
又は
首かけ可能なストラップ若しくは吊持具から支持されることができる支持台
又は
タオル若しくは手拭いから支持されることができる支持台と，
前記支持台に設けられた接触部と，
前記支持台から支持される送風部と，
を有し，
前記接触部を机面又は布面に接触させた状態で
前記支持台と前記机面又は前記布面により形成される空洞を前記送風部から送風された気流が通過できる
装置」である。
【０５５６】
本発明により提供される装置Ｇ３は，
「前記送風部の向きを調整できるように前記支持台から前記送風部が支持される
Ｇ１又はＧ２に記載の装置」である。
【０５５７】
本発明により提供される装置Ｇ４は，
「握持可能な手持ち部を有する
Ｇ１からＧ３のいずれかに記載の装置」である。
【０５５８】
本発明により提供される支持台Ｇ５は，
「Ｇ１からＧ４のいずれかに記載の装置に用いる前記支持台」である。
【０５５９】
「着用物を抱持若しくは挟持することができる支持台」の実施形態としては，人体６０９が着用する上着６２０の縁６２１又は襟６２１又は胸ポケットに抱持又は挟持させた支持台６６０の抱持部６２３（取付器具６２２の腕６２３）から送風の向きを調整できるように支持される送風部３０１の実施形態が実施例１に詳細に記載されている。これにより，アイロンをかける人体６０９から布面６０１及び机面６００に向けて気流を送風することができ，図５０の上記説明と同様の効果を得ることができる。
【０５６０】
「首かけ可能なストラップ若しくは吊持具から支持されることができる支持台」の実施形態としては，人体６０９の首に掛けたストラップ６７１若しくは吊持具６７０から支持される支持台６６０から送風の向きを調整できるように支持される送風部３０１の実施形態が実施例２に詳細に記載されている。これにより，アイロンをかける人体６０９から布面６０１及び机面６００に向けて気流を送風することができ，図５０の上記説明の効果を得ることができる。
【０５６１】
「タオル若しくは手拭いから支持されることができる支持台」の実施形態としては，人体の首に掛けた手拭い布であるタオル７００から支持される支持台６６０から送風の向きを調整できるように支持される送風部３０１の実施形態が実施例６に詳細に記載されている。これにより，アイロンをかける人体６０９から布面６０１及び机面６００に向けて気流を送風することができ，図５０の上記説明と同様の効果を得ることができる。
【０５６２】
なお，本発明に用いることができる支持台は「着用物を抱持若しくは挟持することにより該着用物から支持される支持台」又は「首かけ可能なストラップ若しくは吊持具から支持されることができる支持台」又は「タオル若しくは手拭いから支持されることができる支持台」であればよく，本明細書の実施例に記載の実施形態に限定されない。
【０５６３】
「支持台から支持される送風部」の実施形態としては，支持台から送風部が直接支持されている形態だけでなく，支持台と送風部の間に存在する部品を介して支持台から送風部が間接支持されている形態であってもよい。例えば図３０では，支持部２１０及び棒状体３０８を介して送風部３０１は支持台６６０から支持されている。
【０５６４】
図３０では，支持台６６０と送風部３０１が直接接触していないが，吊持具６７０が支持台６１０を支え持つことによって，送風部３０１も支え持つことができることから，送風部３０１は支持台６１０から支持されている状態にある。
【０５６５】
図３５では，支持部２１０と棒状体３０８とが相互に回動可能であることによって，支持台６６０は送風部３０１を回動可能に支持している。
【０５６６】
図３６では，棒状体３０８と送風部３０１の間に蝶番部３０７が存在することによって，支持台６６０は送風部３０１を蝶動可能に支持している。
【０５６７】
「支持台から回動可能に支持される送風部」の実施形態としては，回動可能な部品を介して送風部が支持台から支持されていればよく，回動可能な部品は本実施例の形態に限定されない。
【０５６８】
「支持台から蝶動可能に支持される送風部」の実施形態としては，蝶動可能な蝶番部を介して送風部が支持台から支持されていればよく，蝶番部は本実施例の形態に限定されない。
【０５６９】
「支持台から変動可能に支持される送風部」の実施形態としては，変動可能な変動部を介して送風部が支持台から支持されていればよく，変動部は本実施例の形態に限定されない。
【０５７０】
「前記支持台に設けられた接触部」の実施形態としては，図７から図２１に記載の接触部６３２（足６３２）が実施例１において詳細に説明されている。
【０５７１】
実施例１において，支持台６６０の接触部６３２を机面６００に接触させたときに支持台６６０の腕６２３の内側部分６２７の内面６３１と机面６００の間に空洞６３３ができることが詳細に説明されている。
【０５７２】
実施例１において，腕６２３の内側部分６２７の内面６３１が概ねに凹形状又はＵ形状の面６３９を有していることによって，腕６２３と机面６００の間に気流が通過できる空間（空洞６３３）が確保される効果を得ることができ，送風部３０１の気流を机面６００に当てて机面６００を冷却又は乾燥することができることが詳細に説明されている。
【０５７３】
支持台６６０の接触部６３２を机面６００に接触させたときに，腕６２３と机面６００の間に気流が通過できる空洞６３３が確保され，この空洞６３３を図５に示すように気流が通過することによって，支持台６６０の真下にある机面６００を冷却／乾燥できる効果を得ることができる。
【０５７４】
この支持台６６０を図５０に示すように，布面６０１の上に置くことにより，布面６０１と机面６００を一様に（支持台６６０の真下及び周辺を含む領域を一様に）冷却することができ，布面６０１へのシワの戻りを防ぐことができる。
【０５７５】
また，水蒸気を噴出するスチームアイロンを用いたときに布面６０１と机面６００に水分が残りシワが戻りやすくなる問題に対しては，本発明の装置によって布面６０１と机面６００に一様に風を当てることにより，布面６０１と机面６００に残った水分を一様かつ速やかに乾燥させることができる効果を得ることができる。
【０５７６】
これに対し，特許文献８又は９に記載の携帯扇風機は，机面に置いたときに，該携帯扇風機の真下にある机面を冷却／乾燥するように送風することができない。このため，該携帯扇風機を置いた場所に熱や水分が残ってしまい，机面６００や布面６０１を一様に冷却／乾燥することができない。
【０５７７】
本明細書において，「机面」とは，机やテーブルやアイロン台の上面のように，ほぼ水平に設置された面の総称であり，机やテーブルやアイロン台に限定されない。
【０５７８】
「握持可能な手持ち部」の実施形態としては，図４９に示すように机面６００の上に置かれた布面６０１の上に支持台６６０が置かれた状態で，棒状体３０８及び棒状体３０８を抱持する支持部２１０の形状が人の手で握持しやすい形状をしており，棒状体３０８及び棒状体３０８を抱持する支持部２１０が握持可能な手持ち部として機能する。これにより，握持可能な手持ち部を有する一般的なアイロンと同様に，本発明を握持して操作することが容易になる効果を得ることができる。
【０５７９】
なお，本発明の「握持可能な手持ち部」は図４９に示すように机面６００の上に置いた状態で，該手持ち部の下側に指を通過させることができる空間が確保されることによって握持が容易になる手持ち部であれば，いかなる手持ち部を用いてもよく，本明細書の実施例に記載の実施形態に限定されない。
【０５８０】
図５に示すように，支持台６６０（取付器具６２２）の端に接触部６３２が少なくとも３ケ所（支持台６６０の腕６２３の内側部分６２７の両側の端６８４の２か所と先端６８５の１か所）に設けられている。これらの接触部６３２によって囲まれた空洞６３３を気流が通過することができる。
【０５８１】
図４８から４９に示すように，机面６００の上の布面６０１に接触部６３２を接触させた状態で，装置Ｇ１からＧ４のいずれかを机面６００の上に置いたときは，支持台６６０の端の３ケ所に設けられた接触部６３２によって囲まれた空洞６３３の下に位置する領域にある布面６０１の表面に気流を当てることができる。このとき，布面６０１の前記領域の周囲が接触部６３２によって押さえつけられた状態になるため，前記領域における布面６０１のシワが戻りにくい状態が維持される。この状態で送風部３０１から送風された気流を前記領域に当て続けることにより，前記領域にある布面６０１を冷却／乾燥することができる。これにより，布面６０１の前記領域にあったシワを伸ばした状態のままで前記領域を冷却／乾燥できる効果を得ることができる。
【０５８２】
なお，本発明の支持台６６０において，接触部６３２は少なくとも１か所以上設けられていればよく，本明細書の実施例に記載の実施形態に限定されない。図５に記載の接触部６３２は３ケ所に分かれているが，空洞６３３を取り囲むように１周させることにより，接触部６３２を１つにすることも可能である。
【０５８３】
布面６０１に接触する接触部６３２の滑りを良くする目的で，接触部６３２の表面に凹凸を設けてもよい。接触部６３２の間に隙間６３４を設けてもよいし，設けなくてもよい。また，接触部６３２と腕６２３の間に気流を通過させるための穴６３７を設けてもよいし，設けなくてもよい。
【０５８４】
接触部６３２によって囲まれる領域にある布面６０１（又は机面６００）の表面は支持台６６０に設けられた穴６３８を通して支持台６６０の外側から覗いて見ることができる。このため，この領域にある布面６０１の表面のシワの状態を支持台６６０の外側から目視で容易に確認することができる。この穴６３８をさらに大きくすることで，シワの状態を目視でより確認しやすくすることも可能である。
【符号の説明】
【０５８５】
２１０  支持部
２１５  支持部２１０の可動部
２３３  支持部２１０の軸受となる穴
２４４  支持部２１０の棒持台
２４５  支持部２１０の棒持台２４４の棒持面
３００  扇風機
３０１  扇風機３００の送風部
３０２  扇風機３００の送風部３０１ の羽根車
３０３  扇風機３００の送風部３０１ の電動機
３０４  扇風機３００の電源である電池
３０５  扇風機３００の送風部３０１ のファンガード
３０７  扇風機３００の蝶番部
３０８  扇風機３００の棒状体
３０９  扇風機３００のスイッチ
３１０  扇風機３００の電池ケースの蓋
３１２  扇風機３００の電気伝導体
３２０  扇風機３００の送風部のファンガードの結合を示す矢印
３２１  扇風機３００の電池ケースの蓋３１０と棒状体３０８の結合を示す矢印
３２２  扇風機３００の棒状体３０８を回動可能かつスライド可能に支持部２１０の棒持台２４４の棒持面２４５に支持させることを示す矢印
３２３  支持部２１０の棒持台２４４が備える軸を支持部２１０の軸受となる穴２３３に通過させることで棒持台２４４を回動可能に設けることを示す矢印
３２４  扇風機３００の送風部３０１ と棒状体３０８を蝶着する蝶番部３０７の蝶動を示す矢印
３２５  扇風機３００の棒状体３０８を回動可能に支持する支持部２１０の棒持台２４４の棒持面２４５における棒状体３０８の回動を示す矢印
３２６  扇風機３００の棒状体をスライド可能に支持する支持部２１０の棒持台２４４の棒持面２４５における棒状体３０８のスライドを示す矢印
３２７  支持部２１０が回動可能に支持する棒持台２４４と支持部２１０の間の可動部２１５の回動を示す矢印
６００  机面
６０１  布面（机面６００の上に置かれた織物である布の表面）
６０９  帽子，ヘルメット又は上着を着用する人体
６１６  手持式機器（又は手持ち式の携帯扇風機）
６２０  人体６０９が着用する上着
６２１  上着６２０の縁又は襟
６２２  上着６２０の襟６２１を抱持又は挟持できる取付器具
６２３  取付器具６２２の腕（又は抱持部）
６２４  取付器具６２２のウイング
６２５  取付器具６２２のウイング６２４の風向調整面
６２６  取付器具６２２の腕６２３の外側部分
６２７  取付器具６２２の腕６２３の内側部分
６２８  取付器具６２２の腕６２３の外側部分６２６の外面
６２９  取付器具６２２の腕６２３の外側部分６２６の内面
６３０  取付器具６２２の腕６２３の内側部分６２７の外面
６３１  取付器具６２２の腕６２３の内側部分６２７の内面
６３２  取付器具６２２の足（又は接触部）
６３３  空洞
６３４  足６３２の間の隙間
６３５  ヘルメット６４０と人体６０９の頭部の間の隙間
６３６  上着６２０と人体６０９の間の隙間
６３７  腕６２３の内側部分６２７の端に設けられた穴
６３８  腕６２３とウイング６２４と足６３２によって形成される穴
６３９  概ねに凹形状又はＵ形状の面
６４０  人体６０９が着用するヘルメット
６４１  ヘルメット６４０の縁
６４２  ヘルメット６４０の縁６４１を抱持又は挟持できる取付器具
６４３  取付器具６４２の腕
６４４  取付器具６４２のウイング
６４５  取付器具６４２のウイング６４４の風向調整面
６４６  取付器具６４２の腕６４３の外側部分
６４７  取付器具６４２の腕６４３の内側部分
６４８  取付器具６４２の腕６４３の外側部分６４６の外面
６４９  取付器具６４２の腕６４３の外側部分６４６の内面
６５０  取付器具６４２の腕６４３の内側部分６４７の外面
６５１  取付器具６４２の腕６４３の内側部分６４７の内面
６５５  人体６０９と上着６２０の間の下着
６５６  吊持具６７０に吊持されたＩＤカード
６５７  ＩＤカード６５６に内蔵されたＩＣチップを読み取るためのカードリーダー
６６０  支持台
６６１  支持台６６０のスライダー
６６２  支持台６６０のスライダー６６２に設けられた突起
６６３  支持台６６０の接触部（取付器具６２２の足６３２と同じ部分）
６６４  支持台６６０の滑曲面
６７０  吊持具
６７１  吊持具６７０の環状体
６７２  吊持具６７０の輪状体又は糸状体
６７３  吊持具６７０の輪状体６７２又は糸状体６７２が通過できる穴
６８０  概ねに凹形状又はＵ形状の面６３９を有する腕６２３の断面
６８１  送風部３０１の最も低い部分の位置
６８２  棒状体３０８の最も低い部分の位置
６８３  腕６２３の外側部分６２６と内側部分６２７の間の連結部分
６８４  腕６２３の内側部分６２７の両側の端
６８５  腕６２３の内側部分６２７の先端
６８６  腕６２３の外側部分６２６と内側部分６２７の間
６８７  腕６２３の外側部分６２６と内側部分６２７の間６８６を開く力
６８８  支持台６６０の２つのスライダー６６１のそれぞれを吊持具６７０の環状体６７１の２か所に装着するステップ１の作業を表す矢印
６８９  手持式機器６１６の棒状体３０８を支持台６６０の支持部２１０に抱持させるステップ２の作業を表す矢印
６９０  支持台６６０を前記上着６２０に接触させずに支持台６６０を吊持具６７０のみによって吊持したときに棒状体３０８の最も低い部分の位置６８２が送風部３０１の最も低い部分の位置６８１よりも低くい状態で支持台６６０を吊持具６７０から吊持することができる扇風機
６９１  支持台６６０を前記上着６２０に接触させずに支持台６６０を吊持具６７０のみによって吊持したときに棒状体３０８の最も低い部分の位置６８２が送風部３０１の最も低い部分の位置６８１よりも高い状態で支持台６６０を吊持具６７０から吊持することができる扇風機
６９２  扇風機６１６の支持台６６０を人体６０９の胸に接触させた状態で，送風部３０１の送風の方向を変えることなく，ＩＤカード６５６をカードリーダー６５７に近づける動作を表す矢印
７００  手拭い布であるタオル
７０１  タオル７００の中心
７０２  タオル７００の中央部
７０３  タオル７００の端部
７０４  タオル７００の中心７０１から端部７０３までの距離
７０５  タオル７００の端部７０３の長さ
７１０  タオル７００の長さ
７１１  タオル７００の幅
【図１】
2020037935.tif 000003
【図２】
2020037935.tif 000004
【図３】
2020037935.tif 000005
【図４】
2020037935.tif 000006
【図５】
2020037935.tif 000007
【図６】
2020037935.tif 000008
【図７】
2020037935.tif 000009
【図８】
2020037935.tif 000010
【図９】
2020037935.tif 000011
【図１０】
2020037935.tif 000012
【図１１】
2020037935.tif 000013
【図１２】
2020037935.tif 000014
【図１３】
2020037935.tif 000015
【図１４】
2020037935.tif 000016
【図１５】
2020037935.tif 000017
【図１６】
2020037935.tif 000018
【図１７】
2020037935.tif 000019
【図１８】
2020037935.tif 000020
【図１９】
2020037935.tif 000021
【図２０】
2020037935.tif 000022
【図２１】
2020037935.tif 000023
【図２２】
2020037935.tif 000024
【図２３】
2020037935.tif 000025
【図２４】
2020037935.tif 000026
【図２５】
2020037935.tif 000027
【図２６】
2020037935.tif 000028
【図２７】
2020037935.tif 000029
【図２８】
2020037935.tif 000030
【図２９】
2020037935.tif 000031
【図３０】
2020037935.tif 000032
【図３１】
2020037935.tif 000033
【図３２】
2020037935.tif 000034
【図３３】
2020037935.tif 000035
【図３４】
2020037935.tif 000036
【図３５】
2020037935.tif 000037
【図３６】
2020037935.tif 000038
【図３７】
2020037935.tif 000039
【図３８】
2020037935.tif 000040
【図３９】
2020037935.tif 000041
【図４０】
2020037935.tif 000042
【図４１】
2020037935.tif 000043
【図４２】
2020037935.tif 000044
【図４３】
2020037935.tif 000045
【図４４】
2020037935.tif 000046
【図４５】
2020037935.tif 000047
【図４６】
2020037935.tif 000048
【図４７】
2020037935.tif 000049
【図４８】
2020037935.tif 000050
【図４９】
2020037935.tif 000051
【図５０】
2020037935.tif 000052